(57)【要約】【課題】  表示データに対応した電流値を有する発光駆動電流を供給することにより、表示データに応じた適切な輝度階調で発光素子を発光駆動させることができる表示駆動装置及びその駆動制御方法を提供し、以て、表示画質が良好かつ均質な表示装置及びその駆動制御方法を提供する。【解決手段】  表示駆動装置１００は、少なくとも、各表示画素ＰＸに設けられた発光駆動用トランジスタのしきい値電圧を測定する検出電圧ＡＤＣ１４０と、測定されたしきい値電圧を各表示画素ＰＸごとに記憶するフレームメモリ１７０と、測定されたしきい値電圧に基づく補償電圧を生成する補償電圧ＤＡＣ１５０と、表示データに応じた階調実効電圧を生成する階調電圧生成部１３０と、補償電圧と階調実効電圧とに基づく電圧を階調指定電圧として、データラインＤＬを介して表示画素ＰＸに印加する電圧加算部１８０と、を備えた構成を有している。【選択図】  図１
2006301250.tif 000002
【特許請求の範囲】
【請求項１】
電流制御型の発光素子と該発光素子に発光駆動電流を供給する発光駆動素子とを備えた表示画素に、階調信号を供給することにより、前記発光素子を所定の輝度階調で発光動作させる表示駆動装置において、
少なくとも、
前記発光素子を所定の輝度階調で発光動作させるための所定の電圧値を有する階調電圧を生成する階調電圧生成手段と、
前記表示画素に設けられた前記発光駆動素子に固有のしきい値電圧を検出するしきい値電圧検出手段と、
前記しきい値電圧検出手段により検出された前記しきい値電圧に関連付けられたしきい値データを記憶する記憶手段と、
前記記憶手段に記憶された前記しきい値データに基づいて、前記発光駆動素子の前記しきい値電圧を補償する補償電圧を生成する補償電圧生成手段と、
前記階調電圧と前記補償電圧とに基づく電圧成分を、前記階調信号として前記表示画素に供給する階調信号生成手段と、
を備えることを特徴とする表示駆動装置。
【請求項２】
前記表示駆動装置は、前記発光駆動素子に前記しきい値電圧よりも高電位のしきい値検出用の電圧を印加する検出用電圧印加手段を、さらに備え、
前記しきい値電圧検出手段は、前記しきい値電圧検出用の電圧が前記発光駆動素子に印加され、該しきい値電圧検出用の電圧に対応する電荷の一部が放電されて収束した後の電圧を、前記発光駆動素子の前記しきい値電圧として検出することを特徴とする請求項１記載の表示駆動装置。
【請求項３】
前記補償電圧生成手段は、前記記憶手段に記憶された前記しきい値データに基づいて、前記発光駆動素子の前記しきい値電圧相当の電圧成分からなる前記補償電圧を生成することを特徴とする請求項１又は２記載の表示駆動装置。
【請求項４】
前記表示画素に設けられる前記発光駆動素子は、前記発光素子に前記発光駆動電流を流す電流路と、前記発光駆動電流の供給状態を制御する制御端子を備え、
前記検出用電圧印加手段は、前記発光駆動素子の前記制御端子と前記電流路の一端側との間に、前記しきい値検出用の電圧を印加し、前記しきい値電圧検出手段は、前記電流路に電流が流れなくなったときの前記発光駆動素子の前記制御端子と前記電流路の一端側との間の電位差を、前記しきい値電圧として検出することを特徴とする請求項２又は３記載の表示駆動装置。
【請求項５】
前記階調信号生成手段は、前記発光駆動素子の前記制御端子と前記電流路の一端側との間に、前記階調電圧と前記補償電圧とに基づく電圧成分を、前記階調信号として印加することを特徴とする請求項４記載の表示駆動装置。
【請求項６】
前記しきい値電圧検出手段は、アナログ信号として検出した前記発光駆動素子の前記しきい値電圧を、デジタル信号に変換する手段を備え、
前記記憶手段は、前記デジタル信号に変換された前記しきい値電圧を、前記しきい値データとして記憶することを特徴とする請求項１乃至５のいずれかに記載の表示駆動装置。
【請求項７】
前記補償電圧生成手段は、前記記憶手段にデジタル信号として記憶された前記しきい値データに基づいて、前記発光駆動素子の前記しきい値電圧を補償するアナログ信号からなる前記補償電圧を生成する手段を備えていることを特徴とする請求項６記載の表示駆動装置。
【請求項８】
前記階調電圧生成手段は、前記階調電圧として、前記発光素子を無発光動作させるための所定の電圧値を有する無発光表示電圧を生成する手段を備えていることを特徴とする請求項１乃至７のいずれかに記載の表示駆動装置。
【請求項９】
前記表示駆動装置は、所定の配列で複数個設けられた前記表示画素に対して、前記階調電圧を生成するための輝度階調データを、順次個別に取り込み、保持するデータ取得手段を、さらに備え、
前記階調電圧生成手段は、前記データ取得手段に保持された前記複数の表示画素ごとの前記輝度階調データに応じた前記階調電圧を生成し、
前記階調信号生成手段は、前記複数の表示画素の各々に対して、前記階調電圧と前記補償電圧とに基づく電圧成分からなる前記階調信号を個別に供給することを特徴とする請求項１乃至８のいずれかに記載の表示駆動装置。
【請求項１０】
前記表示駆動装置は、所定の配列で複数個設けられた前記表示画素から検出された前記しきい値電圧に関連付けられた前記しきい値データを、個別に取り込み、順次転送するしきい値取得手段を、さらに備え、
前記記憶手段は、前記しきい値取得手段から転送された前記複数の表示画素ごとの前記しきい値電圧に関連付けられた前記しきい値データを、前記複数の表示画素の各々に対応させて個別に記憶することを特徴とする請求項１乃至９のいずれかに記載の表示駆動装置。
【請求項１１】
前記データ取得手段と前記しきい値取得手段は、前記輝度階調データを順次個別に取り込む構成と、前記しきい値データを個別に取り込み、順次転送する構成とが、共用化されていることを特徴とする請求項１０記載の表示駆動装置。
【請求項１２】
前記表示駆動装置は、少なくとも、前記しきい値電圧検出手段により前記表示画素の前記しきい値電圧を検出する信号経路、及び、前記階調信号生成手段により当該表示画素に前記階調信号を供給する信号経路と、当該表示画素に対応して設けられた単一のデータ線との接続を、選択的に切り換え制御する信号経路切換手段を備えることを特徴とする請求項１乃至１１のいずれかに記載の表示駆動装置。
【請求項１３】
前記表示駆動装置は、さらに、前記検出用電圧印加手段により前記表示画素に前記しきい値検出用の電圧を印加する信号経路が、前記単一のデータ線に、選択的に接続されるように構成されていることを特徴とする請求項１２記載の表示駆動装置。
【請求項１４】
電流制御型の発光素子と該発光素子に発光駆動電流を供給する発光駆動素子とを備えた表示画素に、階調信号を供給することにより、前記発光素子を所定の輝度階調で発光動作させる表示駆動装置の駆動制御方法において、
少なくとも、
前記発光駆動素子に固有のしきい値電圧を検出し、当該しきい値電圧に関連付けられたしきい値データとして記憶手段に記憶する第１のステップと、
前記記憶手段に記憶された前記しきい値データに基づいて、前記発光駆動素子の前記しきい値電圧を補償する補償電圧を生成する第２のステップと、
前記発光素子を所定の輝度階調で発光動作させるための所定の電圧値を有する階調電圧を生成する第３のステップと、
前記補償電圧と前記階調電圧とに基づく電圧成分を、前記階調信号として前記表示画素に供給し、当該階調信号に基づく電圧成分を前記発光駆動素子に保持させる第４のステップと、
を含むことを特徴とする表示駆動装置の駆動制御方法。
【請求項１５】
前記第１のステップは、前記第２のステップ乃至前記第４のステップに先立つ任意のタイミングで実行されることを特徴とする請求項１４記載の表示駆動装置の駆動制御方法。
【請求項１６】
前記第１のステップは、前記発光駆動素子に前記しきい値電圧よりも高電位のしきい値検出用の電圧を印加するステップと、当該しきい値電圧検出用の電圧に対応する電荷の一部が放電されて収束した後の電圧を、前記発光駆動素子の前記しきい値電圧として検出するステップと、を含むことを特徴とする請求項１４又は１５記載の表示駆動装置の駆動制御方法。
【請求項１７】
前記第１のステップは、アナログ信号として検出した前記発光駆動素子の前記しきい値電圧をデジタル信号に変換して生成される前記しきい値データを前記記憶手段に記憶するステップをさらに含むことを特徴とする請求項１６記載の表示駆動装置の駆動制御方法。
【請求項１８】
前記第２のステップは、前記記憶手段にデジタル信号として記憶された前記しきい値データに基づいて、前記発光駆動素子の前記しきい値電圧を補償するアナログ信号からなる前記補償電圧を生成することを特徴とする請求項１７記載の表示駆動装置の駆動制御方法。
【請求項１９】
前記第３のステップは、前記発光素子を無発光動作させる場合には、前記階調信号として所定の電圧値を有する無発光表示電圧を生成し、
前記第４のステップは、前記無発光表示電圧を含む前記階調信号を前記表示画素に供給することにより、少なくとも当該発光駆動素子の前記しきい値電圧以下の前記電圧成分を、前記発光駆動素子に保持させることを特徴とする請求項１４乃至１８のいずれかに記載の表示駆動装置の駆動制御方法。
【請求項２０】
少なくとも、前記第１のステップにおいて前記表示画素の前記しきい値電圧を検出する動作と、前記第４のステップにおいて当該表示画素に前記階調信号を供給する動作と、を当該表示画素に対応して設けられた単一のデータ線を介して選択的に実行することを特徴とする請求項１４乃至１９のいずれかに記載の表示駆動装置の駆動制御方法。
【請求項２１】
さらに、前記第１のステップにおいて前記表示画素に前記しきい値検出用の電圧を印加する動作を、当該表示画素に対応して設けられた単一のデータ線を介して選択的に実行することを特徴とする請求項２０記載の表示駆動装置の駆動制御方法。
【請求項２２】
行方向及び列方向に配設された複数の選択線及びデータ線の各交点に、電流制御型の発光素子と該発光素子に発光駆動電流を供給する発光駆動素子とを備えた複数の表示画素が配列された表示パネルを備えた表示装置において、
所定のタイミングで前記表示パネルの各行ごとの前記表示画素に選択信号を順次印加して、選択状態に設定する選択駆動部と、
所望の画像情報を表示するための表示データに応じた階調信号を生成し、前記選択状態に設定された行の前記表示画素に供給するデータ駆動部と、
を備え、
前記データ駆動部は、少なくとも、
前記各表示画素の前記発光駆動素子に固有のしきい値電圧を個別に検出するしきい値電圧検出手段と、
前記しきい値電圧検出手段により検出された前記しきい値電圧に関連付けられたしきい値データを、前記表示画素ごとに記憶する記憶手段と、
前記記憶手段に記憶された前記しきい値データに基づいて、前記表示画素ごとの前記発光駆動素子の前記しきい値電圧を補償する補償電圧を生成する補償電圧生成手段と、
前記発光素子を所定の輝度階調で発光動作させるための所定の電圧値を有する階調電圧を生成する階調電圧生成手段と、
前記階調電圧と前記補償電圧とに基づく電圧成分を、前記データ線を介して前記階調信号として前記表示画素の各々に個別に供給する階調信号生成手段と、
を有することを特徴とする表示装置。
【請求項２３】
前記データ駆動部は、前記表示画素の前記発光駆動素子に前記しきい値電圧よりも高電位のしきい値検出用の電圧を個別に印加する検出用電圧印加手段を、さらに備え、
前記しきい値電圧検出手段は、前記しきい値電圧検出用の電圧が前記発光駆動素子に印加され、該しきい値電圧検出用の電圧に対応する電荷の一部が放電されて収束した後の電圧を、前記発光駆動素子のしきい値電圧として個別に検出することを特徴とする請求項２２記載の表示装置。
【請求項２４】
前記補償電圧生成手段は、前記記憶手段に記憶された前記しきい値データに基づいて、前記発光駆動素子に前記しきい値電圧相当の電圧成分を保持させるための前記補償電圧を個別に生成することを特徴とする請求項２２又は２３記載の表示装置。
【請求項２５】
前記表示画素の各々に設けられる前記発光駆動素子は、前記発光素子に前記発光駆動電流を流す電流路と、前記発光駆動電流の供給状態を制御する制御端子を備え、
前記検出用電圧印加手段は、前記発光駆動素子の前記制御端子と前記電流路の一端側との間に、前記しきい値検出用の電圧を印加し、前記しきい値電圧検出手段は、前記電流路に電流が流れなくなったときの前記発光駆動素子の前記制御端子と前記電流路の一端側との間の電位差を、前記しきい値電圧として検出することを特徴とする請求項２３又は２４記載の表示装置。
【請求項２６】
前記階調信号生成手段は、前記発光駆動素子の前記制御端子と前記電流路の一端側との間に、前記階調電圧と前記補償電圧とに基づく電圧成分を、前記階調信号として印加することを特徴とする請求項２５記載の表示装置。
【請求項２７】
前記しきい値電圧検出手段は、アナログ信号として検出した前記発光駆動素子のしきい値電圧を、デジタル信号に変換して、前記しきい値データを生成する手段を備え、
前記補償電圧生成手段は、前記記憶手段にデジタル信号として記憶された前記しきい値データに基づいて、前記発光駆動素子の前記しきい値電圧を補償するアナログ信号からなる前記補償電圧を生成する手段を備えていることを特徴とする請求項２２乃至２６のいずれかに記載の表示装置。
【請求項２８】
前記階調電圧生成手段は、前記階調電圧として、前記発光素子を無発光動作させるための所定の電圧値を有する無発光表示電圧を生成する手段を備えていることを特徴とする請求項２２乃至２７のいずれかに記載の表示装置。
【請求項２９】
前記データ駆動部は、
前記表示画素の各々から検出された前記しきい値電圧に関連付けられた前記しきい値データを、個別に取り込み、順次転送するしきい値取得手段と、
前記表示画素の各々に対して、前記階調電圧を生成するための輝度階調データを、順次個別に取り込み、保持するデータ取得手段と、
を、さらに備え、
前記記憶手段は、前記しきい値取得手段から転送された前記複数の表示画素ごとの前記しきい値データを、前記複数の表示画素の各々に対応させて個別に記憶し、
前記階調電圧生成手段は、前記データ取得手段に保持された前記複数の表示画素ごとの前記輝度階調データに応じた前記階調電圧を生成し、
前記階調信号生成手段は、前記複数の表示画素の各々に対して、前記階調電圧と前記補償電圧とに基づく電圧成分からなる前記階調信号を個別に供給することを特徴とする請求項２２乃至２８のいずれかに記載の表示装置。
【請求項３０】
前記データ取得手段と前記しきい値取得手段は、前記輝度階調データを順次個別に取り込む構成と、前記しきい値データを個別に取り込み、順次転送する構成とが、共用化されていることを特徴とする請求項２９記載の表示装置。
【請求項３１】
前記データ駆動部は、少なくとも、前記しきい値電圧検出手段により前記表示画素の前記しきい値電圧を検出する信号経路、及び、前記階調信号生成手段により当該表示画素に前記階調信号を供給する信号経路と、当該表示画素に対応して設けられた単一のデータ線との接続を、選択的に切り換え制御する信号経路切換手段を備えることを特徴とする請求項２２乃至３０のいずれかに記載の表示装置。
【請求項３２】
前記データ駆動部は、さらに、前記検出用電圧印加手段により前記表示画素に前記しきい値検出用の電圧を印加する信号経路が、前記単一のデータ線に、選択的に接続されるように構成されていることを特徴とする請求項３１記載の表示装置。
【請求項３３】
前記表示装置は、前記表示画素の各々に所定の供給電圧を印加する電源駆動部を、さらに備え、
前記電源駆動部は、所定のタイミングで前記表示パネルの各行ごとの前記表示画素に、前記供給電圧を順次印加して、各行ごとに前記表示画素を発光動作状態に設定することを特徴とする請求項２２乃至３２のいずれかに記載の表示装置。
【請求項３４】
前記表示装置は、前記表示画素の各々に所定の供給電圧を印加する電源駆動部を、さらに備え、
前記電源駆動部は、前記表示パネルに配列された前記複数の表示画素を、複数行ごとにグループ分けした各グループごとの前記表示画素に、所定のタイミングで前記供給電圧を順次印加して、各グループごとに前記表示画素を発光動作状態に設定することを特徴とする請求項２２乃至３２のいずれかに記載の表示装置。
【請求項３５】
前記表示装置は、タイミング制御信号を供給することにより、少なくとも前記選択駆動部及び前記データ駆動部の各々を所定のタイミングで動作させる駆動制御部を、さらに備え、
前記駆動制御部は、前記選択駆動部及び前記データ駆動部により、前記表示パネルに配列された全ての前記表示画素に、前記表示データに応じた前記階調信号を個別に供給し、前記表示画素の各々に設けられた前記発光素子を当該表示データに応じた輝度階調で所定のタイミングで発光動作させる動作期間中に、前記表示パネルの特定の行の前記発光駆動素子に固有のしきい値電圧を検出するための前記タイミング制御信号を生成する手段を有していることを特徴とする請求項２２乃至３４のいずれかに記載の表示装置。
【請求項３６】
前記駆動制御部は、前記選択駆動部及び前記データ駆動部により、前記動作期間ごとに異なる行の前記表示画素について、前記発光駆動素子に固有のしきい値電圧を検出するための前記タイミング制御信号を生成する手段を有していることを特徴とする請求項３５記載の表示装置。
【請求項３７】
前記駆動制御部は、前記選択駆動部及び前記データ駆動部により、前記動作期間ごとに隣接する行の前記表示画素について、前記発光駆動素子に固有のしきい値電圧を検出する動作を順次繰り返すための前記タイミング制御信号を生成する手段を有していることを特徴とする請求項３５記載の表示装置。
【請求項３８】
前記駆動制御部は、前記電源駆動部により、前記表示画素を発光動作状態に設定するための前記タイミング制御信号を生成する手段を有していることを特徴とする請求項３５乃至３７のいずれかに記載の表示装置。
【請求項３９】
前記表示画素の各々は、前記発光素子の発光動作を制御する発光駆動回路を備え、
前記発光駆動回路は、少なくとも、電流路の一端に前記供給電圧が印加され、該電流路の他端に前記発光素子との接続接点が接続された第１のスイッチ手段と、制御端子が前記選択線に接続され、電流路の一端に前記供給電圧が印加され、該電流路の他端に前記第１のスイッチ手段の制御端子が接続された第２のスイッチ手段と、制御端子が前記選択線に接続され、電流路の一端に前記データ線が接続され、該電流路の他端に前記接続接点が接続された第３のスイッチ手段と、を備え、
前記発光駆動素子は、前記第１のスイッチ手段であり、
前記検出用電圧印加手段は、前記第１のスイッチ手段の前記制御端子と前記接続接点との間に、前記しきい値検出用の電圧を印加し、
前記しきい値電圧検出手段は、前記第１のスイッチ手段の前記制御端子と前記接続接点との間の電位を、前記しきい値電圧として検出し、
前記階調信号生成手段は、前記第１のスイッチ手段の前記制御端子と前記接続接点との間に、前記階調電圧と前記補償電圧とに基づく電圧成分を、前記階調信号として印加することを特徴とする請求項２３乃至３８のいずれかに記載の表示装置。
【請求項４０】
前記第１乃至第３のスイッチ手段は、アモルファスシリコンからなる半導体層を備えた電界効果型トランジスタであることを特徴とする請求項３９記載の表示装置。
【請求項４１】
前記発光素子は、有機エレクトロルミネッセンス素子であることを特徴とする請求項２２乃至４０のいずれかに記載の表示装置。
【請求項４２】
行方向及び列方向に配設された複数の選択線及びデータ線の各交点に、電流制御型の発光素子と該発光素子に発光駆動電流を供給する発光駆動素子とを備えた複数の表示画素が配列された表示パネルを備え、所定のタイミングで前記選択線を介して、前記表示パネルの各行ごとの前記表示画素に選択信号を順次印加して選択状態に設定するタイミングに同期して、前記データ線を介して、所望の画像情報を表示するための表示データに応じた階調信号を供給することにより、前記表示画素を所定の輝度階調で発光動作させて、前記表示パネルに前記所望の画像情報を表示する表示装置の駆動制御方法において、
少なくとも、
前記表示画素の各々に設けられ、前記階調信号に基づいて所定の電流値を有する発光駆動電流を前記発光素子に供給する発光駆動素子に、当該発光駆動素子に固有のしきい値電圧よりも高電位のしきい値検出用の電圧を個別に印加する検出用電圧印加ステップと、
前記しきい値電圧検出用の電圧に対応する電荷の一部が放電されて収束した後の電圧を、前記発光駆動素子の前記しきい値電圧として個別に検出し、当該しきい値電圧に関連付けられたしきい値データとして、前記表示画素ごとに記憶手段に記憶するしきい値電圧検出ステップと、
前記記憶手段に記憶された前記しきい値データに基づいて、前記表示画素ごとの前記発光駆動素子の前記しきい値電圧を補償する補償電圧を個別に生成する補償電圧生成ステップと、
前記表示画素ごとの前記発光素子を所定の輝度階調で発光動作させるための所定の電圧値を有する階調電圧を個別に生成する階調電圧生成ステップと、
前記階調電圧と前記補償電圧とに基づく電圧成分からなる前記階調信号を、前記データ線を介して前記表示画素の各々に個別に供給し、当該階調信号に基づく電圧成分を、前記表示画素ごとの前記発光駆動素子に保持させるデータ書込みステップと、
前記各表示画素の発光駆動素子に保持された前記電圧成分に基づいて生成された前記発光駆動電流を前記発光素子の各々に供給して、当該発光素子を所定の輝度階調で発光動作させる階調発光ステップと、
を含むことを特徴とする表示装置の駆動制御方法。
【請求項４３】
前記検出用電圧印加ステップ及び前記しきい値電圧検出ステップは、少なくとも、前記表示パネルに配列された全ての前記表示画素に対して、前記階調信号を個別に供給し、所定のタイミングで前記表示画素を当該表示データに応じた輝度階調で発光動作させる一定の動作期間中に、前記表示パネルの特定の行の前記表示画素について実行されることを特徴とする請求項４２記載の表示装置の駆動制御方法。
【請求項４４】
前記検出用電圧印加ステップ及び前記しきい値電圧検出ステップは、前記データ書込ステップ及び前記階調発光ステップに先立つ任意のタイミングで、前記表示パネルに配列された全ての前記表示画素について実行されることを特徴とする請求項４２又は４３記載の表示装置の駆動制御方法。
【請求項４５】
前記検出用電圧印加ステップ及び前記しきい値電圧検出ステップは、前記表示パネルに配列された前記表示画素に対して、各行ごとに順次実行されることを特徴とする請求項４４記載の表示装置の駆動制御方法。
【請求項４６】
前記検出用電圧印加ステップ及び前記しきい値電圧検出ステップは、前記一定の動作期間ごとに異なる行の前記表示画素について実行されることを特徴とする請求項４３記載の表示装置の駆動制御方法。
【請求項４７】
前記検出用電圧印加ステップ及び前記しきい値電圧検出ステップは、前記一定の動作期間ごとに隣接する行の前記表示画素について順次実行されることを特徴とする請求項４３記載の表示装置の駆動制御方法。
【請求項４８】
前記データ書込ステップは、前記表示パネルに配列された前記複数の表示画素に対して、各行ごとに順次実行され、前記階調発光ステップは、前記データ書込ステップが終了した行から順次実行されることを特徴とする請求項４２乃至４７のいずれかに記載の表示装置の駆動制御方法。
【請求項４９】
前記データ書込ステップは、前記表示パネルに配列された前記複数の表示画素を、複数行ごとにグループ分けした各グループごとに順次実行され、前記階調発光ステップは、前記データ書込ステップが終了した前記グループから順次実行されることを特徴とする請求項４２乃至４７のいずれかに記載の表示装置の駆動制御方法。
【請求項５０】
前記データ書込みステップは、前記発光素子を無発光動作させる場合には、所定の電圧値を有する無発光表示電圧を含む前記階調信号を生成して前記表示画素に供給することにより、当該表示画素の前記発光駆動素子に、少なくとも前記しきい値電圧以下の前記電圧成分を保持させることを特徴とする請求項４２乃至４９のいずれかに記載の表示装置の駆動制御方法。
【請求項５１】
少なくとも、前記検出用電圧印加ステップと、前記しきい値電圧検出ステップと、前記データ書込ステップと、を前記表示画素の各々に対応して設けられた単一の前記データ線を介して選択的に実行することを特徴とする請求項４２乃至５０のいずれかに記載の表示装置の駆動制御方法。
【発明の詳細な説明】
【技術分野】
【０００１】
本発明は、表示駆動装置及びその駆動制御方法、並びに、表示装置及びその駆動制御方法に関し、特に、表示データに応じた電流を供給することにより所定の輝度階調で発光する電流制御型（又は、電流駆動型）の発光素子を、複数配列してなる表示パネル（表示画素アレイ）に適用可能な表示駆動装置及びその駆動制御方法、並びに、該表示駆動装置を備えた表示装置及びその表示装置の駆動制御方法に関する。
【背景技術】
【０００２】
近年、パーソナルコンピュータや映像機器のモニタやディスプレイとして、軽量薄型で低消費電力の表示デバイスの普及が著しい。特に、液晶表示装置（ＬＣＤ）は、近年普及が著しい携帯電話やデジタルカメラ、携帯情報端末（ＰＤＡ）、電子辞書等の携帯機器（モバイル機器）の表示デバイスとして広く適用されている。
【０００３】
このような液晶表示装置に続く次世代の表示デバイスとして、有機エレクトロルミネッセンス素子（有機ＥＬ素子）や無機エレクトロルミネッセンス素子（無機ＥＬ素子）、あるいは、発光ダイオード（ＬＥＤ）等のような発光素子（自己発光型の光学要素）を、マトリクス状に配列した表示パネルを備えた発光素子型の表示デバイス（発光素子型ディスプレイ）の本格的な普及に向けた研究開発が盛んに行われている。
【０００４】
特に、アクティブマトリックス駆動方式を適用した発光素子型ディスプレイは、上述した液晶表示装置に比較して、表示応答速度が速く、また、視野角依存性もなく、高輝度・高コントラスト化、表示画質の高精細化等が可能であるとともに、液晶表示装置のようにバックライトを必要としないので、一層の薄型軽量化や低消費電力化が可能である、という携帯機器への適用に極めて優位な特徴を有している。
【０００５】
そして、このような発光素子型ディスプレイにおいては、発光素子の動作（発光状態）を制御するための駆動制御機構や制御方法が種々提案されている。例えば、特許文献１等には、表示パネルを構成する各表示画素ごとに、上記発光素子に加えて、該発光素子を発光駆動制御するための複数のスイッチング素子からなる駆動回路（発光駆動回路）を備えた構成が記載されている。
【０００６】
以下、従来技術における発光駆動回路を備えた表示画素について簡単に説明する。
図３５は、従来技術における発光素子型ディスプレイの要部を示す概略構成図であり、図３６は、従来技術における発光素子型ディスプレイに適用可能な表示画素（発光駆動回路及び発光素子）の要部構成例を示す等価回路図である。
【０００７】
従来技術におけるアクティブマトリクス型の発光素子型ディスプレイ（有機ＥＬ表示装置）は、概略、図３５に示すように、行、列方向に配設された複数の走査ライン（選択ライン）ＳＬｐ及びデータライン（信号ライン）ＤＬｐの各交点近傍に、複数の表示画素ＥＭｐがマトリクス状に配置された表示パネル１１０Ｐと、各走査ラインＳＬｐに接続された走査ドライバ（走査線駆動回路）１２０Ｐと、各データラインＤＬｐに接続されたデータドライバ（データ線駆動回路）１３０Ｐと、を備え、データドライバ１３０Ｐにおいて表示データに応じた階調信号（後述する階調電流Ｉpix）を生成して、各データラインＤＬｐを介して各表示画素ＥＭｐに供給する構成を有している。
【０００８】
ここで、特許文献１等に記載された表示画素ＥＭｐは、図３６に示すように、相互に並行して配設された一対の走査ラインＳＬｐ１、ＳＬｐ２とデータラインＤＬｐとの各交点近傍に、ゲート端子が走査ラインＳＬｐ１に、ソース端子及びドレイン端子がデータラインＤＬｐ及び接点Ｎ１１１に各々接続された薄膜トランジスタＴｒ１１１と、ゲート端子が走査ラインＳＬｐ２に、ソース端子及びドレイン端子が接点Ｎ１１１及び接点Ｎ１２２に各々接続された薄膜トランジスタＴｒ１１２と、ゲート端子が接点Ｎ１１２に、ドレイン端子が接点Ｎ１１１に各々接続され、ソース端子に高電源電圧Ｖddが印加された薄膜トランジスタＴｒ１１３と、ゲート端子が接点Ｎ１１２に接続され、ソース端子に高電源電圧Ｖddが印加された薄膜トランジスタＴｒ１１４と、を備えた発光駆動回路ＤＰ１、及び、階発光駆動回路ＤＰ１の薄膜トランジスタＴｒ１１４のドレイン端子にアノード端子が接続され、カソード端子に接地電位が印加された有機ＥＬ素子ＯＥＬを有して構成されている。
【０００９】
ここで、図３６において、薄膜トランジスタＴｒ１１１はｎチャネル型の電界効果型トランジスタにより構成され、薄膜トランジスタＴｒ１１２乃至Ｔｒ１１４はｐチャネル型の電界効果型トランジスタにより構成されている。また、ＣＰ１は、薄膜トランジスタＴｒ１１３及びＴｒ１１４のゲート−ソース間に形成される寄生容量である。
【００１０】
そして、このような構成を有する発光駆動回路ＤＰ１においては、薄膜トランジスタＴｒ１１１乃至Ｔｒ１１４からなる４個のトランジスタ（スイッチング手段）を所定のタイミングでオン、オフ制御することにより、以下に示すように、有機ＥＬ素子ＯＥＬを発光制御する。
【００１１】
すなわち、発光駆動回路ＤＰ１において、走査ドライバ１２０Ｐにより、走査ラインＳＬｐ１にハイレベルの走査信号Ｖsel1を、走査ラインＳＬｐ２にローレベルの走査信号Ｖsel2を各々印加して表示画素を選択状態に設定すると、薄膜トランジスタＴｒ１１１、Ｔｒ１１２及びＴｒ１１３がオン動作して、データドライバ１３０ＰによりデータラインＤＬｐに供給された、表示データに応じた階調電流Ｉpixが薄膜トランジスタＴｒ１１１及びＴｒ１１３を介して流れる。このとき、Ｔｒ１１２によりＴｒ１１３のゲート・ドレイン間が電気的に短絡されているため、Ｔｒ１１３は飽和領域で動作する。これにより、該階調電流Ｉpixの電流レベルが薄膜トランジスタＴｒ１１３により電圧レベルに変換されてゲート−ソース間に所定の電圧が生じる（書込動作）。この薄膜トランジスタＴｒ１１３のゲート−ソース間に生じた電圧に応じて薄膜トランジスタＴｒ１１４がオン動作して、高電源電圧Ｖddから所定の発光駆動電流が薄膜トランジスタＴｒ１１４及び有機ＥＬ素子ＯＥＬを介して接地電位に流れ、有機ＥＬ素子ＯＥＬが発光する（発光動作）。
【００１２】
次いで、例えば、走査ラインＳＬｐ２にハイレベルの走査信号Ｖsel2を印加すると、薄膜トランジスタＴｒ１１２がオフ動作することにより、薄膜トランジスタＴｒ１１３のゲート−ソース間に生じた電圧が寄生容量ＣＰ１により保持され、次に、走査ラインＳＬｐ１にローレベルの走査信号Ｖsel1を印加すると、薄膜トランジスタＴｒ１１１がオフ動作することにより、データラインＤＬｐと発光駆動回路ＤＰ１とが電気的に遮断される。これにより、上記寄生容量ＣＰ１に保持された電圧に基づく電位差により、薄膜トランジスタＴｒ１１４が継続してオン動作し、高電源電圧Ｖddから所定の発光駆動電流が薄膜トランジスタＴｒ１１４及び有機ＥＬ素子ＯＥＬを介して接地電位に流れ、有機ＥＬ素子ＯＥＬの発光動作が継続される。
【００１３】
ここで、薄膜トランジスタＴｒ１１４を介して有機ＥＬ素子ＯＥＬに供給される発光駆動電流は、表示データの輝度階調に基づいた電流値になるように制御され、この発光動作は、次の表示データに応じた階調電流が各表示画素に書き込まれるまで、例えば、１フレーム期間継続されるように制御される。
【００１４】
このような回路構成を有する発光駆動回路ＤＰ１における駆動制御方法は、各表示画素ＥＭｐ（薄膜トランジスタＴｒ１１３のソース−ドレイン間）に表示データに応じた電流値を指定した階調電流Ｉpixを供給し、該電流値に応じて保持される電圧に基づいて、有機ＥＬ素子ＯＥＬに流す発光駆動電流を制御して、所定の輝度階調で発光動作させていることから、電流階調指定方式（又は、電流階調印加方式）と呼ばれている。
【００１５】
【特許文献１】特開２００１−１４７６５９号公報  （第７頁〜第８頁、図１）
【発明の開示】
【発明が解決しようとする課題】
【００１６】
しかしながら、上述したような電流階調指定方式を採用した発光駆動回路においては、以下に示すような問題を有していた。
（１）すなわち、最下位又は比較的輝度の低い表示データに応じた階調電流を各表示画素に書き込む場合（低階調表示時）、表示データの輝度階調に対応した小さい電流値の信号電流を各表示画素に供給する必要がある。
【００１７】
ここで、各表示画素に表示データ（階調電流）を書き込む動作は、データラインに寄生する容量成分（配線容量及び表示画素を構成する保持容量）を所定の電圧まで充電することに相当するため、例えば、表示パネルの大型化等によりデータラインの配線長が長くなるとともに、当該データラインに接続される表示画素の数が増加した場合、階調電流の電流値が小さくなるほど（すなわち、低階調表示時ほど）、データラインの充電時間が長くなって、表示画素への書込動作に長時間を要するようになり、予め設定された（規定の）書込時間では表示画素に書き込まれる表示データが充分安定した状態（飽和状態）に達しない、いわゆる、書込不足が生じる。これにより、表示データに応じた適切な輝度階調で発光動作することができない表示画素が発生して、表示パネル内で輝度差が生じて表示画質の劣化を招くという問題を有していた。
【００１８】
（２）また、表示パネルを高精細化するために、表示パネルに配設される走査ラインの数を増加させて、各走査ラインの選択期間（すなわち、書込時間）を短く設定した場合においても、階調電流の電流値が小さくなるほど、各表示画素への十分な書込動作が行われなくなり、書込不足が発生して表示画質の劣化を招いたり、表示パネルの高精細化が制約されるという問題を有していた。
【００１９】
（３）さらに、電流階調指定方式を採用した発光駆動回路は、上述した回路構成のほかに、種々知られているが、例えば、発光駆動回路を構成する全てのスイッチング素子を、単一のチャネル型の薄膜トランジスタを用いて構成した場合、製造プロセスが簡易で動作特性（電子移動度）が均一なアモルファスシリコン薄膜トランジスタを適用することができるが、アモルファスシリコン薄膜トランジスタは、一般に駆動履歴によるしきい値電圧の変動（Ｖthシフト）が顕著に生じることが知られている。
【００２０】
そのため、発光駆動用のスイッチング素子のしきい値電圧の変動により、発光素子に供給される発光駆動電流の電流値が、表示データに対応しなくなり、適切な輝度階調で発光動作することができなくなる。このしきい値電圧の変動は、各表示画素（発光素子）の発光履歴（薄膜トランジスタの駆動履歴）に起因するものであるため、各表示画素ごとに発光特性にバラツキが生じ、表示画質の劣化を招くという問題も有していた。
【００２１】
そこで、本発明は、上述した問題点に鑑み、表示データに対応した適切な電流値を有する発光駆動電流を供給することにより、表示データに応じた適切な輝度階調で発光素子を発光駆動させることができる表示駆動装置及びその駆動制御方法を提供し、以て、表示画質が良好かつ均質な表示装置及びその駆動制御方法を提供することを目的とする。
【課題を解決するための手段】
【００２２】
請求項１記載の発明は、電流制御型の発光素子と該発光素子に発光駆動電流を供給する発光駆動素子とを備えた表示画素に、階調信号を供給することにより、前記発光素子を所定の輝度階調で発光動作させる表示駆動装置において、少なくとも、前記発光素子を所定の輝度階調で発光動作させるための所定の電圧値を有する階調電圧を生成する階調電圧生成手段と、前記表示画素に設けられた前記発光駆動素子に固有のしきい値電圧を検出するしきい値電圧検出手段と、前記しきい値電圧検出手段により検出された前記しきい値電圧に関連付けられたしきい値データを記憶する記憶手段と、前記記憶手段に記憶された前記しきい値データに基づいて、前記発光駆動素子の前記しきい値電圧を補償する補償電圧を生成する補償電圧生成手段と、前記階調電圧と前記補償電圧とに基づく電圧成分を、前記階調信号として前記表示画素に供給する階調信号生成手段と、を備えることを特徴とする。
【００２３】
請求項２記載の発明は、請求項１記載の表示駆動装置において、前記表示駆動装置は、前記発光駆動素子に前記しきい値電圧よりも高電位のしきい値検出用の電圧を印加する検出用電圧印加手段を、さらに備え、前記しきい値電圧検出手段は、前記しきい値電圧検出用の電圧が前記発光駆動素子に印加され、該しきい値電圧検出用の電圧に対応する電荷の一部が放電されて収束した後の電圧を、前記発光駆動素子の前記しきい値電圧として検出することを特徴とする。
【００２４】
請求項３記載の発明は、項１又は２記載の表示駆動装置において、前記補償電圧生成手段は、前記記憶手段に記憶された前記しきい値データに基づいて、前記発光駆動素子の前記しきい値電圧相当の電圧成分からなる前記補償電圧を生成することを特徴とする請求。
請求項４記載の発明は、請求項２又は３記載の表示駆動装置において、前記表示画素に設けられる前記発光駆動素子は、前記発光素子に前記発光駆動電流を流す電流路と、前記発光駆動電流の供給状態を制御する制御端子を備え、前記検出用電圧印加手段は、前記発光駆動素子の前記制御端子と前記電流路の一端側との間に、前記しきい値検出用の電圧を印加し、前記しきい値電圧検出手段は、前記電流路に電流が流れなくなったときの前記発光駆動素子の前記制御端子と前記電流路の一端側との間の電位差を、前記しきい値電圧として検出することを特徴とする。
【００２５】
請求項５記載の発明は、請求項４記載の表示駆動装置において、前記階調信号生成手段は、前記発光駆動素子の前記制御端子と前記電流路の一端側との間に、前記階調電圧と前記補償電圧とに基づく電圧成分を、前記階調信号として印加することを特徴とする。
請求項６記載の発明は、請求項１乃至５のいずれかに記載の表示駆動装置において、前記しきい値電圧検出手段は、アナログ信号として検出した前記発光駆動素子の前記しきい値電圧を、デジタル信号に変換する手段を備え、前記記憶手段は、前記デジタル信号に変換された前記しきい値電圧を、前記しきい値データとして記憶することを特徴とする。
【００２６】
請求項７記載の発明は、請求項６記載の表示駆動装置において、前記補償電圧生成手段は、前記記憶手段にデジタル信号として記憶された前記しきい値データに基づいて、前記発光駆動素子の前記しきい値電圧を補償するアナログ信号からなる前記補償電圧を生成する手段を備えていることを特徴とする。
請求項８記載の発明は、請求項１乃至７のいずれかに記載の表示駆動装置において、前記階調電圧生成手段は、前記階調電圧として、前記発光素子を無発光動作させるための所定の電圧値を有する無発光表示電圧を生成する手段を備えていることを特徴とする。
【００２７】
請求項９記載の発明は、請求項１乃至８のいずれかに記載の表示駆動装置において、前記表示駆動装置は、所定の配列で複数個設けられた前記表示画素に対して、前記階調電圧を生成するための輝度階調データを、順次個別に取り込み、保持するデータ取得手段を、さらに備え、前記階調電圧生成手段は、前記データ取得手段に保持された前記複数の表示画素ごとの前記輝度階調データに応じた前記階調電圧を生成し、前記階調信号生成手段は、前記複数の表示画素の各々に対して、前記階調電圧と前記補償電圧とに基づく電圧成分からなる前記階調信号を個別に供給することを特徴とする。
【００２８】
請求項１０記載の発明は、請求項１乃至９のいずれかに記載の表示駆動装置において、前記表示駆動装置は、所定の配列で複数個設けられた前記表示画素から検出された前記しきい値電圧に関連付けられた前記しきい値データを、個別に取り込み、順次転送するしきい値取得手段を、さらに備え、前記記憶手段は、前記しきい値取得手段から転送された前記複数の表示画素ごとの前記しきい値電圧に関連付けられた前記しきい値データを、前記複数の表示画素の各々に対応させて個別に記憶することを特徴とする。
【００２９】
請求項１１記載の発明は、請求項１０記載の表示駆動装置において、前記データ取得手段と前記しきい値取得手段は、前記輝度階調データを順次個別に取り込む構成と、前記しきい値データを個別に取り込み、順次転送する構成とが、共用化されていることを特徴とする。
【００３０】
請求項１２記載の発明は、請求項１乃至１１のいずれかに記載の表示駆動装置において、前記表示駆動装置は、少なくとも、前記しきい値電圧検出手段により前記表示画素の前記しきい値電圧を検出する信号経路、及び、前記階調信号生成手段により当該表示画素に前記階調信号を供給する信号経路と、当該表示画素に対応して設けられた単一のデータ線との接続を、選択的に切り換え制御する信号経路切換手段を備えることを特徴とする。
【００３１】
請求項１３記載の発明は、請求項１２記載の表示駆動装置において、前記表示駆動装置は、さらに、前記検出用電圧印加手段により前記表示画素に前記しきい値検出用の電圧を印加する信号経路が、前記単一のデータ線に、選択的に接続されるように構成されていることを特徴とする。
【００３２】
請求項１４記載の発明は、において、電流制御型の発光素子と該発光素子に発光駆動電流を供給する発光駆動素子とを備えた表示画素に、階調信号を供給することにより、前記発光素子を所定の輝度階調で発光動作させる表示駆動装置の駆動制御方法において、少なくとも、前記発光駆動素子に固有のしきい値電圧を検出し、当該しきい値電圧に関連付けられたしきい値データとして記憶手段に記憶する第１のステップと、前記記憶手段に記憶された前記しきい値データに基づいて、前記発光駆動素子の前記しきい値電圧を補償する補償電圧を生成する第２のステップと、前記発光素子を所定の輝度階調で発光動作させるための所定の電圧値を有する階調電圧を生成する第３のステップと、前記補償電圧と前記階調電圧とに基づく電圧成分を、前記階調信号として前記表示画素に供給し、当該階調信号に基づく電圧成分を前記発光駆動素子に保持させる第４のステップと、を含むことを特徴とする。
【００３３】
請求項１５記載の発明は、請求項１４記載の表示駆動装置の駆動制御方法において、前記第１のステップは、前記第２のステップ乃至前記第４のステップに先立つ任意のタイミングで実行されることを特徴とする。
請求項１６記載の発明は、請求項１４又は１５記載の表示駆動装置の駆動制御方法において、前記第１のステップは、前記発光駆動素子に前記しきい値電圧よりも高電位のしきい値検出用の電圧を印加するステップと、当該しきい値電圧検出用の電圧に対応する電荷の一部が放電されて収束した後の電圧を、前記発光駆動素子の前記しきい値電圧として検出するステップと、を含むことを特徴とする。
【００３４】
請求項１７記載の発明は、請求項１６記載の表示駆動装置の駆動制御方法において、前記第１のステップは、アナログ信号として検出した前記発光駆動素子の前記しきい値電圧をデジタル信号に変換して生成される前記しきい値データを前記記憶手段に記憶するステップをさらに含むことを特徴とする。
【００３５】
請求項１８記載の発明は、請求項１７記載の表示駆動装置の駆動制御方法において、前記第２のステップは、前記記憶手段にデジタル信号として記憶された前記しきい値データに基づいて、前記発光駆動素子の前記しきい値電圧を補償するアナログ信号からなる前記補償電圧を生成することを特徴とする。
【００３６】
請求項１９記載の発明は、請求項１４乃至１８のいずれかに記載の表示駆動装置の駆動制御方法において、前記第３のステップは、前記発光素子を無発光動作させる場合には、前記階調信号として所定の電圧値を有する無発光表示電圧を生成し、前記第４のステップは、前記無発光表示電圧を含む前記階調信号を前記表示画素に供給することにより、少なくとも当該発光駆動素子の前記しきい値電圧以下の前記電圧成分を、前記発光駆動素子に保持させることを特徴とする。
【００３７】
請求項２０記載の発明は、請求項１４乃至１９のいずれかに記載の表示駆動装置の駆動制御方法において、少なくとも、前記第１のステップにおいて前記表示画素の前記しきい値電圧を検出する動作と、前記第４のステップにおいて当該表示画素に前記階調信号を供給する動作と、を当該表示画素に対応して設けられた単一のデータ線を介して選択的に実行することを特徴とする。
【００３８】
請求項２１記載の発明は、請求項２０記載の表示駆動装置の駆動制御方法において、さらに、前記第１のステップにおいて前記表示画素に前記しきい値検出用の電圧を印加する動作を、当該表示画素に対応して設けられた単一のデータ線を介して選択的に実行することを特徴とする。
【００３９】
請求項２２記載の発明は、行方向及び列方向に配設された複数の選択線及びデータ線の各交点に、電流制御型の発光素子と該発光素子に発光駆動電流を供給する発光駆動素子とを備えた複数の表示画素が配列された表示パネルを備えた表示装置において、所定のタイミングで前記表示パネルの各行ごとの前記表示画素に選択信号を順次印加して、選択状態に設定する選択駆動部と、所望の画像情報を表示するための表示データに応じた階調信号を生成し、前記選択状態に設定された行の前記表示画素に供給するデータ駆動部と、を備え、前記データ駆動部は、少なくとも、前記各表示画素の前記発光駆動素子に固有のしきい値電圧を個別に検出するしきい値電圧検出手段と、前記しきい値電圧検出手段により検出された前記しきい値電圧に関連付けられたしきい値データを、前記表示画素ごとに記憶する記憶手段と、前記記憶手段に記憶された前記しきい値データに基づいて、前記表示画素ごとの前記発光駆動素子の前記しきい値電圧を補償する補償電圧を生成する補償電圧生成手段と、前記発光素子を所定の輝度階調で発光動作させるための所定の電圧値を有する階調電圧を生成する階調電圧生成手段と、前記階調電圧と前記補償電圧とに基づく電圧成分を、前記データ線を介して前記階調信号として前記表示画素の各々に個別に供給する階調信号生成手段と、を有することを特徴とする。
【００４０】
請求項２３記載の発明は、請求項２２記載の表示装置において、前記データ駆動部は、前記表示画素の前記発光駆動素子に前記しきい値電圧よりも高電位のしきい値検出用の電圧を個別に印加する検出用電圧印加手段を、さらに備え、前記しきい値電圧検出手段は、前記しきい値電圧検出用の電圧が前記発光駆動素子に印加され、該しきい値電圧検出用の電圧に対応する電荷の一部が放電されて収束した後の電圧を、前記発光駆動素子のしきい値電圧として個別に検出することを特徴とする。
【００４１】
請求項２４記載の発明は、請求項２２又は２３記載の表示装置において、前記補償電圧生成手段は、前記記憶手段に記憶された前記しきい値データに基づいて、前記発光駆動素子に前記しきい値電圧相当の電圧成分を保持させるための前記補償電圧を個別に生成することを特徴とする。
【００４２】
請求項２５記載の発明は、請求項２３又は２４記載の表示装置において、前記表示画素の各々に設けられる前記発光駆動素子は、前記発光素子に前記発光駆動電流を流す電流路と、前記発光駆動電流の供給状態を制御する制御端子を備え、前記検出用電圧印加手段は、前記発光駆動素子の前記制御端子と前記電流路の一端側との間に、前記しきい値検出用の電圧を印加し、前記しきい値電圧検出手段は、前記電流路に電流が流れなくなったときの前記発光駆動素子の前記制御端子と前記電流路の一端側との間の電位差を、前記しきい値電圧として検出することを特徴とする。
【００４３】
請求項２６記載の発明は、請求項２５記載の表示装置において、前記階調信号生成手段は、前記発光駆動素子の前記制御端子と前記電流路の一端側との間に、前記階調電圧と前記補償電圧とに基づく電圧成分を、前記階調信号として印加することを特徴とする。
請求項２７記載の発明は、請求項２２乃至２６のいずれかに記載の表示装置において、前記しきい値電圧検出手段は、アナログ信号として検出した前記発光駆動素子のしきい値電圧を、デジタル信号に変換して、前記しきい値データを生成する手段を備え、前記補償電圧生成手段は、前記記憶手段にデジタル信号として記憶された前記しきい値データに基づいて、前記発光駆動素子の前記しきい値電圧を補償するアナログ信号からなる前記補償電圧を生成する手段を備えていることを特徴とする。
【００４４】
請求項２８記載の発明は、請求項２２乃至２７のいずれかに記載の表示装置において、前記階調電圧生成手段は、前記階調電圧として、前記発光素子を無発光動作させるための所定の電圧値を有する無発光表示電圧を生成する手段を備えていることを特徴とする。
請求項２９記載の発明は、請求項２２乃至２８のいずれかに記載の表示装置において、前記データ駆動部は、前記表示画素の各々から検出された前記しきい値電圧に関連付けられた前記しきい値データを、個別に取り込み、順次転送するしきい値取得手段と、前記表示画素の各々に対して、前記階調電圧を生成するための輝度階調データを、順次個別に取り込み、保持するデータ取得手段と、を、さらに備え、前記記憶手段は、前記しきい値取得手段から転送された前記複数の表示画素ごとの前記しきい値データを、前記複数の表示画素の各々に対応させて個別に記憶し、前記階調電圧生成手段は、前記データ取得手段に保持された前記複数の表示画素ごとの前記輝度階調データに応じた前記階調電圧を生成し、前記階調信号生成手段は、前記複数の表示画素の各々に対して、前記階調電圧と前記補償電圧とに基づく電圧成分からなる前記階調信号を個別に供給することを特徴とする。
【００４５】
請求項３０記載の発明は、請求項２９記載の表示装置において、前記データ取得手段と前記しきい値取得手段は、前記輝度階調データを順次個別に取り込む構成と、前記しきい値データを個別に取り込み、順次転送する構成とが、共用化されていることを特徴とする。
【００４６】
請求項３１記載の発明は、請求項２２乃至３０のいずれかに記載の表示装置において、前記データ駆動部は、少なくとも、前記しきい値電圧検出手段により前記表示画素の前記しきい値電圧を検出する信号経路、及び、前記階調信号生成手段により当該表示画素に前記階調信号を供給する信号経路と、当該表示画素に対応して設けられた単一のデータ線との接続を、選択的に切り換え制御する信号経路切換手段を備えることを特徴とする。
【００４７】
請求項３２記載の発明は、請求項３１記載の表示装置において、前記データ駆動部は、さらに、前記検出用電圧印加手段により前記表示画素に前記しきい値検出用の電圧を印加する信号経路が、前記単一のデータ線に、選択的に接続されるように構成されていることを特徴とする。
【００４８】
請求項３３記載の発明は、請求項２２乃至３２のいずれかに記載の表示装置において、前記表示装置は、前記表示画素の各々に所定の供給電圧を印加する電源駆動部を、さらに備え、前記電源駆動部は、所定のタイミングで前記表示パネルの各行ごとの前記表示画素に、前記供給電圧を順次印加して、各行ごとに前記表示画素を発光動作状態に設定することを特徴とする。
【００４９】
請求項３４記載の発明は、請求項２２乃至３２のいずれかに記載の表示装置において、前記表示装置は、前記表示画素の各々に所定の供給電圧を印加する電源駆動部を、さらに備え、前記電源駆動部は、前記表示パネルに配列された前記複数の表示画素を、複数行ごとにグループ分けした各グループごとの前記表示画素に、所定のタイミングで前記供給電圧を順次印加して、各グループごとに前記表示画素を発光動作状態に設定することを特徴とする。
【００５０】
請求項３５記載の発明は、請求項２２乃至３４のいずれかに記載の表示装置において、前記表示装置は、タイミング制御信号を供給することにより、少なくとも前記選択駆動部及び前記データ駆動部の各々を所定のタイミングで動作させる駆動制御部を、さらに備え、前記駆動制御部は、前記選択駆動部及び前記データ駆動部により、前記表示パネルに配列された全ての前記表示画素に、前記表示データに応じた前記階調信号を個別に供給し、前記表示画素の各々に設けられた前記発光素子を当該表示データに応じた輝度階調で所定のタイミングで発光動作させる動作期間中に、前記表示パネルの特定の行の前記発光駆動素子に固有のしきい値電圧を検出するための前記タイミング制御信号を生成する手段を有していることを特徴とする。
【００５１】
請求項３６記載の発明は、請求項３５記載の表示装置において、前記駆動制御部は、前記選択駆動部及び前記データ駆動部により、前記動作期間ごとに異なる行の前記表示画素について、前記発光駆動素子に固有のしきい値電圧を検出するための前記タイミング制御信号を生成する手段を有していることを特徴とする。
【００５２】
請求項３７記載の発明は、請求項３５記載の表示装置において、前記駆動制御部は、前記選択駆動部及び前記データ駆動部により、前記動作期間ごとに隣接する行の前記表示画素について、前記発光駆動素子に固有のしきい値電圧を検出する動作を順次繰り返すための前記タイミング制御信号を生成する手段を有していることを特徴とする。
【００５３】
請求項３８記載の発明は、請求項３５乃至３７のいずれかに記載の表示装置において、前記駆動制御部は、前記電源駆動部により、前記表示画素を発光動作状態に設定するための前記タイミング制御信号を生成する手段を有していることを特徴とする。
請求項３９記載の発明は、請求項２３乃至３８のいずれかに記載の表示装置において、前記表示画素の各々は、前記発光素子の発光動作を制御する発光駆動回路を備え、前記発光駆動回路は、少なくとも、電流路の一端に前記供給電圧が印加され、該電流路の他端に前記発光素子との接続接点が接続された第１のスイッチ手段と、制御端子が前記選択線に接続され、電流路の一端に前記供給電圧が印加され、該電流路の他端に前記第１のスイッチ手段の制御端子が接続された第２のスイッチ手段と、制御端子が前記選択線に接続され、電流路の一端に前記データ線が接続され、該電流路の他端に前記接続接点が接続された第３のスイッチ手段と、を備え、前記発光駆動素子は、前記第１のスイッチ手段であり、前記検出用電圧印加手段は、前記第１のスイッチ手段の前記制御端子と前記接続接点との間に、前記しきい値検出用の電圧を印加し、前記しきい値電圧検出手段は、前記第１のスイッチ手段の前記制御端子と前記接続接点との間の電位を、前記しきい値電圧として検出し、前記階調信号生成手段は、前記第１のスイッチ手段の前記制御端子と前記接続接点との間に、前記階調電圧と前記補償電圧とに基づく電圧成分を、前記階調信号として印加することを特徴とする。
【００５４】
請求項４０記載の発明は、請求項３９記載の表示装置において、前記第１乃至第３のスイッチ手段は、アモルファスシリコンからなる半導体層を備えた電界効果型トランジスタであることを特徴とする。
請求項４１記載の発明は、請求項２２乃至４０のいずれかに記載の表示装置において、前記発光素子は、有機エレクトロルミネッセンス素子であることを特徴とする。
【００５５】
請求項４２記載の発明は、行方向及び列方向に配設された複数の選択線及びデータ線の各交点に、電流制御型の発光素子と該発光素子に発光駆動電流を供給する発光駆動素子とを備えた複数の表示画素が配列された表示パネルを備え、所定のタイミングで前記選択線を介して、前記表示パネルの各行ごとの前記表示画素に選択信号を順次印加して選択状態に設定するタイミングに同期して、前記データ線を介して、所望の画像情報を表示するための表示データに応じた階調信号を供給することにより、前記表示画素を所定の輝度階調で発光動作させて、前記表示パネルに前記所望の画像情報を表示する表示装置の駆動制御方法において、少なくとも、前記表示画素の各々に設けられ、前記階調信号に基づいて所定の電流値を有する発光駆動電流を前記発光素子に供給する発光駆動素子に、当該発光駆動素子に固有のしきい値電圧よりも高電位のしきい値検出用の電圧を個別に印加する検出用電圧印加ステップと、前記しきい値電圧検出用の電圧に対応する電荷の一部が放電されて収束した後の電圧を、前記発光駆動素子の前記しきい値電圧として個別に検出し、当該しきい値電圧に関連付けられたしきい値データとして、前記表示画素ごとに記憶手段に記憶するしきい値電圧検出ステップと、前記記憶手段に記憶された前記しきい値データに基づいて、前記表示画素ごとの前記発光駆動素子の前記しきい値電圧を補償する補償電圧を個別に生成する補償電圧生成ステップと、前記表示画素ごとの前記発光素子を所定の輝度階調で発光動作させるための所定の電圧値を有する階調電圧を個別に生成する階調電圧生成ステップと、前記階調電圧と前記補償電圧とに基づく電圧成分からなる前記階調信号を、前記データ線を介して前記表示画素の各々に個別に供給し、当該階調信号に基づく電圧成分を、前記表示画素ごとの前記発光駆動素子に保持させるデータ書込みステップと、前記各表示画素の発光駆動素子に保持された前記電圧成分に基づいて生成された前記発光駆動電流を前記発光素子の各々に供給して、当該発光素子を所定の輝度階調で発光動作させる階調発光ステップと、を含むことを特徴とする。
【００５６】
請求項４３記載の発明は、請求項４２記載の表示装置の駆動制御方法において、前記検出用電圧印加ステップ及び前記しきい値電圧検出ステップは、少なくとも、前記表示パネルに配列された全ての前記表示画素に対して、前記階調信号を個別に供給し、所定のタイミングで前記表示画素を当該表示データに応じた輝度階調で発光動作させる一定の動作期間中に、前記表示パネルの特定の行の前記表示画素について実行されることを特徴とする。
【００５７】
請求項４４記載の発明は、請求項４２又は４３記載の表示装置の駆動制御方法において、前記検出用電圧印加ステップ及び前記しきい値電圧検出ステップは、前記データ書込ステップ及び前記階調発光ステップに先立つ任意のタイミングで、前記表示パネルに配列された全ての前記表示画素について実行されることを特徴とする。
【００５８】
請求項４５記載の発明は、請求項４４記載の表示装置の駆動制御方法において、前記検出用電圧印加ステップ及び前記しきい値電圧検出ステップは、前記表示パネルに配列された前記表示画素に対して、各行ごとに順次実行されることを特徴とする。
請求項４６記載の発明は、請求項４３記載の表示装置の駆動制御方法において、前記検出用電圧印加ステップ及び前記しきい値電圧検出ステップは、前記一定の動作期間ごとに異なる行の前記表示画素について実行されることを特徴とする。
【００５９】
請求項４７記載の発明は、請求項４３記載の表示装置の駆動制御方法において、前記検出用電圧印加ステップ及び前記しきい値電圧検出ステップは、前記一定の動作期間ごとに隣接する行の前記表示画素について順次実行されることを特徴とする。
請求項４８記載の発明は、請求項４２乃至４７のいずれかに記載の表示装置の駆動制御方法において、前記データ書込ステップは、前記表示パネルに配列された前記複数の表示画素に対して、各行ごとに順次実行され、前記階調発光ステップは、前記データ書込ステップが終了した行から順次実行されることを特徴とする。
【００６０】
請求項４９記載の発明は、請求項４２乃至４７のいずれかに記載の表示装置の駆動制御方法において、前記データ書込ステップは、前記表示パネルに配列された前記複数の表示画素を、複数行ごとにグループ分けした各グループごとに順次実行され、前記階調発光ステップは、前記データ書込ステップが終了した前記グループから順次実行されることを特徴とする。
【００６１】
請求項５０記載の発明は、請求項４２乃至４９のいずれかに記載の表示装置の駆動制御方法において、前記データ書込みステップは、前記発光素子を無発光動作させる場合には、所定の電圧値を有する無発光表示電圧を含む前記階調信号を生成して前記表示画素に供給することにより、当該表示画素の前記発光駆動素子に、少なくとも前記しきい値電圧以下の前記電圧成分を保持させることを特徴とする。
【００６２】
請求項５１記載の発明は、請求項４２乃至５０のいずれかに記載の表示装置の駆動制御方法において、少なくとも、前記検出用電圧印加ステップと、前記しきい値電圧検出ステップと、前記データ書込ステップと、を前記表示画素の各々に対応して設けられた単一の前記データ線を介して選択的に実行することを特徴とする。
【発明の効果】
【００６３】
本発明に係る表示駆動装置及びその駆動制御方法によれば、表示画素への階調信号の書込動作、及び、当該表示画素（発光素子）の発光動作に先立って、まず、当該表示画素の発光駆動回路に設けられた発光駆動用のスイッチング素子（薄膜トランジスタ）に固有のしきい値電圧を検出し、当該しきい値検出データに基づいて、上記スイッチング素子におけるしきい値電圧相当の電圧成分を保持（電荷を蓄積）させるための補償電圧Ｖpthと、表示データ（輝度階調データ）に応じた電圧値を有する階調電圧Ｖrealとに基づく書込電圧を、各表示画素に印加する書込動作を実行することにより、当該スイッチング素子（薄膜トランジスタ）のしきい値電圧が、経時変化や駆動履歴等に起因して変化（Ｖthシフト）した場合であっても、当該スイッチング素子に表示データに応じた適切な電圧成分Ｖrealを保持させることができるので、発光素子（有機ＥＬ素子）を適正な輝度階調で発光動作させることができる。
【００６４】
また、この場合、表示画素への書込動作の際に、当該スイッチング素子に固有のしきい値電圧に相当する電圧成分に、表示データに応じた階調電圧を上乗せした書込電圧を印加する電圧階調指定方式の駆動制御方法を適用することができるので、電流階調指定方式の場合のように、低階調の輝度で発光素子を発光動作させる場合に、階調信号（階調電流）の電流値が微小となり、所定の書込期間中に表示データに応じた十分な電圧成分を表示画素に保持させることができなくなる書込不足の発生を防止することができる。
【００６５】
また、上記発光素子の発光動作を伴わない無発光表示時においては、階調信号として所定の電圧値を有する無発光表示電圧を印加することにより、発光駆動用のスイッチング素子に保持させた電圧成分（電荷）を放電して、しきい値電圧よりも十分低い電圧に設定することができるので、当該スイッチング素子が僅かな電圧変動の影響を受けてオン動作する不安定状態を解消することができ、発光素子を良好に無発光状態（黒表示状態）に保持することができる。
【００６６】
そして、本発明に係る表示装置及びその駆動制御方法によれば、上述した表示駆動装置をデータドライバに適用した構成を有していることにより、各表示画素への階調信号の書込動作、及び、発光素子の発光動作に先立つ任意のタイミングで、まず、表示パネルに配列された全ての表示画素について、当該表示画素（発光駆動回路）に設けられた発光駆動用のスイッチング素子（薄膜トランジスタ）に固有のしきい値電圧が個別に検出され、その後、各表示画素への表示データの書込動作の際に、予め各表示画素について検出されたスイッチング素子のしきい値電圧（しきい値データ）に基づいて、各表示画素ごとのスイッチング素子に固有のしきい値電圧相当の電圧成分を保持させるための補償電圧と、当該表示画素への表示データに応じた階調実効電圧とに基づく書込電圧（階調指定電圧）を各表示画素に印加することにより、スイッチング素子（薄膜トランジスタ）のしきい値電圧が、経時変化や駆動履歴等に起因して変化（Ｖthシフト）した場合であっても、その影響を抑制して、当該スイッチング素子に表示データに応じた適切な電圧成分（階調実効電圧）を保持させることができ、発光素子を適正な輝度階調で発光動作させることができる。
【００６７】
これにより、経時変化や駆動履歴等に起因してしきい値電圧の変動を生じやすいアモルファスシリコン薄膜トランジスタであっても、発光駆動用のスイッチング素子として良好に適用することができるので、動作特性（電子移動度）が均一な表示画素（発光駆動回路）を簡易な製造プロセスで実現することができる。
【００６８】
また、階調信号の書込動作において、各表示画素に設けられた上記スイッチング素子に固有のしきい値電圧に相当する電圧成分に上乗せして、表示データに応じた電圧成分が設定された書込電圧を印加する電圧階調指定方式の駆動制御方法を適用することができるので、所定の書込期間中に表示データに応じた十分な電圧成分を迅速に書き込むことができ、書込不足の発生を防止することができる。
【００６９】
また、本発明に係る表示装置及びその駆動制御方法によれば、表示画素（発光駆動回路）に設けられた発光駆動用のスイッチング素子（薄膜トランジスタ）に固有のしきい値電圧を検出する動作を、各フレーム期間ごとに、表示パネルに配列された異なる特定の行の表示画素について実行することにより、画像情報の表示期間中（表示装置の表示駆動制御期間中）、表示パネルに配列されたいずれかの行の表示画素について、しきい値電圧検出動作実行時点のしきい値電圧（Ｖthシフトの状態）を常時モニタすることができるので、表示データの書込動作時に各表示画素に印加する書込電圧に含まれる補償電圧を、Ｖthシフトの発生状態に適切に対応した電圧値に設定することができ、各表示画素のスイッチング素子（薄膜トランジスタ）のしきい値電圧のＶthシフトの影響を良好に抑制して、表示画素（発光素子）を適正な輝度階調で発光動作させることができる。
【００７０】
また、本発明に係る表示装置及びその駆動制御方法においては、予め設定された各グループについて、当該グループに含まれる行の表示画素について、少なくとも書込動作が実行されている期間中は、当該グループ内の全ての表示画素を無発光動作させて無発光表示状態（黒表示状態）に設定し、当該グループに含まれる全ての行の表示画素に書込動作が終了した時点で、当該グループの全ての表示画素を一斉に発光動作させる表示駆動制御を実行することにより、複数の画像情報（静止画像）を連続的に表示することにより実現される動画像の表示動作に際して、所定の黒挿入率を設定することができるので、当該動画像のボケやにじみの発生を抑制して、鮮明な表示画質を有する表示装置を実現することができる。
【発明を実施するための最良の形態】
【００７１】
以下、本発明に係る表示駆動装置及びその駆動制御方法、並びに、表示装置及びその駆動制御方法について、実施の形態を示して詳しく説明する。
まず、本発明に係る表示装置に適用される表示駆動装置及びその駆動制御方法について、図面を参照して説明する。
【００７２】
図１は、本発明に係る表示駆動装置、及び、該表示駆動装置により駆動制御される表示画素の一実施形態を示す要部構成図である。ここでは、表示装置の表示パネルに配置される特定の表示画素と、当該表示画素を発光駆動制御する表示駆動装置との関係について説明する。
【００７３】
＜表示駆動装置＞
図１に示すように、本実施形態に係る表示駆動装置１００は、概略、シフトレジスタ・データレジスタ部１１０と、表示データラッチ部１２０と、階調電圧生成部１３０と、しきい値検出電圧アナログ−デジタル変換器（以下、「検出電圧ＡＤＣ」と略記し、図中では、「ＶthＡＤＣ」と表記する）１４０と、しきい値補償電圧デジタル−アナログ変換器（以下、「補償電圧ＤＡＣ」と略記し、図中では、「ＶthＤＡＣ」と表記する）１５０と、しきい値データラッチ部（図中では、「Ｖthデータラッチ部」と表記する）１６０と、フレームメモリ１７０と、電圧加算部１８０と、データライン入出力切換部１９０と、を備えた構成を有している。
【００７４】
シフトレジスタ・データレジスタ部（データ取得手段、しきい値取得手段）１１０は、図示を省略した、シフト信号を順次出力するシフトレジスタと、該シフト信号に基づいて、少なくとも外部から供給されるデジタル信号からなる輝度階調データを順次取り込むデータレジスタと、を備えた構成を有している。より具体的には、外部から順次供給される、表示パネルの１行分の表示画素ＰＸに対応した表示データ（輝度階調データ）を順次取り込み、後述する表示データラッチ部１２０に転送する動作、又は、検出電圧ＡＤＣ１４０によりデジタル信号に変換され、しきい値データラッチ部１６０に保持された１行分の表示画素ＰＸのしきい値電圧（しきい値検出データ）を順次取り込み、後述するフレームメモリ１７０に転送する動作、もしくは、フレームメモリ１７０から特定の１行分の表示画素ＰＸのしきい値補償データを順次取り込み、しきい値データラッチ部１６０に転送する動作のいずれかを選択的に実行する。なお、これらの各動作については、詳しく後述する。
【００７５】
表示データラッチ部１２０は、上記シフトレジスタ・データレジスタ部１１０により外部から取り込まれ、転送された１行分の表示画素ＰＸの表示データ（輝度階調データ）を保持する。
階調電圧生成部（階調電圧生成手段）１３０は、有機ＥＬ素子（電流制御型の発光素子）ＯＥＬを表示データに対応した輝度階調で発光動作、又は、無発光動作させるための階調信号として、有機ＥＬ素子ＯＥＬを所定の輝度階調で発光動作させるための、所定の電圧値を有する階調実効電圧（階調電圧）Ｖreal、又は、有機ＥＬ素子ＯＥＬを発光動作させずに黒表示（最低輝度階調）状態に設定するための、所定の電圧値を有する無発光表示電圧Ｖzeroのいずれかを選択的に供給する機能を備えている。
【００７６】
ここで、階調信号として表示データに応じた電圧値を有する階調実効電圧Ｖrealを供給する構成としては、例えば、図示を省略した電源供給手段から供給される階調基準電圧に基づいて、上記表示データラッチ部１２０に保持された各表示データのデジタル信号電圧を、アナログ信号電圧に変換するデジタル−アナログ変換器（Ｄ／Ａコンバータ）と、所定のタイミングで当該アナログ信号電圧を上記階調実効電圧Ｖrealとして出力する出力回路と、を備えた構成を適用することができる。なお、階調実効電圧Ｖrealの詳細については、後述する。
【００７７】
検出電圧ＡＤＣ（しきい値電圧検出手段）１４０は、後述する各表示画素ＰＸに設けられた発光素子（例えば、有機ＥＬ素子ＯＥＬ）に発光駆動電流を供給するスイッチング素子（薄膜トランジスタＴｒ１３）のしきい値電圧（又は、当該しきい値電圧に対応する電圧成分）をアナログ信号電圧として取り込み（測定し）、デジタル信号電圧からなるしきい値検出データに変換する。
【００７８】
補償電圧ＤＡＣ（補償電圧生成手段、検出用電圧印加手段）１５０は、各表示画素ＰＸに設けられた上記スイッチング素子のしきい値電圧を補償するためのデジタル信号電圧からなるしきい値補償データを、アナログ信号電圧からなる補償電圧（しきい値補償電圧）Ｖpthに変換する。また、後述する駆動制御方法に示すように、上記検出電圧ＡＤＣ１４０によりスイッチング素子のしきい値電圧を測定する動作（しきい値電圧検出動作）において、スイッチング素子を構成する薄膜トランジスタのゲート−ソース間（コンデンサＣｓの両端）に、当該スイッチング素子のしきい値電圧よりも高い電位差が設定（電圧成分が保持）されるように、所定の検出用電圧Ｖpvを出力することができるように構成されている。
【００７９】
また、しきい値データラッチ部１６０は、１行分の各表示画素ＰＸごとに、上記検出電圧ＡＤＣ１４０により変換、生成されたしきい値検出データを取り込んで保持し、当該しきい値検出データをシフトレジスタ・データレジスタ部１１０を介して、後述するフレームメモリ１７０に順次転送する動作、又は、フレームメモリ１７０から上記しきい値検出データに応じた１行分の各表示画素ＰＸごとのしきい値補償データを順次取り込んで保持し、当該しきい値補償データを補償電圧ＤＡＣ１５０に転送する動作のいずれかを選択的に実行する。
【００８０】
また、フレームメモリ（記憶手段）１７０は、表示パネルに配列された各表示画素ＰＸへの表示データ（輝度階調データ）の書込動作に先立って、上記検出電圧ＡＤＣ１４０及びしきい値データラッチ部１６０により１行分の各表示画素ＰＸごとに検出されたしきい値電圧に基づくしきい値検出データを、シフトレジスタ・データレジスタ部１１０を介して順次取り込み、表示パネル１画面（１フレーム）分の各表示画素ＰＸごとに個別に記憶するとともに、当該しきい値検出データをしきい値補償データとして、もしくは、当該しきい値検出データに応じたしきい値補償データを、シフトレジスタ・データレジスタ部１１０を介して順次出力し、しきい値データラッチ部１６０（補償電圧ＤＡＣ１５０）へ転送する。
【００８１】
電圧加算部（階調信号生成手段）１８０は、階調電圧生成部１３０から出力される電圧成分と、補償電圧ＤＡＣ１５０から出力される電圧成分とを加算して、後述するデータライン入出力切換部１９０を介して表示パネルの列方向に配設されるデータラインＤＬに出力する機能を備えている。具体的には、各表示画素ＰＸにおけるしきい値電圧を検出するしきい値電圧検出動作時においては、補償電圧ＤＡＣ１５０から出力される検出用電圧Ｖpvを出力し、表示画素ＰＸ（発光素子）の発光動作を伴う階調表示動作時においては、階調電圧生成部１３０から出力される階調実効電圧Ｖrealと、補償電圧ＤＡＣ１５０から出力される補償電圧Ｖpthとを合算して、その総和となる電圧成分を階調指定電圧Ｖdataとして出力し、また、表示画素ＰＸ（発光素子）の発光動作を伴わない無発光表示動作（黒表示動作）時においては、階調電圧生成部１３０から出力される無発光表示電圧Ｖzeroと補償電圧Ｖpthとを合算した階調指定電圧Ｖdata(0)（又は、無発光表示電圧Ｖzero）を出力する機能を備えている。
【００８２】
また、データライン入出力切換部（信号経路切換手段）１９０は、データラインＤＬを介して各表示画素ＰＸに設けられた上記スイッチング素子（薄膜トランジスタ）のしきい値電圧を、検出電圧ＡＤＣ１４０に取り込み、測定するための電圧検出側スイッチ１９１と、上記電圧加算部１８０から選択的に出力される検出用電圧Ｖpv、階調実効電圧Ｖreal、又は、無発光表示電圧Ｖzero（又は、階調指定電圧Ｖdata(0)）をデータラインＤＬを介して各表示画素ＰＸに供給するための電圧印加側スイッチ１９２と、を備えた構成を有している。
【００８３】
ここで、電圧検出側スイッチ１９１及び電圧印加側スイッチ１９２は、例えば、チャネル極性が異なる薄膜トランジスタ（電界効果型トランジスタ）により構成することができ、図１に示すように、電圧検出側スイッチ１９１としてｐチャネル型の薄膜トランジスタを適用し、また、電圧印加側スイッチ１９２としてｎチャネル型の薄膜トランジスタを適用することができる。これらの薄膜トランジスタのゲート端子（制御端子）は同一の信号線に接続され、当該信号線に印加される切換制御信号ＡＺの信号レベルに基づいて、各々オン、オフ状態が制御される。
【００８４】
＜表示画素＞
また、本実施形態に係る表示画素ＰＸは、図１に示すように、表示パネルの行方向（図面左右方向）に配設された選択ラインＳＬと列方向（図面上下方向）に配設されたデータラインＤＬとの各交点近傍に配置され、各々、例えば有機ＥＬ素子ＯＥＬからなる電流制御型の発光素子と、当該発光素子に表示データに応じた電流値を有する発光駆動電流を供給するための発光駆動回路ＤＣと、を備えた構成を有している。
【００８５】
発光駆動回路ＤＣは、例えば、ゲート端子（制御端子）が選択ラインＳＬに、ドレイン端子及びソース端子（電流路の一端、他端）が所定の供給電圧Ｖscが印加される供給電圧ラインＶＬ及び接点Ｎ１１に各々接続された薄膜トランジスタ（第２のスイッチ手段）Ｔｒ１１と、ゲート端子（制御端子）が選択ラインＳＬに、ソース端子及びドレイン端子（電流路の一端、他端）がデータラインＤＬ及び接点Ｎ１２に各々接続された薄膜トランジスタ（第３のスイッチ手段）Ｔｒ１２と、ゲート端子（制御端子）が接点Ｎ１１に、ドレイン端子及びソース端子（電流路の一端、他端）が供給電圧ラインＶＬ及び接点（接続接点）Ｎ１２に各々接続された薄膜トランジスタ（発光駆動素子、第１のスイッチ手段）Ｔｒ１３と、接点Ｎ１１及び接点Ｎ１２間（薄膜トランジスタＴｒ１３のゲート−ソース端子間）に接続されたコンデンサＣｓと、を備えた構成を有している。ここで、薄膜トランジスタＴｒ１３は、上述した表示駆動装置１００において、上記検出電圧ＡＤＣ１４０及びしきい値データラッチ部１６０によりしきい値電圧が測定される対象となる発光駆動用のスイッチング素子に相当する。
【００８６】
また、有機ＥＬ素子（発光素子）ＯＥＬは、アノード端子が上記発光駆動回路ＤＣの接点Ｎ１２に接続され、カソード端子には共通電圧Ｖcomが印加されている。ここで、共通電圧Ｖcomは、後述する表示駆動動作において、表示データに応じた階調信号（階調電流、又は、無発光表示電圧）が発光駆動回路ＤＣに供給される書込動作期間においては、低電位（Ｖｓ）に設定される供給電圧Ｖscと等電位であるか、あるいは、当該供給電圧Ｖscよりも高い電位であって、かつ、有機ＥＬ素子（発光素子）ＯＥＬに発光駆動電流が供給されて所定の輝度階調で発光動作する発光動作期間においては、高電位（Ｖｅ）に設定される供給電圧Ｖscよりも低電位となる、任意の電位（例えば、接地電位ＧＮＤ）に設定されている（Ｖｓ≦Ｖcom＜Ｖｅ）。
【００８７】
ここで、コンデンサＣｓは、薄膜トランジスタＴｒ１３のゲート−ソース間に形成される寄生容量であってもよいし、該寄生容量に加えて接点Ｎ１１及び接点Ｎ１２間にさらに容量素子を並列に接続したものであってもよい。また、薄膜トランジスタＴｒ１１〜Ｔｒ１３については、特に限定するものではないが、例えば薄膜トランジスタＴｒ１１〜Ｔｒ１３を全てｎチャネル型の薄膜トランジスタにより構成することにより、ｎチャネル型のアモルファスシリコン薄膜トランジスタを良好に適用することができる。この場合、すでに確立されたアモルファスシリコン製造技術を適用して、素子特性（電子移動度等）の安定したアモルファスシリコン薄膜トランジスタからなる発光駆動回路を比較的簡易な製造プロセスで製造することができる。以下の説明においては、薄膜トランジスタＴｒ１１〜Ｔｒ１３を全てｎチャネル型の薄膜トランジスタにより構成した場合について説明する。また、上記においては、発光駆動回路ＤＣにより発光駆動される発光素子を有機ＥＬ素子ＯＥＬとしたが、本発明における発光素子は有機ＥＬ素子ＯＥＬに限定されるものではなく、電流制御型の発光素子であれば、例えば発光ダイオード等の他の発光素子であってもよい。
【００８８】
＜表示駆動装置・表示画素の駆動制御方法＞
次いで、上述したような構成を有する表示駆動装置において、表示画素の発光素子を発光動作させて階調表示を行う場合の駆動制御方法（駆動制御動作）について、図面を参照して説明する。
【００８９】
本実施形態に係る表示駆動装置１００における駆動制御動作は、大別して、後述する表示駆動動作（書込動作、発光動作）に先立つ任意のタイミングで、表示パネルに配列された各表示画素ＰＸ（発光駆動回路ＤＣ）に設けられた発光駆動用の薄膜トランジスタＴｒ１３（スイッチング素子；発光駆動素子）のしきい値電圧を測定して記憶するしきい値電圧検出動作（しきい値電圧検出期間；第１のステップ）と、当該しきい値電圧検出動作の終了後、各表示画素ＰＸに設けられた発光駆動用の薄膜トランジスタＴｒ１３に、当該薄膜トランジスタＴｒ１３に固有のしきい値電圧相当の電圧成分（補償電圧）と、表示データに応じた階調信号（所定の電圧値を有する階調実効電圧）とを合算した階調指定電圧を書き込んで、階調信号に応じた所望の輝度階調で有機ＥＬ素子ＯＥＬを発光動作させる表示駆動動作（表示駆動期間）と、を含んで構成されている。
【００９０】
以下、各制御動作について説明する。
（しきい値電圧検出動作）
図２は、本実施形態に係る表示駆動装置におけるしきい値電圧検出動作を示すタイミングチャートである。また、図３は、本実施形態に係る表示駆動装置における電圧印加動作を示す概念図であり、図４は、本実施形態に係る表示駆動装置における電圧収束動作を示す概念図であり、図５は、本実施形態に係る表示駆動装置における電圧読取動作を示す概念図である。また、図６は、ｎチャネル型の薄膜トランジスタにおいて、ゲート−ソース間電圧を所定の条件に設定し、ドレイン−ソース間電圧を変調した際のドレイン−ソース間電流特性の一例を表した図である。
【００９１】
本実施形態に係る表示駆動装置におけるしきい値電圧検出動作は、図２に示すように、所定のしきい値電圧検出期間Ｔdec内に、表示駆動装置１００からデータラインＤＬを介して、表示画素ＰＸにしきい値電圧検出用の電圧（検出用電圧Ｖpv）を印加して、表示画素ＰＸの発光駆動回路ＤＣに設けられた発光駆動用の薄膜トランジスタＴｒ１３のゲート−ソース間に上記検出用電圧Ｖpvに対応する電圧成分を保持させる（すなわち、コンデンサＣｓに検出用電圧Ｖpvに応じた電荷を蓄積する）電圧印加期間（検出用電圧印加ステップ）Ｔpvと、当該電圧印加期間Ｔpvに薄膜トランジスタＴｒ１３のゲート−ソース間に保持した電圧成分（コンデンサＣｓに蓄積された電荷）の一部を放電して、薄膜トランジスタＴｒ１３のドレイン−ソース間電流Ｉdsのしきい値電圧Ｖth13に相当する電圧成分（電荷）のみを薄膜トランジスタＴｒ１３のゲート−ソース間に保持させる（コンデンサＣｓに残留させる）電圧収束期間Ｔcvと、当該電圧収束期間Ｔcvの経過後に、薄膜トランジスタＴｒ１３のゲート−ソース間に保持された電圧成分（コンデンサＣｓに残留する電荷に基づく電圧値；しきい値電圧Ｖth13）を測定して、デジタルデータに変換してフレームメモリ１７０の所定の記憶領域に格納（記憶）する電圧読取期間（しきい値電圧検出ステップ）Ｔrvと、を含むように設定されている（Ｔdec≧Ｔpv＋Ｔcv＋Ｔrv）。
【００９２】
ここで、上記薄膜トランジスタＴｒ１３のドレイン−ソース間電流Ｉdsのしきい値電圧Ｖth13とは、当該ドレイン−ソース間に僅かな電圧をさらに加えることによって薄膜トランジスタＴｒ１３のドレイン−ソース間電流Ｉdsが流れ始める動作境界となる薄膜トランジスタＴｒ１３のゲート−ソース間電圧Ｖgsのことである。特に、本実施形態に係る電圧読取期間Ｔrvにおいて測定されるしきい値電圧Ｖth13は、薄膜トランジスタＴｒ１３の製造初期状態のしきい値電圧に対して、駆動履歴（発光履歴）や使用時間等により変動（Ｖthシフト）が生じた後の、当該しきい値電圧検出動作の実行時点におけるしきい値電圧を示す。
【００９３】
以下、しきい値電圧検出動作に係る各動作期間についてさらに詳しく説明する。
（電圧印加期間）
まず、電圧印加期間Ｔpvにおいては、図２、図３に示すように、発光駆動回路ＤＣの選択ラインＳＬにオンレベル（ハイレベル）の選択信号Ｓselが印加され、また、供給電圧ラインＶＬには、低電位の供給電圧Ｖsc（＝Ｖｓ）が印加される。ここで、低電位の供給電圧Ｖsc（＝Ｖｓ）は、共通電圧Ｖcom以下の電圧であればよく、例えば、接地電位ＧＮＤでもよい。
【００９４】
一方、このタイミングに同期して、切換制御信号ＡＺがハイレベルに設定されて電圧印加側スイッチ１９２がオン状態、電圧検出側スイッチ１９１がオフ状態に設定されるとともに、階調電圧生成部１３０からの出力が停止、又は、遮断されることにより、補償電圧ＤＡＣ１５０から出力されるしきい値電圧の検出用電圧Ｖpvが、電圧加算部１８０及びデータライン入出力切換部１９０（電圧印加側スイッチ１９２）を介して、データラインＤＬに印加される。
【００９５】
これにより、表示画素ＰＸを構成する発光駆動回路ＤＣに設けられた薄膜トランジスタＴｒ１１及びＴｒ１２がオン動作して、供給電圧Ｖscが薄膜トランジスタＴｒ１１を介して薄膜トランジスタＴｒ１３のゲート端子及びコンデンサＣｓの一端側（接点Ｎ１１）に印加されるとともに、データラインＤＬに印加された上記検出用電圧Ｖpvが、薄膜トランジスタＴｒ１２を介して薄膜トランジスタＴｒ１３のソース端子及びコンデンサＣｓの他端側（接点Ｎ１２）に印加される。
【００９６】
ここで、表示画素ＰＸ（発光駆動回路ＤＣ）において、有機ＥＬ素子ＯＥＬに発光駆動電流を供給するｎチャネル型の薄膜トランジスタＴｒ１３について、所定のゲート−ソース間電圧Ｖgsのときに、ドレイン−ソース間電圧Ｖdsを変調した場合のドレイン−ソース間電流Ｉdsの変化特性を検証すると、図６に示すような特性図で表すことができる。
【００９７】
図６において、横軸は薄膜トランジスタＴｒ１３の分圧とそれに直列に接続された有機ＥＬ素子ＯＥＬの分圧を表し、縦軸は薄膜トランジスタＴｒ１３のドレイン−ソース間の電流Ｉdsの電流値を表している。図中の一点鎖線は、薄膜トランジスタＴｒ１３のゲート−ソース間のしきい値電圧の境界線であり、当該境界線の左側が不飽和領域であり、右側が飽和領域となっている。実線は、薄膜トランジスタＴｒ１３のゲート−ソース間電圧Ｖgsを最高輝度階調での発光動作時の電圧Ｖgsmax、及び、最高輝度階調以下の任意の（異なる）輝度階調での発光動作時の電圧Ｖgs1（＜Ｖgsmax）、Ｖgs2（＜Ｖgs1）にそれぞれ固定したときに、薄膜トランジスタＴｒ１３のドレイン−ソース間電圧Ｖdsを変調したときのドレイン−ソース間電流Ｉdsの変化特性を示している。破線は、有機ＥＬ素子ＯＥＬを発光動作させる場合の負荷特性線（ＥＬ負荷線）であり、当該ＥＬ負荷線の右側の電圧は、供給電圧Ｖsc−共通電圧Ｖcom間電圧（一例として、図中では２０Ｖ）における有機ＥＬ素子ＯＥＬの分圧となり、ＥＬ負荷線の左側が薄膜トランジスタＴｒ１３のドレイン−ソース間の電圧Ｖdsに相当する。この有機ＥＬ素子ＯＥＬの分圧は、輝度階調が高くなる程、つまり薄膜トランジスタＴｒ１３のドレイン−ソース間電流Ｉds（発光駆動電流≒階調電流）の電流値が増大する程、漸次増大する。
【００９８】
図６において、不飽和領域では、薄膜トランジスタＴｒ１３のゲート−ソース間電圧Ｖgsを一定に設定した場合であっても、薄膜トランジスタＴｒ１３のドレイン−ソース間電圧Ｖdsが高くなるにつれてドレイン−ソース間電流Ｉdsの電流値が顕著に大きくなる（変化する）。一方、飽和領域では、薄膜トランジスタＴｒ１３のゲート−ソース間電圧Ｖgsを一定に設定した場合、ドレイン−ソース間電圧Ｖdsが高くなっても薄膜トランジスタＴｒ１３のドレイン−ソース間電流Ｉdsはあまり増加せず、ほぼ一定となる。
【００９９】
ここで、電圧印加期間Ｔpvにおいて、補償電圧ＤＡＣ１５０からデータラインＤＬ（さらには、表示画素ＰＸ（発光駆動回路ＤＣ）の薄膜トランジスタＴｒ１３のソース端子）に印加される上記検出用電圧Ｖpvは、低電位に設定された供給電圧Ｖsc（＝Ｖｓ）よりも十分低く、かつ、図６に示した特性図において、薄膜トランジスタＴｒ１３のゲート−ソース間電圧Ｖgsが飽和特性を示す領域のドレイン−ソース間電圧Ｖdsが得られるような電圧値に設定されている。本実施形態においては、上記検出用電圧Ｖpvとして、例えば、補償電圧ＤＡＣ１５０からデータラインＤＬに印加可能な最大電圧に設定するものであってもよい。
【０１００】
さらに、検出用電圧Ｖpvは、次の（１）式を満たすように設定されている。
｜Ｖｓ−Ｖpv｜＞Ｖth12＋Ｖth13      ・・・（１）
上記（１）式において、Ｖth12は、薄膜トランジスタＴｒ１２のゲート端子にオンレベルの選択信号Ｓselが印加されたときの薄膜トランジスタＴｒ１２のドレイン−ソース間のしきい値電圧である。また、薄膜トランジスタ１３のゲート端子及びドレイン端子にはともに低電位の供給電圧Ｖsc（＝Ｖｓ）が印加され、互いにほぼ等電位となっているので、Ｖth13は、薄膜トランジスタＴｒ１３のドレイン−ソース間電圧のしきい値電圧であり、当該薄膜トランジスタＴｒ１３のゲート−ソース間のしきい値電圧でもある。なお、Ｖth12＋Ｖth13は経時的に徐々に高くなっていくが、常に（１）式を満たすように（Ｖｓ−Ｖpv）の電位差が大きく設定されている。
【０１０１】
このように、薄膜トランジスタＴｒ１３のゲート−ソース間（すなわち、コンデンサＣｓの両端）に、薄膜トランジスタＴｒ１３のしきい値電圧Ｖth13よりも大きな電位差Ｖcp（両端電位Ｖｃ）が印加されることにより、この電圧Ｖcpに応じた大電流の検出用電流Ｉpvが、供給電圧ラインＶＬから薄膜トランジスタＴｒ１３のドレイン−ソース間を介して、補償電圧ＤＡＣ１５０に向けて強制的に流れる。したがって、速やかにコンデンサＣｓの両端に該検出用電流Ｉpvに基づく電位差に対応する電荷が蓄積される（すなわち、コンデンサＣｓに電圧Ｖcpが充電される）。なお、電圧印加期間Ｔpvにおいては、コンデンサＣｓに電荷が蓄積されるばかりでなく、供給電圧ラインＶＬからデータラインＤＬに至る電流ルートのその他の容量成分にも、検出用電流Ｉpvが流れるため電荷の蓄積が行われる。
【０１０２】
このとき、有機ＥＬ素子ＯＥＬのカソード端子には、上記供給電圧ラインＶＬに印加される低電位の供給電圧Ｖsc（＝Ｖｓ）以上の共通電圧Ｖcom（＝ＧＮＤ）が印加されているので、有機ＥＬ素子ＯＥＬのアノード−カソード間は、無電界状態又は逆バイアス状態に設定されることになり、有機ＥＬ素子ＯＥＬには発光駆動電流が流れず発光動作は行われない。
【０１０３】
（電圧収束期間）
次いで、上記電圧印加期間Ｔpv終了後の電圧収束期間Ｔcvにおいては、図２、図４に示すように、選択ラインＳＬにオンレベルの選択信号Ｓselが印加され、また、供給電圧ラインＶＬに低電位の供給電圧Ｖsc（＝Ｖｓ）が印加された状態で、切換制御信号ＡＺがローレベルに切換設定されることにより、電圧検出側スイッチ１９１がオン状態に設定されるとともに、電圧印加側スイッチ１９２がオフ状態に設定される。また、補償電圧ＤＡＣ１５０からの検出用電圧Ｖpvの出力が停止される。これにより、薄膜トランジスタＴｒ１１、Ｔｒ１２はオン状態を保持するため、表示画素ＰＸ（発光駆動回路ＤＣ）は、データラインＤＬとの電気的な接続状態は保持されるものの、当該データラインＤＬへの電圧印加が遮断されるので、コンデンサＣｓの他端側（接点Ｎ１２）はハイインピーダンス状態に設定される。
【０１０４】
このとき、上述した電圧印加期間ＴpvにおいてコンデンサＣｓに蓄積された電荷（両端電位Ｖｃ＝Ｖcp＞Ｖth13）により薄膜トランジスタＴｒ１３のゲート電圧が保持されることになり、薄膜トランジスタＴｒ１３はオン状態を保持して当該ドレイン−ソース間に電流が流れ続けるので、薄膜トランジスタＴｒ１３のソース端子側（接点Ｎ１２；コンデンサＣｓの他端側）の電位がドレイン端子側（供給電圧ラインＶＬ側）の電位に近づくように徐々に上昇していく。
【０１０５】
これにより、コンデンサＣｓに蓄積された電荷の一部が放電されて、薄膜トランジスタＴｒ１３のゲート−ソース間電圧Ｖgsが低下することになり、最終的に薄膜トランジスタＴｒ１３のしきい値電圧Ｖth13に収束するように変化する。また、これに伴って、薄膜トランジスタＴｒ１３のドレイン−ソース間電流Ｉdsが減少して、最終的に当該電流の流れが停止する。
【０１０６】
なお、この電圧収束期間Ｔcvにおいても、有機ＥＬ素子ＯＥＬのアノード端子（接点Ｎ１２）の電位は、カソード端子側の共通電圧Ｖcomと同等であるか、又は、それ未満の電位を有しているので、有機ＥＬ素子ＯＥＬには依然として無電圧又は逆バイアス電圧が印加されることになり、有機ＥＬ素子ＯＥＬは発光動作しない。
【０１０７】
（電圧読取期間）
次いで、上記電圧収束期間Ｔcv経過後の電圧読取期間Ｔrvにおいては、図２、図５に示すように、電圧収束期間Ｔcvと同様に、選択ラインＳＬにオンレベルの選択信号Ｓselが印加され、また、供給電圧ラインＶＬに低電位の供給電圧Ｖsc（＝Ｖｓ）が印加され、切換制御信号ＡＺがローレベルに設定された状態で、データラインＤＬに電気的に接続された検出電圧ＡＤＣ１４０及びしきい値データラッチ部１６０により、当該データラインＤＬの電位（検出電圧Ｖdec）を測定する。
【０１０８】
ここで、上記電圧収束期間Ｔcv経過後のデータラインＤＬは、オン状態に設定された薄膜トランジスタＴｒ１２を介して、薄膜トランジスタＴｒ１３のソース端子（接点Ｎ１２）側に接続された状態にあり、また、上述したように、当該薄膜トランジスタＴｒ１３のソース端子（接点Ｎ１２）側の電位は、薄膜トランジスタＴｒ１３のしきい値電圧Ｖth13相当の電荷が蓄積されたコンデンサＣｓの他端側の電位に相当する。
【０１０９】
一方、当該薄膜トランジスタＴｒ１３のゲート端子（接点Ｎ１１）側の電位は、薄膜トランジスタＴｒ１３のしきい値電圧Ｖth13相当の電荷が蓄積されたコンデンサＣｓの一端側の電位であって、このとき、オン状態に設定された薄膜トランジスタＴｒ１１を介して、低電位の供給電圧Ｖscに接続された状態にある。
【０１１０】
これにより、検出電圧ＡＤＣ１４０により測定されるデータラインＤＬの電位は、薄膜トランジスタＴｒ１３のソース端子側の電位、又は、当該電位に対応する電位に相当することになるので、当該検出電圧Ｖdecと予め設定電圧が判明している低電位の供給電圧Ｖsc（例えば、接地電位ＧＮＤ）との差分（電位差）に基づいて、薄膜トランジスタＴｒ１３のゲート−ソース間電圧Ｖgs（コンデンサＣｓの両端電位Ｖｃ）、すなわち、薄膜トランジスタＴｒ１３のしきい値電圧Ｖth13、又は、当該しきい値電圧Ｖth13に対応する電圧を検出することができる。
【０１１１】
そして、このようにして検出された薄膜トランジスタＴｒ１３のしきい値電圧Ｖth13（アナログ信号電圧）は、検出電圧ＡＤＣ１４０によりデジタル信号電圧からなるしきい値検出データに変換されて、しきい値データラッチ部１６０に一旦保持された後、１行分の各表示画素ＰＸのしきい値検出データを、シフトレジスタ・データレジスタ部１１０により順次読み出して、フレームメモリ１７０の所定の記憶領域に格納（記憶）する。ここで、各表示画素ＰＸの発光駆動回路ＤＣに設けられた薄膜トランジスタＴｒ１３のしきい値電圧Ｖth13は、各表示画素ＰＸにおける駆動履歴（発光履歴）等により変動（Ｖthシフト）の度合いが異なるため、フレームメモリ１７０には、各表示画素ＰＸ固有のしきい値検出データが記憶されることになる。
【０１１２】
このような一連のしきい値電圧検出動作は、後述する表示駆動動作に先立つ任意のタイミング、例えば、システム（表示装置）の起動時や休止状態からの復起時等に実行され、後述する表示装置の駆動制御方法においても説明するように、表示パネルに配列された全ての表示画素について所定のしきい値電圧検出期間内に実行される。
【０１１３】
（表示駆動動作：階調表示動作）
まず、上述したような構成を有する表示駆動装置及び表示画素において、発光素子を所望の輝度階調で発光動作（階調表示動作）させる場合の駆動制御方法について、図面を参照して説明する。
【０１１４】
図７は、本実施形態に係る表示駆動装置において階調表示動作を行う場合の駆動制御方法を示すタイミングチャートである。また、図８は、本実施形態に係る駆動制御方法（階調表示動作）においてデータ書込動作を示す概念図であり、図９は、本実施形態に係る駆動制御方法（階調表示動作）において発光動作を示す概念図である。
【０１１５】
本実施形態に係る表示駆動装置における表示駆動動作は、図７に示すように、所定の表示駆動期間（１処理サイクル期間）Ｔcyc内に、表示駆動装置１００からデータラインＤＬを介して、表示画素ＰＸに所定の補償電圧Ｖpthと表示データに応じた階調実効電圧Ｖrealとに基づく電圧、例えば、補償電圧Ｖpthと階調実効電圧Ｖrealとを合算した総和となる電圧、を階調指定電圧Ｖdataとして印加して、表示画素ＰＸの発光駆動回路ＤＣに設けられた発光駆動用の薄膜トランジスタＴｒ１３のゲート−ソース間に、当該薄膜トランジスタＴｒ１３のドレイン−ソース間電流Ｉdsのしきい値電圧Ｖth13相当の電圧成分、及び、表示データ（階調実効電圧）に応じた電圧成分を保持させる（書き込む）書込動作期間（第２乃至第４のステップ、データ書込ステップ）Ｔwrtと、上記薄膜トランジスタＴｒ１３のゲート−ソース間に保持された全電圧成分（コンデンサＣｓに蓄積された総電荷量）に基づいて、表示データに応じた電流値を有する発光駆動電流を有機ＥＬ素子ＯＥＬに流して、所定の輝度階調で発光動作させる発光動作期間（階調発光ステップ）Ｔemと、を含むように設定されている（Ｔcyc≧Ｔwrt＋Ｔem）。
【０１１６】
ここで、本実施形態に係る表示駆動期間Ｔcycに適用される１処理サイクル期間は、例えば、表示画素ＰＸが１フレームの画像のうちの１画素分の画像情報を表示するのに要する期間に設定される。すなわち、後述する表示装置の駆動制御方法において説明するように、複数の表示画素ＰＸを行方向及び列方向にマトリクスに配列した表示パネルに、１フレームの画像を表示する場合、上記１処理サイクル期間Ｔcycは、１行分の表示画素ＰＸが１フレームの画像のうちの１行分の画像を表示するのに要する期間に設定される。
【０１１７】
以下、表示駆動動作に係る各動作期間についてさらに詳しく説明する。
（書込動作期間）
まず、書込動作期間Ｔwrtにおいては、図７、図８に示すように、発光駆動回路ＤＣの選択ラインＳＬにオンレベル（ハイレベル）の選択信号Ｓselが印加され、また、供給電圧ラインＶＬには、低電位の供給電圧Ｖsc（＝Ｖｓ；例えば、接地電位ＧＮＤ）が印加される。
【０１１８】
これにより、発光駆動回路ＤＣに設けられた薄膜トランジスタＴｒ１１及びＴｒ１２がオン動作して、供給電圧Ｖscが薄膜トランジスタＴｒ１１を介して薄膜トランジスタＴｒ１３のゲート端子（接点Ｎ１１；コンデンサＣｓの一端側）に印加されるとともに、薄膜トランジスタＴｒ１３のソース端子（接点Ｎ１２）が薄膜トランジスタＴｒ１２を介して、データラインＤＬに電気的に接続される。
【０１１９】
一方、このタイミングに同期して、切換制御信号ＡＺがハイレベルに設定されて電圧印加側スイッチ１９２がオン状態、電圧検出側スイッチ１９１がオフ状態に設定されるとともに、電圧加算部１８０に対して、補償電圧ＤＡＣ１５０により生成された補償電圧Ｖpthが出力される（第２のステップ、補償電圧生成ステップ）とともに、階調電圧生成部１３０により生成された階調実効電圧Ｖrealが出力される（第３のステップ、階調電圧生成ステップ）。
【０１２０】
電圧加算部１８０においては、補償電圧ＤＡＣ１５０から出力される補償電圧Ｖpthと階調電圧生成部１３０から出力される階調実効電圧Ｖrealが合算されて、その総和となる電圧成分が階調指定電圧Ｖdataとして、データライン入出力切換部１９０（電圧印加側スイッチ１９２）を介してデータラインＤＬに印加される。ここで、階調指定電圧Ｖdataの電圧極性は、供給電圧ラインＶＬから薄膜トランジスタＴｒ１３、接点Ｎ１２、薄膜トランジスタＴｒ１２、データラインＤＬを介して、電圧加算部１８０方向に電流が流れる極性に設定される。
【０１２１】
これにより、表示画素ＰＸ（発光駆動回路ＤＣ）に設けられた薄膜トランジスタＴｒ１１がオン動作して、低電位の供給電圧Ｖsc（＝Ｖｓ）が薄膜トランジスタＴｒ１１を介して薄膜トランジスタＴｒ１３のゲート及びコンデンサＣｓの一端側（接点Ｎ１１）に印加されるとともに、薄膜トランジスタＴｒ１２がオン動作して、データラインＤＬを介して上記供給電圧Ｖscに対して低電位に設定された階調指定電圧Ｖdataが薄膜トランジスタＴｒ１３のソース端子側（接点Ｎ１２；コンデンサＣｓの他端側）に印加されることにより、薄膜トランジスタＴｒ１３のゲート−ソース間（コンデンサＣｓの両端）に、当該階調指定電圧Ｖdataと低電位の供給電圧Ｖscとの差分に相当する電圧成分（供給電圧Ｖscが接地電位ＧＮＤの場合には、階調指定電圧Ｖdata相当の電圧成分）が保持される（第４のステップ、データ書込みステップ）。
【０１２２】
すなわち、薄膜トランジスタＴｒ１３のゲート−ソース間に接続されたコンデンサＣｓの両端に、薄膜トランジスタＴｒ１３に固有のしきい値電圧Ｖth13と階調実効電圧Ｖrealとの総和（Ｖth13＋Ｖreal）に相当する電位差が生じることにより、当該電位差に応じた電荷が蓄積される。この書込動作により薄膜トランジスタＴｒ１３のゲート−ソース間に形成される電位差は、当該薄膜トランジスタＴｒ１３に固有のしきい値電圧Ｖth13を上回る電圧値となるため、薄膜トランジスタＴｒ１３はオン動作して、供給電圧ラインＶＬから薄膜トランジスタＴｒ１３、接点Ｎ１２、薄膜トランジスタＴｒ１２、データラインＤＬを介して、表示駆動装置１００（電圧加算部１８０）方向に電流が流れる。
【０１２３】
ここで、書込動作期間Ｔwrtにおいて、補償電圧ＤＡＣ１５０から出力される補償電圧Ｖpthは、上述したしきい値電圧検出動作において、検出電圧ＡＤＣ１４０及びしきい値データラッチ部１６０により各表示画素ＰＸごとに検出され、フレームメモリ１７０に各表示画素ＰＸごとに個別に記憶されたしきい値検出データに基づいて、各表示画素ＰＸ（発光駆動回路ＤＣ）の薄膜トランジスタＴｒ１３に固有のしきい値電圧Ｖth13を補償する電圧値を有するものであって、上記補償電圧Ｖpthの印加により、当該薄膜トランジスタＴｒ１３のゲート−ソース間（コンデンサＣｓの両端）にしきい値電圧Ｖth13相当の電圧成分を保持させることができる電圧値に設定されている。
【０１２４】
より具体的には、上述したように、表示画素ＰＸに設けられる発光駆動回路ＤＣを構成する薄膜トランジスタＴｒ１１〜Ｔｒ１３として、ｎチャネル型のアモルファスシリコン薄膜トランジスタを適用した場合、アモルファスシリコン薄膜トランジスタのしきい値電圧が変動する現象（Ｖthシフト）が発生しやすいという素子特性を有している。ここで、Ｖthシフトにおけるしきい値電圧の変動量は、当該薄膜トランジスタの駆動履歴や使用時間等に起因するため、各薄膜トランジスタごとに当該変動量が異なる。
【０１２５】
そこで、本実施形態においては、上記しきい値電圧検出動作により、各表示画素ＰＸにおいて、有機ＥＬ素子（発光素子）ＯＥＬの発光輝度を設定する発光駆動用の薄膜トランジスタＴｒ１３について、Ｖthシフト後のしきい値電圧検出動作実行時点におけるしきい値電圧を個別に検出して、フレームメモリ１７０にしきい値検出データとして記憶し、当該表示画素について表示データを書き込む際に、各薄膜トランジスタに固有のしきい値電圧相当の電圧成分を保持させることにより、上記Ｖthシフトによるしきい値電圧の変動分を補償するようにしている。
【０１２６】
したがって、薄膜トランジスタＴｒ１３のしきい値電圧Ｖth13が発光履歴（駆動履歴）等によりＶthシフトした場合であっても、階調信号（表示データ）に適切に対応した電圧成分（階調実効電圧Ｖreal）を書込動作期間Ｔwrt内に迅速かつ十分に書き込むことができる。
【０１２７】
また、このとき、供給電圧ラインＶＬには、低電位の供給電圧Ｖsc（＝Ｖｓ）が印加され、さらに、接点Ｎ１２には、供給電圧Ｖscよりもさらに低い階調指定電圧Ｖdataが印加されることから、有機ＥＬ素子ＯＥＬのアノード端子（接点Ｎ１２）に印加される電位はカソード端子の電位Ｖcom（ＧＮＤ）以下になるので、有機ＥＬ素子ＯＥＬに逆バイアス電圧が印加されることになり、有機ＥＬ素子ＯＥＬには発光駆動電流が流れず、発光動作は行われない。
【０１２８】
（発光動作期間）
次いで、書込動作期間Ｔwrt終了後の発光動作期間Ｔemにおいては、図７、図９に示すように、選択ラインＳＬにオフレベル（ローレベル）の選択信号Ｓselが印加され、供給電圧ラインＶＬに高電位の供給電圧Ｖsc（＝Ｖｅ）が印加される。また、このタイミングに同期して、階調電圧生成部１３０による上記階調実効電圧Ｖreal、及び、補償電圧ＤＡＣ１５０による補償電圧Ｖpthの出力動作が停止される。
【０１２９】
これにより、発光駆動回路ＤＣに設けられた薄膜トランジスタＴｒ１１及びＴｒ１２がオフ動作して、供給電圧Ｖscの薄膜トランジスタＴｒ１３のゲート端子（接点Ｎ１１；コンデンサＣｓの一端側）及びドレイン端子への印加が遮断されるとともに、データラインＤＬと薄膜トランジスタＴｒ１３のソース端子（接点Ｎ１２；コンデンサＣｓの他端側）との電気的な接続が遮断されるので、上述した書込動作期間ＴwrtにおいてコンデンサＣｓに蓄積された電荷が保持される。
【０１３０】
なお、発光動作期間Ｔemにおいて、供給電圧ラインＶＬに印加される高電位の供給電圧Ｖsc（＝Ｖｅ）は、有機ＥＬ素子ＯＥＬを最高輝度階調（ＭＳＢ）で発光動作させる際に必要となるアノード電圧以上の電圧値（有機ＥＬ素子ＯＥＬのカソード側に接続された電圧Ｖcomに対して、順バイアスとなる正の電圧）になるように設定されている。
【０１３１】
具体的には、高電位の供給電圧Ｖsc（＝Ｖｅ）は、下記の（２）式を満たすような電圧値に設定される。
｜Ｖｅ−Ｖcom｜＞Ｖdsmax＋Ｖelmax      ・・・（２）
上記（２）式において、Ｖdsmaxは、最高輝度階調で発光動作させる際の階調指定電圧Ｖdataを印加する場合に、薄膜トランジスタＴｒ１３のドレイン−ソース間が発光動作期間Ｔemで図６に示した飽和領域に達するような薄膜トランジスタＴｒ１３のドレイン−ソース間の最高電圧値である。また、Ｖelmaxは、最高輝度階調時の有機ＥＬ素子ＯＥＬの分圧である。
【０１３２】
このように、上記書込動作時にコンデンサＣｓに充電された電圧成分の総和（Ｖth13＋Ｖreal）がコンデンサＣｓの両端電位Ｖｃとして保持されることにより、薄膜トランジスタＴｒ１３のゲート−ソース間電圧Ｖgs（すなわち、接点Ｎ１１の電位）が保持されることになり、薄膜トランジスタＴｒ１３はオン状態を維持する。
【０１３３】
したがって、発光動作期間Ｔemに、図１０に示すように、供給電圧ラインＶＬから薄膜トランジスタＴｒ１３、接点Ｎ１２を介して、有機ＥＬ素子ＯＥＬ方向に発光駆動電流Ｉemが流れ、有機ＥＬ素子ＯＥＬが該発光駆動電流Ｉemの電流値に応じた所定の輝度階調で発光する。ここで、発光動作期間ＴemにコンデンサＣｓに保持される電荷（両端電位Ｖｃ）は、上述したように、薄膜トランジスタＴｒ１３において階調指定電圧Ｖdata（Ｖth13＋Ｖreal）に対応する電位差に相当するので、有機ＥＬ素子ＯＥＬに流れる発光駆動電流Ｉemは、階調指定電圧Ｖdataに含まれる階調実効電圧Ｖrealに基づいて、所定の発光状態（輝度階調）に対応する電流値（Ｉem≒Ｉdata）を有することになり、有機ＥＬ素子ＯＥＬは表示データ（階調実効電圧）に応じた輝度階調で継続的に発光する。
【０１３４】
このように、本実施形態に係る表示駆動装置及び表示画素によれば、表示データの書込動作期間に薄膜トランジスタＴｒ１３のゲート−ソース間にしきい値電圧Ｖth13相当の電圧成分、及び、表示データに応じた階調実効電圧Ｖreal相当の電圧成分の総和を保持させることにより、実質的に階調実効電圧Ｖrealに応じた電圧成分（階調電圧Ｖdata）に基づいて、有機ＥＬ素子（発光素子）ＯＥＬに流す発光駆動電流Ｉemを制御して、所定の輝度階調で発光動作させる電圧階調指定方式の駆動制御方法を適用することができる。
【０１３５】
したがって、発光素子を発光動作させる際の輝度階調（特に、低階調動作）に応じて、表示データ（階調信号）の書込不足が発生する電流階調指定方式に比較して、低階調動作時においても、階調信号（階調指定電圧）を各表示画素に迅速に書き込むことができ、全ての輝度階調において表示データに応じた適切な発光動作を実現することができる。
【０１３６】
特に、書込動作時に、発光素子の発光輝度を設定するための階調実効電圧に加え、しきい値電圧検出動作により取得した各表示画素のスイッチング素子に固有のしきい値電圧相当の電圧成分を保持させることにより、スイッチング素子の駆動履歴や使用時間等に起因してしきい値電圧が変動するＶthシフトが発生した場合であっても、当該スイッチング素子を確実に動作境界付近に設定した状態に、表示データに応じた電圧成分を上乗せして保持させた状態に設定することができるので、アモルファスシリコン薄膜トランジスタをスイッチング素子に適用した場合であってもＶthシフトの影響を抑制して、表示データに応じた適切な発光動作を実現することができる。
【０１３７】
また、階調指定電圧として、階調実効電圧と、各表示画素のスイッチング素子に固有のしきい値電圧とを合算した電圧値になるように設定することができるので、階調実効電圧を、スイッチング素子のしきい値電圧を考慮することなく、表示データ（輝度階調データ）のみに対応した電圧値に設定することができる。したがって、階調電圧生成部における階調実効電圧生成のための処理負担が軽減される。
【０１３８】
なお、本実施形態においては、表示駆動動作に先立って実行されるしきい値電圧検出動作において、電圧印加期間Ｔpvに各表示画素ＰＸの発光駆動回路ＤＣ（薄膜トランジスタＴｒ１３のソース端子側）に印加する検出用電圧Ｖpvを、補償電圧ＤＡＣ１５０から電圧加算部１８０及び電圧印加側スイッチ１９２を介して、データラインＤＬに印加する表示駆動装置の構成及び駆動制御方法を示したが、本発明はこれに限定されるものではなく、例えば、以下に示すように、検出用電圧ＶpvをデータラインＤＬに印加するための専用電源を備えるものであってもよい。
【０１３９】
図１０は、本実施形態に係る表示駆動装置の他の構成例を示す要部構成図である。ここで、上述した実施形態と同等の構成についてはその説明を省略する。
本構成例に係る表示駆動装置は、図１０に示すように、上述した表示駆動装置１００の構成（図１参照）に加え、補償電圧ＤＡＣ１５０とは別個に、検出用電圧Ｖpvを出力する検出用電圧電源１５１を備えた構成を有するとともに、電圧加算部１８０への電圧成分の入力源として上記補償電圧ＤＡＣ１５０（補償電圧Ｖpth）、及び、階調電圧生成部１３０（階調実効電圧Ｖreal、無発光表示電圧Ｖzero）に加え、当該検出用電圧電源１５１（検出用電圧Ｖpv）が接続された構成を有している。
【０１４０】
これによれば、上述した電圧印加期間Ｔpvにおいて、補償電圧ＤＡＣ１５０及び階調電圧生成部１３０からの出力を停止、又は、遮断した状態に設定する制御のみで、検出用電圧電源１９０からの検出用電圧Ｖpvを、電圧加算部１８０を介してデータラインＤＬに印加することができるので、補償電圧ＤＡＣ１５０における検出用電圧Ｖpvの出力動作のための処理負担を軽減することができる。
【０１４１】
（表示駆動動作：無発光表示動作）
次いで、上述したような構成を有する表示駆動装置及び表示画素において、発光素子を発光動作させない無発光表示（黒表示）動作を行う場合の駆動制御方法について、図面を参照して説明する。
【０１４２】
図１１は、本実施形態に係る表示駆動装置において無発光表示動作を行う場合の駆動制御方法の一例を示すタイミングチャートである。また、図１２は、本実施形態に係る駆動制御方法（無発光表示動作）においてデータ書込動作を示す概念図であり、図１３は、本実施形態に係る駆動制御方法（無発光表示動作）において無発光動作を示す概念図である。ここで、上述した階調表示動作と同等の駆動制御についてはその説明を簡略化又は省略する。
【０１４３】
本実施形態に係る表示駆動装置における駆動制御動作は、図１１に示すように、上述したしきい値電圧検出動作（しきい値電圧検出期間Ｔdec）の後に、各表示画素ＰＸに設けられた発光駆動用の薄膜トランジスタＴｒ１３に固有のしきい値電圧Ｖth13相当の電圧成分を保持させる補償電圧Ｖpthと、当該しきい値電圧Ｖth13相当の電圧成分を放電して、十分低い電圧を保持させるための無発光表示電圧Ｖzeroとを合算した階調指定電圧Ｖdata(0)を印加して、有機ＥＬ素子ＯＥＬを無発光状態に設定する表示駆動動作（表示駆動期間）を実行する制御方法により構成されている。
【０１４４】
なお、有機ＥＬ素子ＯＥＬを無発光状態に設定するための階調指定電圧Ｖdata(0)としては、上述した電圧加算部１８０により補償電圧Ｖpthと無発光表示電圧Ｖzeroとを合算した電圧成分を用いる手法のほか、例えば、各表示画素ＰＸに設けられた発光駆動用の薄膜トランジスタＴｒ１３に固有のしきい値電圧Ｖth13よりも十分低い電圧成分を保持させることができる一定の電圧値を有する無発光表示電圧Ｖzeroのみを用いる手法を適用するものであってもよい。
【０１４５】
すなわち、上述した階調表示動作を実行する際の駆動制御動作においては、当該表示駆動動作（表示駆動期間Ｔcyc）における書込動作期間Ｔwrtから発光動作期間Ｔemに移行する際に、供給電圧Ｖscが低電位（Ｖs）から高電位（Ｖｅ）に変位するように設定される。このため、薄膜トランジスタＴｒ１１に寄生する容量成分等に保持される電荷の変位により、薄膜トランジスタＴｒ１３のゲート端子（接点Ｎ１１）に印加される電位（ゲート電位）が上昇してしまうという現象が生じる。
【０１４６】
ここで、表示データに基づく輝度階調が最低階調（黒表示状態）の場合、当該輝度階調に対応させて階調実効電圧の電圧値を微小な状態又は０Ｖとした場合、階調指定電圧Ｖdataは実質的に補償電圧Ｖpthと同等となり、書込動作期間ＴwrtにおいてコンデンサＣｓに充電される電圧（両端電位Ｖｃ）は、薄膜トランジスタＴｒ１３に固有のしきい値電圧Ｖth13の近傍となる。そのため、上記書込動作期間Ｔwrtから発光動作期間Ｔemへの移行により、僅かなゲート電位の変動が生じた場合であっても、薄膜トランジスタＴｒ１３がオン動作して発光駆動電流Ｉemが流れてしまい、表示データに応じた無発光表示（黒表示）動作が実現されなくなる（すなわち、無発光表示動作が不安定になる）可能性がある。
【０１４７】
このような無発光表示動作を安定化させるためには、発光動作期間Ｔemにおいて、コンデンサＣｓに充電された電圧成分が放電されて、薄膜トランジスタＴｒ１３のゲート−ソース間電圧Ｖgs（コンデンサＣｓの両端電位Ｖｃ）が、当該薄膜トランジスタＴｒ１３に固有のしきい値電圧Ｖth13よりも十分低く設定されていること、より望ましくは、０Ｖ（すなわち、接点Ｎ１１と接点Ｎ１２が等電位）に設定されていることが望ましい。
【０１４８】
このような電圧状態を実現するために、従来技術に示したような電流階調指定方式の駆動制御方法を適用した場合、黒表示に対応した微小な電流値の階調電流（階調信号）を供給して書込動作を行う必要があり、コンデンサＣｓに蓄積された電荷を放電してゲート−ソース間電圧Ｖgsを所望の電荷量（電圧値）にするために比較的長い時間を必要とする。特に、１つ前の表示駆動期間（１処理サイクル期間）Ｔcycの書込動作期間Ｔwrtにおいて、コンデンサＣｓに充電された電圧成分（両端電位Ｖｃ）が最高輝度階調電圧に近い程、コンデンサＣｓに蓄積されている電荷量が多いため、所望の電圧値になるように電荷を放電するためにより長い時間を要することとなる。
【０１４９】
そこで、本実施形態に係る表示駆動装置においては、図１に示すように、階調電圧生成部１３０に、表示データに応じた所定の輝度階調で有機ＥＬ素子（発光素子）ＯＥＬを発光動作させるための階調実効電圧Ｖrealを生成して供給する手段に加え、有機ＥＬ素子ＯＥＬを発光動作させずに最も暗い表示（黒表示）動作をさせるための無発光表示電圧Ｖzeroを生成して供給する手段を備え、最低輝度階調（黒表示状態）時に、補償電圧ＤＡＣ１５０により生成される補償電圧Ｖpthと無発光表示電圧Ｖzeroとに基づく電圧成分（階調指定電圧Ｖdata(0)）を、データラインＤＬに印加する、もしくは、無発光表示電圧Ｖzeroを直接印加するように構成されている。
【０１５０】
なお、本実施形態においては、階調電圧生成部１３０により無発光表示電圧Ｖzeroを生成して出力する場合について示すが、本発明はこれに限定されるものではなく、例えば、階調電圧生成部１３０とは別個に無発光表示電圧Ｖzeroを出力するための専用電源を備えるものであってもよい。
【０１５１】
そして、このような構成を有する表示駆動装置における駆動制御方法は、上述したしきい値電圧検出動作の終了後の表示駆動動作において、図１１に示すように、所定の表示駆動期間（１処理サイクル期間）Ｔcyc内に、表示画素ＰＸに補償電圧Ｖpthと無発光表示電圧Ｖzero（上述した階調実効電圧Ｖrealに相当する）とに基づく電圧、例えば、補償電圧Ｖpthと無発光表示電圧Ｖzeroとを合算した総和となる電圧、を階調指定電圧Ｖdata(0)として印加して、発光駆動回路ＤＣに設けられた発光駆動用の薄膜トランジスタＴｒ１３のゲート−ソース間（コンデンサＣｓの両端）に保持された（残留する）電荷のほぼ全てを放電して、薄膜トランジスタＴｒ１３のゲート−ソース間電圧Ｖgsを０Ｖに設定する書込動作期間Ｔwrtと、有機ＥＬ素子ＯＥＬを発光動作させない（無発光動作させる）発光動作期間Ｔemと、を含むように設定されている（Ｔcyc≧Ｔwrt＋Ｔem）。
【０１５２】
すなわち、上述した階調表示動作を実行する際の駆動制御動作と同様に、書込動作期間Ｔwrtにおいて、図１２に示すように、表示駆動装置１００（階調電圧生成部１３０）から、例えば、低電位の供給電圧Ｖsc（＝Ｖｓ）と等電位の階調指定電圧（補償電圧と無発光表示電圧との総和）をデータライン入出力切換部１９０及びデータラインＤＬを介して、表示画素ＰＸ（発光駆動回路ＤＣ）に設けられた発光駆動用の薄膜トランジスタＴｒ１３のゲート−ソース間（コンデンサＣｓ）、具体的には、当該薄膜トランジスタＴｒ１３のソース端子側（接点Ｎ１２）に直接印加して、上記ゲート−ソース間電圧Ｖgs（コンデンサＣｓの両端電位Ｖｃ）を０Ｖに設定する。
【０１５３】
このように、コンデンサＣｓに蓄積された電荷のほぼ全てが放電され、薄膜トランジスタＴｒ１３のゲート−ソース電圧Ｖgsが、当該薄膜トランジスタＴｒ１３に固有のしきい値電圧Ｖth13よりも十分低い電圧値（略０Ｖ）に設定されるので、書込動作期間Ｔwrtから発光動作期間Ｔemに移行する際に、供給電圧Ｖscが低電位（Ｖs）から高電位（Ｖｅ）に変位して薄膜トランジスタＴｒ１３のゲート電位（接点Ｎ１１の電位）が僅かながら上昇したとしても、図１３に示すように、薄膜トランジスタＴｒ１３はオン動作せず（オフ状態を保持して）、有機ＥＬ素子ＯＥＬには発光駆動電流Ｉemが供給されず、発光動作は行われない（無発光状態となる）。
【０１５４】
これにより、無発光表示動作時に、データラインＤＬを介して無発光表示データに対応した電流値を有する階調信号（階調電流）を供給して、薄膜トランジスタＴｒ１３のゲート−ソース間に接続されたコンデンサＣｓに蓄積された電荷のほぼ全てを放電する場合に比較して、無発光表示データの書込動作に要する時間を短縮しつつ、有機ＥＬ素子ＯＥＬの無発光状態（無発光表示動作）を確実に実現することができる。したがって、上述した通常の階調表示を行うための表示駆動動作に加え、無発光表示を行うための表示駆動動作を、表示データ（輝度階調データ）に応じて切換制御することにより、所望の階調数（例えば、２５６階調）の発光動作を、比較的高輝度かつ鮮明に実現することができる。
【０１５５】
なお、本実施形態に係る表示画素ＰＸにおいては、図１に示したように、発光駆動回路ＤＣに設けられる薄膜トランジスタＴｒ１１〜Ｔｒ１３として、いずれもｎチャネル型のアモルファスシリコン薄膜トランジスタを適用した構成を示したが、ポリシリコン薄膜トランジスタを適用するものであってもよく、さらに、全てｐチャネル型のアモルファスシリコン薄膜トランジスタを適用するものであってもよい。ここで、全てｐチャネル型を適用した場合、信号のオンレベル、オフレベルのハイ、ローが反転するように設定される。
【０１５６】
ここで、表示画素ＰＸ（発光駆動回路ＤＣ）に設けられる薄膜トランジスタＴｒ１１〜Ｔｒ１３として、アモルファスシリコン薄膜トランジスタを適用した場合、上述したように、すでに確立されたアモルファスシリコン製造技術を適用して、素子特性（電子移動度等）の均一なアモルファスシリコン薄膜トランジスタからなる発光駆動回路を比較的簡易な製造プロセスで製造することができる。
【０１５７】
そして、この場合、アモルファスシリコン薄膜トランジスタにおいては、駆動履歴によるしきい値電圧の変動（Ｖthシフト）が顕著であるが、本発明に係る表示駆動装置及びその駆動制御方法によれば、表示データの書込動作において、各表示画素ＰＸ（発光駆動回路ＤＣ）に設けられる発光駆動用の薄膜トランジスタＴｒ１３に固有のしきい値電圧（Ｖthシフトにより変動した後のしきい値電圧）を検出して、当該しきい値電圧に対応する電圧成分を、階調実効電圧とともに印加して保持させるように制御されるので、各表示画素ＰＸにおいて薄膜トランジスタＴｒ１３のしきい値電圧の変動状況にかかわらず、常に動作境界となる状態（変動したしきい値電圧を補償した状態）に、表示データに応じた階調実効電圧が上乗せして保持された状態に設定することができ、当該階調実効電圧に応じた輝度階調で有機ＥＬ素子を発光動作させることができる。
【０１５８】
また、本実施形態においては、図１に示したように、各表示画素ＰＸに設けられる発光駆動回路ＤＣにより生成された発光駆動電流を、発光素子である有機ＥＬ素子ＯＥＬに流し込む形態の回路構成を示して説明したが、本発明はこれに限定されるものではない。
図１４は、本発明に係る表示駆動装置により駆動制御される表示画素の他の実施形態を示す要部構成図である。ここで、上述した実施形態と同等の構成については、同一又は同等の符号を付して説明する。
【０１５９】
例えば、図１４に示すように、表示画素ＰＸ２として、ゲート端子が選択ラインＳＬに、ソース端子及びドレイン端子が接点Ｎ２１及び接点Ｎ２２に各々接続された薄膜トランジスタＴｒ２１と、ゲート端子が選択ラインＳＬに、ソース端子及びドレイン端子がデータラインＤＬ及び接点Ｎ２２に各々接続された薄膜トランジスタＴｒ２２と、ゲート端子が接点Ｎ２１に、ドレイン端子が接点Ｎ２２に各々接続され、ソース端子に共通電圧Ｖcom（例えば、接地電位ＧＮＤ）が印加された薄膜トランジスタＴｒ２３と、接点Ｎ２１に一端側が接続され、他端側に共通電圧Ｖcomが印加されたコンデンサＣｓと、からなる発光駆動回路ＤＣ２、及び、アノード端子が所定の供給電圧Ｖscが印加される供給電圧ラインＶＬに接続され、カソード端子が接点Ｎ２１に各々接続された有機ＥＬ素子ＯＥＬを備えた構成を適用することができる。
【０１６０】
この表示画素ＰＸ２においては、書込動作期間に階調指定電圧に応じた電圧成分が、発光駆動用の薄膜トランジスタＴｒ２３のゲート−ソース間（コンデンサＣｓの両端）に保持され、発光動作期間に当該電圧成分に基づいて薄膜トランジスタＴｒ２３がオン動作して、供給電圧ラインＶＬから有機ＥＬ素子ＯＥＬ、接点Ｎ２２及び薄膜トランジスタＴｒ２３を介して、共通電圧Ｖcom方向に所定の電流値を有する発光駆動電流が流れる（発光駆動回路ＤＣ２により引き抜く）ことにより、有機ＥＬ素子ＯＥＬが表示データ（階調指定電圧）に応じた所定の輝度階調で発光動作させることができる。
【０１６１】
さらに、本実施形態においては、図１、図１４に示したように、各表示画素ＰＸに設けられる発光駆動回路ＤＣとして、３個の薄膜トランジスタＴｒ１１〜Ｔｒ１３を備えた回路構成を示して説明したが、本発明はこれに限定されるものではない。すなわち、電圧階調指定方式に対応した発光駆動回路であって、単一の薄膜トランジスタを用いて、表示データに応じて印加された階調指定電圧に対応した電圧成分（電荷）をコンデンサ又は寄生容量に保持（蓄積）する電圧保持機能、及び、該保持された電圧成分に基づいて発光素子（有機ＥＬ素子）に供給する発光駆動電流を制御する発光駆動機能を実現するものであれば、他の回路構成を有するものであってもよいことはいうまでもない。
【０１６２】
＜表示装置＞
次に、本発明に係る表示装置及びその駆動制御方法について、図面を参照して説明する。
図１５は、本発明に係る表示装置の全体構成の一例を示す概略ブロック図であり、図１６は、本実施形態に係る表示装置に適用される表示パネル及びその周辺回路（選択ドライバ、電源ドライバ）の一例を示す概略構成図である。ここで、上述した実施形態に示した表示駆動装置及び表示画素（発光駆動回路）と同等の構成については、同一又は同等の符号を付して、上述した図面を適宜参照しながら説明する。
【０１６３】
図１５、図１６に示すように、本実施形態に係る表示装置２００は、概略、行方向に配設された複数の選択ライン（選択線）ＳＬと列方向に配設された複数のデータライン（データ線）ＤＬとの各交点近傍に、上述した実施形態と同等の回路構成を有する発光駆動回路ＤＣ及び有機ＥＬ素子（発光素子）ＯＥＬを備えた複数の表示画素ＰＸがｎ行×ｍ列（ｎ、ｍは、任意の正の整数）からなるマトリクス状に配列された表示パネル２１０と、該表示パネル２１０の選択ラインＳＬに接続され、各選択ラインＳＬごとに順次所定のタイミングで選択信号Ｓselを印加する選択ドライバ（選択駆動部）２２０と、選択ラインＳＬの各々に並行して行方向に配設された供給電圧ラインＶＬに接続され、各供給電圧ラインＶＬごとに順次所定のタイミングで所定の電圧レベルの供給電圧Ｖscを印加する電源ドライバ（電源駆動部）２３０と、表示パネル２１０のデータラインＤＬに接続され、上述したしきい値電圧検出期間Ｔdecに、各データラインＤＬを介して各列の表示画素ＰＸ（発光駆動回路ＤＣ）に設けられた発光駆動用のスイッチング素子（薄膜トランジスタ）の当該時点のしきい値電圧を検出するとともに、表示駆動期間Ｔcycに、各データラインＤＬを介して各列の表示画素ＰＸに、当該表示画素ＰＸのスイッチング素子に固有のしきい値電圧に対応した補償電圧Ｖpth、及び、各表示データに応じた階調実効電圧Ｖreal（又は、無発光表示電圧Ｖzero）に基づく電圧、例えば補償電圧Ｖpthと階調実効電圧Ｖrealとの総和からなる電圧、を階調指定電圧Ｖdataとして供給するデータドライバ（データ駆動部）２４０と、後述する表示信号生成回路２６０から供給されるタイミング信号に基づいて、少なくとも上記選択ドライバ２２０及び電源ドライバ２３０、データドライバ２４０の動作状態を制御する選択制御信号及び電源制御信号、データ制御信号（タイミング制御信号）を生成して出力するシステムコントローラ２５０と、例えば、表示装置２００の外部から供給される映像信号に基づいて、デジタル信号からなる表示データ（輝度階調データ）を生成してデータドライバ２４０に供給するとともに、該表示データに基づいて表示パネル２１０に所定の画像情報を表示するためのタイミング信号（システムクロック等）を抽出、又は、生成して上記システムコントローラ２５０に供給する表示信号生成回路２６０と、を備えて構成されている。
【０１６４】
以下、上記各構成について具体的に説明する。
（表示パネル）
図１５に示した表示パネル２１０に配列された各表示画素ＰＸは、上述した実施形態（図１、図１４参照）に示した表示画素と同様に、選択ドライバ２２０から選択ラインＳＬを介して印加される選択信号Ｓsel、及び、電源ドライバ２３０から供給電圧ラインＶＬを介して印加される供給電圧Ｖsc、データドライバ２４０からデータラインＤＬを介して供給される階調指定電圧Ｖdataに基づいて、表示データに応じた発光駆動電流Ｉemを生成する発光駆動回路ＤＣと、該発光駆動回路ＤＣから供給される発光駆動電流Ｉemの電流値に応じて所定の輝度階調で発光動作する有機ＥＬ素子（発光素子）ＯＥＬと、を有して構成されている。なお、本実施形態においては、上述した実施形態（図１参照）と同様に、発光素子として有機ＥＬ素子ＯＥＬを適用した場合について示すが、発光駆動電流の電流値に応じて所定の輝度階調で発光動作を行う電流制御型の発光素子であれば、他の発光素子であってもよい。
【０１６５】
（選択ドライバ）
選択ドライバ２２０は、システムコントローラ２５０から供給される選択制御信号に基づいて、各選択ラインＳＬにオンレベル（上述した表示画素においては、ハイレベル）の選択信号Ｓselを印加することにより、各行ごとの表示画素ＰＸを選択状態に設定する。具体的には、各行の表示画素ＰＸについて、しきい値電圧検出期間Ｔdec、及び、表示駆動期間Ｔcycにおける書込動作期間Ｔwrt中、選択信号Ｓselを当該行の選択ラインＳＬに印加する動作を、所定のタイミングで各行ごとに順次実行することにより、各行ごとの表示画素ＰＸを順次選択状態に設定する。
【０１６６】
ここで、選択ドライバ２２０は、例えば、図１６に示すように、後述するシステムコントローラ２５０から選択制御信号として供給される選択クロック信号ＳＣＫ及び選択スタート信号ＳＳＴに基づいて、各行の選択ラインＳＬに対応するシフト信号を順次出力する周知のシフトレジスタ２２１と、該シフトレジスタ２２１から出力されるシフト信号を所定の信号レベル（オンレベル）に変換して、システムコントローラ２５０から選択制御信号として供給される出力制御信号ＳＯＥに基づいて、各選択ラインＳＬに選択信号Ｓselとして出力する出力回路部（出力バッファ）２２２と、を備えた構成を有している。
【０１６７】
（電源ドライバ）
電源ドライバ２３０は、システムコントローラ２５０から供給される電源制御信号に基づいて、各行の表示画素ＰＸについて、発光動作期間中のみ高電位の供給電圧Ｖsc（＝Ｖｅ）を当該行の供給電圧ラインＶＬに印加し、発光動作期間以外の動作期間（しきい値電圧検出期間Ｔdec、及び、表示駆動期間Ｔcycにおける書込動作期間Ｔwrt）中、低電位の供給電圧Ｖsc（＝Ｖｓ）を印加する。
【０１６８】
ここで、電源ドライバ２３０は、例えば、図１６に示すように、上述した選択ドライバ２２０と同様に、システムコントローラ２５０から電源制御信号として供給されるクロック信号ＶＣＫ及びスタート信号ＶＳＴに基づいて、各行の供給電圧ラインＶＬに対応するシフト信号を順次出力する周知のシフトレジスタ２３１と、シフト信号を所定の電圧レベル（電圧値Ｖｅ、Ｖｓ）に変換して、電源制御信号として供給される出力制御信号ＶＯＥに基づいて、各供給電圧ラインＶＬに供給電圧Ｖscとして出力する出力回路部２３２と、を備えた構成を有している。
【０１６９】
（データドライバ）
データドライバ２４０は、上述した実施形態に示した表示駆動装置１００と同様に、少なくとも、図１に示したシフトレジスタ・データレジスタ部１１０と、表示データラッチ部１２０と、階調電圧生成部１３０と、検出電圧ＡＤＣ１４０と、補償電圧ＤＡＣ１５０と、しきい値データラッチ部１６０と、フレームメモリ１７０と、電圧加算部１８０と、データライン入出力切換部１９０と、を備えた構成を有している。
【０１７０】
なお、図１においては、単一の表示画素ＰＸに対応する構成を示したが、本実施形態に係るデータドライバ２４０においては、表示パネル２１０の列方向に配列される各データラインＤＬごとに、上記データライン入出力切換部１９０が設けられ、当該データライン入出力切換部１９０を構成する電圧検出側スイッチ１９１及び電圧印加側スイッチ１９２を上述した駆動制御方法に基づいて切り換え制御することにより、各列の表示画素ＰＸに対して各データラインＤＬを介して、同時並行して、もしくは、各列ごとに順次、検出用電圧Ｖpv、階調指定電圧Ｖdataのいずれかを印加する動作、もしくは、検出電圧Ｖdecを測定する動作が選択的に実行される。
【０１７１】
すなわち、本実施形態に係るデータドライバ（表示駆動装置）２４０に設けられるシフトレジスタ・データレジスタ部１１０は、システムコントローラ２５０から供給されるデータ制御信号（シフトクロック信号、サンプリングスタート信号）に基づいて、１行分の各列の表示画素ＰＸ（又は、各列のデータラインＤＬ）に対応して生成されるシフト信号の出力タイミングに基づいて、表示信号生成回路２６０から供給される１行分の表示データを順次取り込む。
表示データラッチ部１２０は、データ制御信号（データラッチ信号）に基づいて、上記シフトレジスタ・データレジスタ部１１０により取り込まれた１行分の表示データが転送されて、各列の表示画素ＰＸごとに保持される。
【０１７２】
階調電圧生成部１３０は、上記表示データラッチ部１２０に保持された各表示データに基づいて、当該表示データに応じた電圧値を有する階調実効電圧Ｖreal、又は、無発光表示電圧Ｖzeroを生成して、電圧加算部１８０に出力する。
【０１７３】
具体的には、上記表示データが有機ＥＬ素子（発光素子）ＯＥＬの発光動作を伴う通常の階調表示を行うための階調表示データの場合には、例えば、階調基準電圧に基づいて、当該表示データに対応する電圧値を有するアナログ信号電圧に変換し（デジタル−アナログ変換処理）、階調指定電圧Ｖdataとして電圧加算部１８０に出力し、一方、上記表示データが有機ＥＬ素子（発光素子）ＯＥＬの発光動作を伴わない無発光表示データの場合には、所定の無発光表示電圧Ｖzeroを電圧加算部１８０に出力する。
【０１７４】
なお、無発光表示電圧Ｖzeroは、上述した駆動制御方法（無発光表示動作）に示したように、後述する電圧加算部１８０における補償電圧Ｖpthとの合算により生成される階調指定電圧Ｖdata(0)の書込動作により、表示画素ＰＸを構成する発光駆動回路ＤＣに設けられた発光駆動用のスイッチング素子（薄膜トランジスタＴｒ１３）のゲート−ソース間（コンデンサＣｓ）に蓄積された電荷を十分に放電して、ゲート−ソース間電圧Ｖgs（コンデンサＣｓの両端電位Ｖｃ）を少なくとも当該薄膜トランジスタＴｒ１３に固有のしきい値電圧Ｖth13以下、望ましくは、０Ｖに設定する（又は、０Ｖに近似させる）ために必要な任意の電圧値に設定されている。ここで、無発光表示電圧Ｖzero、及び、階調電流Ｉdataを生成するための階調基準電圧は、例えば、図示を省略した電源供給手段等から供給される。
【０１７５】
検出電圧ＡＤＣ１４０は、表示パネル２１０における各行の表示画素ＰＸへの表示データ（階調指定電圧）の書込動作及び発光動作に先立つしきい値電圧検出動作において、選択状態に設定された行の各列の表示画素ＰＸ（発光駆動回路ＤＣ）に設けられた発光駆動用のスイッチング素子（薄膜トランジスタＴｒ１３）の、当該しきい値電圧検出動作の実行時点のしきい値電圧（又は、当該しきい値電圧に対応する電圧成分）を、各データラインＤＬを介して検出電圧Ｖdecとして同時並行して、もしくは、順次測定し、デジタル信号電圧からなるしきい値検出データに変換して、しきい値データラッチ部１６０に出力する。
【０１７６】
補償電圧ＤＡＣ１５０は、上記しきい値電圧検出動作において、選択状態に設定された行の各列の表示画素ＰＸ（発光駆動回路ＤＣに設けられた発光駆動用のスイッチング素子）に、所定の検出用電圧Ｖpvを各データラインＤＬを介して同時並行して、もしくは、順次出力する。
【０１７７】
また、補償電圧ＤＡＣ１５０は、表示パネル２１０における各行の表示画素ＰＸへの表示データ（階調指定電圧）の書込動作において、選択状態に設定された行の各列の表示画素ＰＸに設けられた上記スイッチング素子に固有のしきい値電圧を補償するためのしきい値補償データに基づいて補償電圧Ｖpthを生成し、電圧加算部１８０に出力する。
【０１７８】
しきい値データラッチ部１６０は、上記しきい値電圧検出動作において、選択状態に設定された行の各列の表示画素ＰＸごとに、上記検出電圧ＡＤＣ１４０により変換、生成されたしきい値検出データを取り込んで保持した後、シフトレジスタ・データレジスタ部１１０により当該１行分のしきい値検出データが取り出されて、フレームメモリ１７０に順次転送される。
【０１７９】
また、しきい値データラッチ部１６０は、上記書込動作において、シフトレジスタ・データレジスタ部１１０によりフレームメモリ１７０から順次取り出された、選択状態に設定された行の各列の表示画素ＰＸごとのしきい値検出データに応じたしきい値補償データを取り込んで保持し、各列ごとに補償電圧ＤＡＣ１５０に転送する。
【０１８０】
そして、電圧加算部１８０は、上記書込動作において、選択状態に設定された行の各列の表示画素ＰＸについて、上記階調電圧生成部１３０により生成された階調実効電圧Ｖreal、又は、無発光表示電圧Ｖzeroと、補償電圧ＤＡＣ１５０により生成された補償電圧Ｖpthとを合算し、総和となる電圧成分を各列のデータラインＤＬを介して同時並行して、もしくは、順次、当該行の各列の表示画素ＰＸに出力する。
【０１８１】
（システムコントローラ）
システムコントローラ２５０は、選択ドライバ２２０及び電源ドライバ２３０、データドライバ２４０の各々に対して、動作状態を制御する選択制御信号及び電源制御信号、データ制御信号を生成して出力することにより、各ドライバを所定のタイミングで動作させて、所定の電圧レベルを有する選択信号Ｓsel及び供給電圧Ｖsc、階調指定電圧Ｖdata（又は、無発光表示電圧Ｖzero）を生成して出力させ、各表示画素ＰＸ（発光駆動回路ＤＣ）におけるしきい値電圧検出動作（電圧印加動作、電圧収束動作、電圧読取動作）、及び、表示駆動動作（書込動作、発光動作）を実行させて、映像信号に基づく所定の画像情報を表示パネル２１０に表示させる制御を行う。
【０１８２】
（表示信号生成回路）
表示信号生成回路２６０は、例えば、表示装置２００の外部から供給される映像信号から輝度階調信号成分を抽出し、表示パネル２１０の１行分ごとに、該輝度階調信号成分をデジタル信号からなる表示データ（輝度階調データ）としてデータドライバ２４０のシフトレジスタ・データレジスタ部に供給する。ここで、上記映像信号が、テレビ放送信号（コンポジット映像信号）のように、画像情報の表示タイミングを規定するタイミング信号成分を含む場合には、表示信号生成回路２６０は、上記輝度階調信号成分を抽出する機能のほかに、タイミング信号成分を抽出してシステムコントローラ２５０に供給する機能を有するものであってもよい。この場合においては、上記システムコントローラ２５０は、表示信号生成回路２６０から供給されるタイミング信号に基づいて、選択ドライバ２２０や電源ドライバ２３０、データドライバ２４０に対して個別に供給する各制御信号を生成する。
【０１８３】
なお、本実施形態に係る表示装置においては、表示パネル２１０の周辺に、選択ラインＳＬに接続された選択ドライバ２２０、及び、供給電圧ラインＶＬに接続された電源ドライバ２３０を個別に設けた構成を示したが、上述した表示駆動装置（データドライバ２４０に相当する）の駆動制御方法（図７、図１１参照）において説明したように、特定の行の表示画素ＰＸについて、（選択ドライバ２２０から）選択ラインＳＬに印加される選択信号Ｓselと、（電源ドライバ２３０から）供給電圧ラインＶＬに印加される供給電圧Ｖscとは、相互に信号レベルが反転関係になるように設定されるので、表示パネル２１０に配列された各表示画素ＰＸを行単位で独立して表示駆動動作（特に、発光動作）を行う場合（具体的には、後述する表示装置２００の駆動制御方法の第１の例の場合）には、選択ドライバ２２０により生成される選択信号Ｓselの信号レベルを反転し（レベル反転処理）、さらに、所定の電圧レベルを有するようにレベル変換して（レベル変換処理）、当該行の供給電圧ラインＶＬに印加するように構成することにより、電源ドライバ２３０をなくした構成を適用することができる。
【０１８４】
＜表示装置の駆動制御方法（その１）＞
次いで、本実施形態に係る表示装置における駆動制御方法（駆動制御動作）について説明する。
図１７は、本実施形態に係る表示装置の駆動制御方法の第１の例を模式的に示したタイミングチャ−トである。ここで、上述した実施形態に示した表示駆動装置及び表示画素（発光駆動回路）における場合と同等の駆動制御方法（図２、図７参照）については、その説明を簡略化する。なお、本実施形態においては、説明の都合上、便宜的に表示パネルに１２行（ｎ＝１２；第１行〜第１２行）の表示画素が配列された構成を有しているものとして説明する。
【０１８５】
本実施形態に係る表示装置２００の駆動制御動作の第１の例は、概略、図１７に示すように、まず、表示パネル２１０に画像情報を表示するための表示駆動動作（図２、図７に示した表示駆動期間）に先立って、表示パネル２１０に配列された全ての表示画素ＰＸついて、各表示画素ＰＸに設けられた発光駆動回路ＤＣにおいて有機ＥＬ素子（発光素子）ＯＥＬの発光状態を制御する発光駆動用のスイッチング素子（薄膜トランジスタ）のしきい値電圧（又は、当該しきい値電圧に対応する電圧成分）を検出するしきい値電圧検出動作（しきい値電圧検出期間Ｔdec）を実行し、その後、１フレーム期間Ｔfr（約１６．７ｍsec）内に、表示パネル２１０の各行ごとの表示画素ＰＸ（発光駆動回路ＤＣ）に、上記スイッチング素子のしきい値電圧相当の補償電圧と表示データに応じた階調実効電圧からなる電圧成分を保持させ（しきい値電圧を補償して表示データを書き込み）、各行の表示画素ＰＸ（有機ＥＬ素子ＯＥＬ）を上記表示データ（階調実効電圧）に応じた輝度階調で発光動作させる表示駆動動作（表示駆動期間Ｔcyc）を、全行について順次繰り返し、表示パネル２１０一画面分の画像情報を表示する。
【０１８６】
ここで、しきい値電圧検出動作（しきい値電圧検出期間Ｔdec）は、上述した実施形態と同様に、表示パネル２１０の各行ごとの表示画素ＰＸ（発光駆動回路ＤＣ）に対して、所定の検出用電圧Ｖpvを印加する電圧印加動作（電圧印加期間Ｔpv）と、該検出用電圧Ｖpvに基づく電圧成分を各スイッチング素子（薄膜トランジスタＴｒ１３）の当該検出時点でのしきい値電圧に収束させる電圧収束動作（電圧収束期間Ｔcv）と、各表示画素ＰＸにおける電圧収束後のしきい値電圧Ｖth13を測定して（読み取り）、各表示画素ＰＸごとにしきい値検出データとして記憶する電圧読取動作（電圧読取期間）と、からなる一連の駆動制御を、各行ごとに所定のタイミングで順次実行する。
【０１８７】
ここで、図１７に示したタイミングチャートにおいて、しきい値電圧検出期間Ｔdecの各行の斜線で示したハッチング部分は、各々、上述した実施形態に示した電圧印加動作及び電圧収束動作、電圧読取動作からなる一連のしきい値電圧検出動作を表しており、各行ごとのしきい値電圧検出動作が時間的に重ならないように、タイミングをずらして順次実行される。
【０１８８】
また、表示駆動動作（表示駆動期間Ｔcyc）についても、上述した実施形態と同様に、１フレーム期間Ｔfr内に、表示パネル２１０の各行ごとの表示画素ＰＸ（発光駆動回路ＤＣ）に対して、上記しきい値電圧検出動作により各表示画素ＰＸ（発光駆動用のスイッチング素子）について検出され、記憶されたしきい値検出データ（しきい値補償データ）に基づいて、各表示画素ＰＸのしきい値電圧を補償する補償電圧Ｖpthを生成し、補償電圧Ｖpthと表示データに応じた階調実効電圧Ｖrealとに基づく電圧成分、例えば、補償電圧Ｖpthと階調実効電圧Ｖrealとの総和となる電圧成分（階調指定電圧ＶＩdata、Ｖdata(0)）を書き込む書込動作（書込動作期間Ｔwrt）と、所定のタイミングで上記表示データ（階調実効電圧）に応じた輝度階調で各表示画素ＰＸ（有機ＥＬ素子ＯＥＬ）を発光させる発光動作（発光動作期間Ｔem）と、からなる一連の駆動制御を、各行ごとに所定のタイミングで順次実行する。
【０１８９】
ここで、図１７に示したタイミングチャートにおいて、表示駆動期間Ｔcycの各行のクロスメッシュで示したハッチング部分は、各々、上述した実施形態に示した表示データの書込動作を表しており、特に、本実施形態においては、各行ごとの書込動作が時間的に重ならないようにタイミングをずらして順次実行され、書込動作が終了した行の表示画素ＰＸから順に発光動作が実行される。すなわち、各行の表示駆動動作のうち、発光動作のみが各行間で相互に時間的に重なるように（部分的に並行して）実行される。
【０１９０】
以下、本実施形態に係る表示駆動動作の第１の例について、さらに詳しく説明する。
図１７に示すように、表示駆動動作（表示駆動期間Ｔcyc）の書込動作期間Ｔwrt（図中、クロスメッシュで表示）においては、選択ドライバ２２０から表示パネル２１０の特定の行（例えば、ｉ行目；１≦ｉ≦１２）の選択ラインＳＬに対して、図７、図１１に示したように、オンレベル（ハイレベル）の選択信号Ｓselを印加することにより、当該ｉ行の表示画素ＰＸを選択状態に設定する。また、当該書込動作期間Ｔwrtにおいては、電源ドライバ２３０から当該ｉ行の供給電圧ラインＶＬに対して、低電位の供給電圧Ｖsc（＝Ｖｓ）が印加される。
【０１９１】
そして、このタイミング（以下、便宜的に「選択タイミング」と記す）に同期して、データドライバ２４０に設けられた補償電圧ＤＡＣ１５０から、各表示画素ＰＸ（発光駆動回路ＤＣ）に設けられたスイッチング素子（薄膜トランジスタ）のしきい値電圧を補償するための個別の補償電圧Ｖpthが生成されて電圧加算部１８０に出力され、一方、階調電圧生成部１３０から、各表示画素ＰＸ（発光駆動回路ＤＣ）の表示データに応じた階調実効電圧Ｖreal（又は、無発光表示電圧Ｖzero）が生成されて電圧加算部１８０に出力される。
【０１９２】
これにより、当該電圧加算部１８０において、補償電圧Ｖpthと階調実効電圧Ｖreal（又は、無発光表示電圧Ｖzero）が合算（加算）されて、その総和となる電圧成分を階調指定電圧Ｖdata（又は、階調指定電圧Ｖdata(0)）として、各データラインＤＬに対して印加することにより、当該ｉ行の各表示画素ＰＸのスイッチング素子の制御端子（具体的には、薄膜トランジスタＴｒ１３のゲート−ソース端子間；コンデンサＣｓの両端）に、当該スイッチング素子（薄膜トランジスタＴｒ１３）に固有のしきい値電圧相当の電圧成分、及び、階調実効電圧（表示データ）に応じた電圧成分が保持（電荷が蓄積、又は、放電）される。
【０１９３】
ここで、上述した駆動制御方法と同様に、表示信号生成回路２６０からデータドライバ２４０に供給される表示データが、有機ＥＬ素子（発光素子）ＯＥＬの発光動作を伴う階調表示データ（０ビット以外の階調値；階調表示動作）の場合には、階調電圧生成部１３０により当該表示データに応じた階調実効電圧Ｖrealが生成され、一方、上記表示データが、有機ＥＬ素子（発光素子）ＯＥＬの発光動作を伴わない無発光表示データ（０ビットの階調値；無発光表示動作））の場合には、階調電圧生成部１３０により所定の無発光表示電圧Ｖzeroが生成される。
【０１９４】
したがって、階調指定電圧として階調実効電圧Ｖrealを含む電圧成分（Ｖdata）が供給された表示画素ＰＸにおいては、当該表示画素ＰＸ（発光駆動用の薄膜トランジスタのゲート−ソース間）に固有のしきい値電圧（Ｖth13）相当の電圧成分に加えて、階調実効電圧Ｖrealに基づく電圧成分が上乗せして充電されることになる。
【０１９５】
また、階調指定電圧として無発光表示電圧Ｖzeroを含む電圧成分（Ｖdata(0)）が供給された表示画素ＰＸにおいては、当該表示画素ＰＸに固有のしきい値電圧（Ｖth13）相当の電圧成分（電荷）を含めたほとんど全ての電圧成分が放電されて、結果的に無発光表示データに対応した電圧（０Ｖ）が発光駆動用のスイッチング素子（薄膜トランジスタのゲート−ソース間）に設定されることになる。
【０１９６】
次いで、図１７に示すように、表示駆動動作（表示駆動期間Ｔcyc）の発光動作期間Ｔem（図中、ドットハッチングで表示）においては、図７、図１１に示したように、選択ドライバ２２０から当該ｉ行の選択ラインＳＬに対して、オフレベル（ローレベル）の選択信号Ｓselを印加することにより、当該ｉ行の各表示画素ＰＸを非選択状態に設定する。また、データドライバ２４０に設けられた階調電圧生成部１３０から各データラインＤＬへの階調指定電圧の印加が遮断される。
【０１９７】
そして、このタイミングに同期して、電源ドライバ２３０から当該ｉ行の供給電圧ラインＶＬに対して、高電位の供給電圧Ｖsc（＝Ｖｅ）が印加されることにより、当該ｉ行の各表示画素ＰＸ（発光駆動用の薄膜トランジスタのゲート−ソース間）に充電された電圧成分に基づいて、表示データ（階調実効電圧）に応じた発光駆動電流Ｉemが有機ＥＬ素子ＯＥＬに供給され、所定の輝度階調で発光動作、又は、無発光動作が行われる。
【０１９８】
ここで、各表示画素ＰＸに書き込まれた階調指定電圧が、有機ＥＬ素子ＯＥＬの発光動作を伴う階調表示データ（０ビット以外の階調値）に基づく場合には、有機ＥＬ素子ＯＥＬに階調実効電圧に応じた電流値を有する発光駆動電流Ｉemが供給されて、表示データに対応した所定の輝度階調で有機ＥＬ素子ＯＥＬが発光動作（階調表示動作）し、一方、上記階調信号が、有機ＥＬ素子ＯＥＬの発光動作を伴わない無発光表示データ（０ビットの階調値）に基づく場合には、有機ＥＬ素子ＯＥＬには発光駆動電流Ｉemが供給されず、発光動作が行われない（無発光表示動作；黒表示動作）。
【０１９９】
このような発光動作（又は、無発光動作）は、当該ｉ行の表示画素ＰＸにおいて、上記書込動作の終了タイミングに同期して（終了直後から）開始され、当該ｉ行について次の書込動作の開始タイミング（開始直前）まで、例えば、１フレーム期間Ｔfr継続して実行される。
【０２００】
また、当該ｉ行の表示画素ＰＸについての上記書込動作の終了タイミングに同期して（終了直後から）、隣接する（ｉ＋１）行目の表示画素ＰＸについて、上記と同様の書込動作が開始され、当該書込動作の終了タイミングに同期して（終了直後から）、当該（ｉ＋１）行についての発光動作が開始される。
【０２０１】
これにより、図１７に示したように、１フレーム期間Ｔfr内に、表示パネル２１０の各行ごとの表示画素ＰＸ（発光駆動回路ＤＣ）に対して、書込動作により各表示画素ＰＸに表示データ（階調実効電圧）に応じた適切な電圧成分を充電させる動作を、各行間で相互に時間的に重ならないように、タイミングをずらして順次実行し、かつ、当該書込動作が終了した行の表示画素ＰＸから順に所定の輝度階調で発光動作（又は、無発光動作）を、各行間で相互に一部時間的に重なるように実行する駆動制御動作が実現される。
【０２０２】
このように、本実施形態に係る表示装置及びその駆動制御方法によれば、上述した電流階調指定方式の駆動制御方法に対応した表示駆動装置及び表示画素を、各々データドライバ及び表示パネルに適用した構成を有していることにより、通常の階調表示動作時（無発光表示動作時以外）においては、表示データに応じた階調実効電圧の電圧値に基づいて、発光素子（有機ＥＬ素子）に供給する発光駆動電流を制御することができるとともに、各表示画素（発光駆動回路）に設けられる発光駆動用のスイッチング素子に固有のしきい値電圧に対応する電圧成分を、表示データ（階調実効電圧）とともに印加して保持させることができ、各表示画素において上記スイッチング素子のしきい値電圧の変動状況（Ｖthシフトにより変動した後のしきい値電圧）にかかわらず、常に動作境界となる状態（しきい値電圧を補償した状態）に、表示データに応じた階調実効電圧が上乗せして保持された状態に設定することができるので、各表示画素（発光駆動回路）に設けられた発光駆動用のスイッチング素子（薄膜トランジスタ）の素子特性（しきい値電圧）のバラツキや経時変化の影響を受けることなく、長期間にわたり安定的に、表示データに応じた輝度階調で発光素子（有機ＥＬ素子）を発光動作させることができる。
【０２０３】
また、本実施形態に係る表示装置及びその駆動制御方法によれば、各表示画素への表示データの書込動作において、各表示画素（発光駆動回路）に設けられる発光駆動用のスイッチング素子に固有のしきい値電圧に対応する電圧成分と、表示データ（階調実効電圧）に応じた電圧成分とに基づく階調指定電圧を、各表示画素に設けられた発光駆動用のスイッチング素子（薄膜トランジスタ）に直接印加して保持させる電圧階調指定方式の駆動制御方法を適用することができる。
【０２０４】
したがって、電流階調指定方式の駆動制御方法に比較して、表示データに応じた電圧成分を迅速かつ適切に書き込むことができるので、各表示画素における書込不足の発生を抑制することができ、また、各表示画素に設けられた発光駆動用のスイッチング素子（薄膜トランジスタ）のＶthシフトの影響を受けることがないので、映像信号に応じた適切な輝度階調で所望の画像情報を、長期間にわたり良好に表示することができる。
【０２０５】
また、無発光表示時においては、表示データ（０ビットの階調値）に応じた所定の無発光表示電圧Ｖzeroを含む階調指定電圧Ｖdata(0)を各表示画素に供給することにより、発光駆動用のスイッチング素子（薄膜トランジスタのゲート−ソース間）に保持された電圧成分のほとんど全てを迅速に放電することができるので、発光素子（有機ＥＬ素子）への発光駆動電流の供給を確実に遮断することができ、無発光表示動作を安定的に実現することができる。
【０２０６】
さらに、本実施形態に係る表示装置及びその駆動制御方法によれば、表示パネルの各行において、１フレーム期間のうち、書込動作期間以外の期間では、次の書込動作期間の開始タイミングまで、発光動作が継続するように駆動制御されるので、各表示画素（発光素子）の発光時間を十分長く設定することができ、画像情報を高い発光輝度で表示することができる。これは換言すると、各表示画素の発光輝度を低減した場合であっても十分な輝度で画像情報を表示することができることを意味しており、したがって、画像情報の表示に係る消費電力を削減することができる。
【０２０７】
次に、本実施形態に係る表示装置に適用可能な駆動制御方法の第２の例について、図面を参照して説明する。
図１８は、本実施形態に係る表示装置の駆動制御方法の第２の例を模式的に示したタイミングチャ−トである。ここで、上述した第１の例（図１７参照）と同等の駆動制御方法については、その説明を簡略化する。また、図中の各ハッチング部については上述した第１の例と同等の動作状態を示す。また、図１９は、本実施形態に係る表示装置の駆動制御方法の第２の例を実現するための表示装置の一例を示す要部構成図である。ここで、上述した実施形態に示した表示装置と同等の構成については、同等の符号を付して説明する。
【０２０８】
本実施形態に係る表示装置２００の駆動制御動作の第２の例は、図１８に示すように、まず、上述した第１の例と同様に、表示パネル２１０に配列された全ての表示画素ＰＸついて、しきい値電圧検出動作を各行ごとに所定のタイミングで順次実行し、当該しきい値電圧検出期間Ｔdecの終了後、１フレーム期間Ｔfr内に、表示パネル２１０の各行ごとの表示画素ＰＸ（発光駆動回路ＤＣ）に対して、上記補償電圧及び階調実効電圧からなる階調指定電圧を書き込む動作を、全行について順次繰り返し、所定のタイミングで、予めグループ分けした複数行の表示画素ＰＸ（有機ＥＬ素子ＯＥＬ）を上記表示データ（階調実効電圧）に応じた輝度階調で一斉に発光動作させる表示駆動動作（表示駆動期間Ｔcyc）を実行することにより、表示パネル２１０一画面分の画像情報が表示される。
【０２０９】
ここで、本実施形態に係る表示駆動動作の第２の例は、具体的には、まず、表示パネル２１０に配列された全ての表示画素ＰＸを複数行ごとに予めグループ分けする。例えば、図１８に示すように、表示パネル２１０を構成する１２行の表示画素ＰＸを、相互に隣接する１〜４行目、５〜８行目、９〜１２行目のように、４行分の表示画素ＰＸを一組としてグループ分けする。
【０２１０】
そして、１フレーム期間Ｔfr内に、表示パネル２１０の各行ごとの表示画素ＰＸ（発光駆動回路ＤＣ）に対して、上記書込動作をタイミングをずらして順次実行する。次いで、上記各グループにおいて、当該グループに含まれる全ての行の表示画素ＰＸへの書込動作が終了したグループについて、発光動作が実行される。
【０２１１】
例えば、１〜４行目の表示画素ＰＸを一組とするグループにおいては、１行目の表示画素ＰＸから順に、上記書込動作が実行され、４行目の表示画素ＰＸについて書込動作が終了したタイミングで、各表示画素ＰＸに書き込まれた表示データ（階調実効電圧）に基づいて、当該グループの４行分の表示画素ＰＸが一斉に発光動作する。この発光動作は、１行目の表示画素ＰＸに対して、次の書込動作が開始されるタイミングまで継続される。
【０２１２】
また、上記４行目の表示画素ＰＸについて書込動作が終了したタイミングで、５〜８行目の表示画素ＰＸを一組とするグループにおいて、５行目の表示画素ＰＸから順に、上記書込動作が実行される。以下、同様の動作が次のグループの１２行目の表示画素ＰＸについて書込動作が終了するまで繰り返し実行される。
【０２１３】
このように、書込動作を各行ごとに所定のタイミングで順次実行し、予め設定された各グループについて、当該グループに含まれる全ての行の表示画素ＰＸに書込動作が終了した時点で、当該グループの全ての表示画素ＰＸを一斉に発光動作させるように駆動制御される。したがって、第２の例に係る表示駆動動作においては、同一グループの他の行の表示画素ＰＸに対して、書込動作が実行されている期間中は、当該グループ内の全ての表示画素が無発光動作して無発光表示状態（黒表示状態）に設定されるように制御される。
【０２１４】
このような表示駆動動作は、例えば、図７、図１１に示したように、書込動作の際に、電源ドライバ２３０により当該行の供給電圧ラインＶＬに対して印加されていた低電位の供給電圧Ｖsc（＝Ｖｓ）を、同一グループに含まれる行の表示画素ＰＸに対する書込動作が実行されている期間中、継続して印加し、当該グループに含まれる全ての行に対する書込動作が終了した後に、当該グループの全ての行の供給電圧ラインＶＬに対して高電位の供給電圧Ｖsc（＝Ｖｅ）を印加するように制御することにより実現することができる。
【０２１５】
また、同様の駆動制御は、各グループごとに単一の供給電圧Ｖscが同時に印加されるように、例えば、図１９に示すように、単一の供給電圧ラインＶＬを分岐させて、１〜４行目（又は、５〜８行目、９〜１２行目）の表示画素ＰＸに共有して接続された構成を適用し、電源ドライバ２３０から印加される単一の供給電圧Ｖscが同一グループに含まれる全ての行の表示画素ＰＸに印加されるようにすることによっても実現することができる。なお、本実施形態においても、図１６に示した場合と同様に、表示パネル２１０の各行ごとに個別の選択ラインＳＬが配設され、選択ドライバ２２０から個別の選択信号Ｓselが異なるタイミングで印加される。
【０２１６】
したがって、このような表示装置の駆動制御方法（表示駆動動作）によれば、上述した第１の例に係る駆動制御方法と同様の作用効果を得ることができるとともに、同一グループ内の各行の表示画素に書込動作を実行する期間中、表示画素（発光素子）の発光動作が行われず、無発光状態（黒表示状態）に設定することができる。
【０２１７】
ここで、図１８に示したタイミングチャートにおいては、表示パネル２１０を構成する１２行の表示画素ＰＸを、３組にグループ分けして、各グループごとに異なるタイミングで一斉に発光動作を実行するように制御されるので、１フレーム期間Ｔfrにおける上記無発光動作による黒表示期間の比率（黒挿入率）を概ね３３％に設定することができる。ここで、人間の視覚において、動画像をボケやにじみがなく鮮明に視認するためには、一般に、概ね３０％以上の黒挿入率を有していることが目安になるので、本駆動制御方法によれば、良好な表示画質を有する表示装置を実現することができる。
【０２１８】
次に、本実施形態に係る表示装置に適用可能な駆動制御方法の第３の例について、図面を参照して説明する。
図２０は、本実施形態に係る表示装置の駆動制御方法の第３の例を模式的に示したタイミングチャ−トである。ここで、上述した第２の例（図１８参照）と同等の駆動制御方法については、その説明を簡略化する。
【０２１９】
本実施形態に係る表示装置２００の駆動制御動作の第３の例は、図２０に示すように、上述した第２の例と同様に、表示駆動動作に先立って、表示パネル２１０に配列された全ての表示画素ＰＸついて、しきい値電圧検出動作を各行ごとに所定のタイミングで順次実行した後、１フレーム期間Ｔfr内に、表示パネル２１０に配列され、相互に隣接しない複数行の表示画素ＰＸを一組とした各グループにおいて、当該グループに含まれる各行ごとの表示画素ＰＸに対して、上記書込動作をタイミングをずらして順次実行する表示駆動動作を、各グループについて順次実行する。
【０２２０】
ここで、本実施形態に係る表示駆動動作においては、具体的には、表示パネル２１０に配列された全ての表示画素ＰＸを、例えば、図２０に示すように、表示パネル２１０を構成する１２行の表示画素ＰＸを、１、４、７、１０行目、２、５、８、１１行目、３、６、９、１２行目のように、各々４行分の表示画素ＰＸを一組として３グループに分ける。
【０２２１】
例えば、１、４、７、１０行目の表示画素ＰＸを一組とするグループにおいて、１行目の表示画素ＰＸから順に、上記書込動作が実行され、１０行目の表示画素ＰＸについて書込動作が終了したタイミングで、各表示画素ＰＸに書き込まれた表示データ（階調信号）に基づいて、当該グループの４行分の表示画素ＰＸが一斉に発光動作する。この発光動作は、１行目の表示画素ＰＸに対して、次の書込動作が開始されるタイミングまで継続される。
【０２２２】
また、上記１０行目の表示画素ＰＸについて書込動作が終了したタイミングで、２、５、８、１１行目の表示画素ＰＸを一組とするグループにおいて、２行目の表示画素ＰＸから順に、上記書込動作が実行される。以下、同様の動作が次のグループの１２行目の表示画素ＰＸについて書込動作が終了するまで繰り返し実行される。
【０２２３】
このように、各グループの各行ごとに、書込動作を所定のタイミングで順次実行し、当該グループに含まれる全ての行の表示画素ＰＸに書込動作が終了した時点で、当該グループの全ての表示画素ＰＸを一斉に発光動作させるように駆動制御される。したがって、第３の例に係る表示駆動動作においても、上述した第２の例と同様に、同一グループの他の行の表示画素ＰＸに対して、書込動作が実行されている期間中は、当該グループ内の全ての表示画素が無発光表示状態（黒表示状態）に設定される。
【０２２４】
また、このような表示駆動動作は、上述した第２の例と同様に、例えば、同一グループの他の行の表示画素ＰＸに対して、書込動作が実行されている期間中、電源ドライバ２３０から当該グループの各行の供給電圧ラインＶＬに印加される供給電圧Ｖscを低電位（Ｖｓ）の状態に保持し、同一グループの全ての行の表示画素ＰＸに対する書込動作が終了した後、当該グループに含まれる全ての行の供給電圧ラインＶＬに高電位の供給電圧Ｖsc（＝Ｖｅ）を印加するように制御することにより実現することができる。なお、上述した第２の例（図１９参照）と同様に、各グループに含まれる全ての行の表示画素ＰＸに対して、単一の供給電圧Ｖscが印加されるように、供給電圧ラインＶＬを分岐して配設するようにした構成を適用するものであってもよい。
【０２２５】
したがって、このような表示装置の駆動制御方法（表示駆動動作）によれば、上述した第２の例に係る駆動制御方法と同様に、表示パネル２１０を構成する１２行の表示画素ＰＸを、複数組にグループ分けして、各グループごとに異なるタイミングで一斉に発光動作を実行するように制御されるので、１フレーム期間Ｔfr中に所定の期間、無発光動作（黒表示動作）が実行される。特に、本駆動制御方法においては、当該無発光動作による黒表示期間の比率（黒挿入率）を概ね３３％に設定することができるので、動画像のボケやにじみを抑制して鮮明さを向上させた表示装置を実現することができる。
【０２２６】
なお、上述した第２、第３の例に係る駆動制御方法においては、表示パネル２１０を構成する表示画素ＰＸを、３組にグループ分けした場合について説明したが、本発明はこれに限定されるものではなく、例えば、上記グループ数を適宜増減させて設定したものであってもよいことはいうまでもない。
【０２２７】
以下に、上述した第２、第３の例に係る駆動制御方法の変形例を示す。
図２１は、本実施形態に係る表示装置の駆動制御方法の第２の例の変形例（その１）を模式的に示したタイミングチャ−トであり、図２２は、本実施形態に係る表示装置の駆動制御方法の第３の例の変形例（その１）を模式的に示したタイミングチャ−トである。また、図２３は、本実施形態に係る表示装置の駆動制御方法の第２の例の変形例（その２）を模式的に示したタイミングチャ−トであり、図２４は、本実施形態に係る表示装置の駆動制御方法の第３の例の変形例（その２）を模式的に示したタイミングチャ−トである。
【０２２８】
上述した第２及び第３の例に係る表示装置の駆動制御方法の変形例（その１）においては、例えば、図２１、図２２に示すように、表示パネル２１０を構成する表示画素ＰＸを、４組にグループ分けして（図２１では１〜３行目、４〜６行目、７〜９行目、１０〜１２行目の４グループ、図２２では１、５、９行目、２、６、１０行目、３、７、１１行目、４、８、１２行目の４グループ）、各グループごとに異なるタイミングで一斉に発光動作を実行するように制御する。この場合、１フレーム期間Ｔfrにおける上記無発光動作による黒表示期間の比率（黒挿入率）は２５％となり、上述したような動画像のボケやにじみが視認されない目安である３０％をやや下回るものの、比較的良好な表示画質を有する表示装置を実現することができる。
【０２２９】
また、上述した第２及び第３の例に係る表示装置の駆動制御方法の変形例（その２）においては、例えば、図２３、図２４に示すように、表示パネル２１０を構成する表示画素ＰＸを、２組にグループ分けして（図２３では１〜６行目、７〜１２行目の２グループ、図２４では奇数行目、偶数行目の２グループ）、各グループごとに異なるタイミングで一斉に発光動作を実行するように制御する。この場合、１フレーム期間Ｔfrにおける上記無発光動作による黒表示期間の比率（黒挿入率）は５０％となり、上述したような動画像のボケやにじみが視認されない目安である３０％を上回るものの、発光動作期間が１フレーム期間Ｔfrの半分に過ぎなくなるため、画像情報を十分な発光輝度で表示することができなくなる。そこで、各表示画素の発光輝度を適宜増大させることにより、画像情報を十分な輝度で、かつ、良好な表示画質で表示することができる。
【０２３０】
次に、本実施形態に係る表示装置に適用可能な駆動制御方法の第４の例について、図面を参照して説明する。
図２５は、本実施形態に係る表示装置の駆動制御方法の第４の例を模式的に示したタイミングチャ−トである。ここで、上述した第１〜第３の例（図１７〜図２４参照）と同等の駆動制御方法については、その説明を簡略化する。また、図２６は、本実施形態に係る表示装置の駆動制御方法の第４の例を実現するための表示装置の一例を示す要部構成図である。ここで、上述した実施形態に示した表示装置と同等の構成については、同等の符号を付して説明する。
【０２３１】
本実施形態に係る表示装置２００の駆動制御動作の第４の例は、図２５に示すように、上述した第１〜第３の例と同様に、表示駆動動作に先立って、表示パネル２１０に配列された全ての表示画素ＰＸついて、しきい値電圧検出動作を各行ごとに所定のタイミングで順次実行した後、１フレーム期間Ｔfrの前半（例えば、１フレーム期間Ｔfrの１／２の期間）で、表示パネル２１０に配列された各行ごとの表示画素ＰＸに対して、上記書込動作をタイミングをずらして順次実行し、１フレーム期間Ｔfrの後半（例えば、１フレーム期間Ｔfrの１／２の期間）で、表示パネル２１０に配列された全ての行の表示画素ＰＸを、表示データに応じた輝度階調で一斉に発光動作させる表示駆動動作を実行する。
【０２３２】
このように、全ての行の表示画素ＰＸに書込動作が終了した時点で、全ての表示画素ＰＸを一斉に発光動作させるように駆動制御することにより、書込動作が実行されている期間中は、いずれの行の表示画素ＰＸにおいても発光動作が行われず、全ての表示画素ＰＸが無発光表示動作（黒表示動作）するように制御される。
【０２３３】
このような表示駆動動作は、例えば、各行の表示画素ＰＸに対して、書込動作が実行されている期間中、電源ドライバ２３０から全ての行の供給電圧ラインＶＬに印加される供給電圧Ｖscを低電位（Ｖｓ）の状態に保持し、全ての行の表示画素ＰＸに対する書込動作が終了した後、全ての行の供給電圧ラインＶＬに高電位の供給電圧Ｖsc（＝Ｖｅ）を印加するように制御することにより実現することができる。
【０２３４】
同様の駆動制御は、全ての表示画素ＰＸに対して単一の供給電圧Ｖscが同時に印加されるように、例えば、図２６に示すように、単一の供給電圧ラインＶＬを全ての行に対応させて分岐し、表示パネル２１０に配列された全ての表示画素ＰＸに共有して接続された構成を適用し、電源ドライバ２３０から印加される単一の供給電圧Ｖscが全ての行の表示画素ＰＸに印加されるようにすることによっても実現することができる。この場合の電源ドライバ２３０の構成は、高電位の供給電圧Ｖsc（＝Ｖｅ）と低電位の供給電圧Ｖsc（＝Ｖｓ）を、例えば、システムコントローラ２５０から供給される電源制御信号に基づく所定のタイミングで選択的に出力する機能を有していればよいので、少なくとも図１６に示したようなシフトレジスタ回路を備えていなくてもよい。なお、本実施形態においても、図１６に示した場合と同様に、表示パネル２１０の各行ごとに個別の選択ラインＳＬが配設され、選択ドライバ２２０から個別の選択信号Ｓselが異なるタイミングで印加される。
【０２３５】
したがって、このような表示装置の駆動制御方法（表示駆動動作）によれば、表示駆動期間（１フレーム期間Ｔfr）を、前半と後半に２分割して、前半で各行の表示画素に順次書込動作が実行され、後半で全ての表示画素が一斉に発光動作を実行するように制御されるので、１フレーム期間Ｔfrにおける上記無発光動作による黒表示期間の比率（黒挿入率）は５０％となり、上述したような動画像のボケやにじみが視認されない目安である３０％を上回るものの、発光動作期間が１フレーム期間Ｔfrの半分に過ぎないため、画像情報を十分な発光輝度で表示することができず、また、各行における書込動作期間が短縮されるため、表示データ（階調信号）を十分書き込む時間が確保されなくなる可能性があるが、各表示画素の発光輝度を適宜増大させ、さらに、階調電流の電流値を増加させることにより、画像情報を十分な輝度で、かつ、良好な表示画質で表示することができる。
【０２３６】
＜表示装置の駆動制御方法（その２）＞
上述した第１乃至第４の例に示した表示装置の駆動制御方法においては、表示パネルに配列された各行の表示画素に、階調指定電圧（補償電圧と階調実効電圧とに基づく電圧成分）を書き込んで、所定の輝度階調で発光動作させる表示駆動動作に先立って、表示パネルに配列された全ての表示画素に対して、しきい値電圧検出動作を実行する場合について説明したが、本発明に係る駆動制御方法はこれに限定されるものではなく、各表示画素（発光素子）を発光動作させて所望の画像情報を表示動作させつつ、当該表示駆動期間中に上記しきい値電圧検出動作を実行するものであっても良い。
【０２３７】
以下に、上述した第１乃至第４の例に係る各駆動制御方法について、表示駆動期間中にしきい値電圧検出動作を実行する（事前にしきい値電圧検出期間を設けない）形態の駆動制御動作について説明する。
図２７は、本発明に係る表示装置の駆動制御方法の第５の例を模式的に示したタイミングチャ−トである。ここで、上述した第１の例（図１８参照）と同等の駆動制御方法については、その説明を簡略化する。
【０２３８】
本発明に係る表示装置２００の駆動制御動作の第５の例は、概略、図２７に示すように、１フレーム期間（約１６．７ｍsec；一定の動作期間）内に、表示パネル２１０に配列された表示画素ＰＸのうち特定の行の表示画素について、各表示画素ＰＸに設けられた発光駆動回路ＤＣにおいて有機ＥＬ素子（発光素子）ＯＥＬの発光状態を制御する発光駆動用のスイッチング素子（薄膜トランジスタ；発光駆動素子）のしきい値電圧（又は、当該しきい値電圧に対応する電圧成分）を検出するしきい値電圧検出動作（しきい値電圧検出期間Ｔdec）と、表示パネル２１０の各行ごとの表示画素ＰＸ（発光駆動回路ＤＣ）について、発光駆動用のスイッチング素子に固有のしきい値電圧に対応する電圧成分と表示データ（階調実効電圧）に応じた電圧成分とに基づく階調指定電圧を書き込み、各行の表示画素ＰＸ（有機ＥＬ素子ＯＥＬ）を上記表示データ（階調実効電圧）に応じた輝度階調で発光動作させる表示駆動動作（表示駆動期間Ｔcyc）とを、全行について順次繰り返し、表示パネル２１０一画面分の画像情報を表示する。
【０２３９】
ここで、しきい値電圧検出動作（しきい値電圧検出期間Ｔdec）は、上述した表示駆動装置における駆動制御方法（図２参照）と同様に、表示パネル２１０の特定の行の表示画素ＰＸ（発光駆動回路ＤＣ）に対して、電圧印加動作（電圧印加期間Ｔpv）と、電圧収束動作（電圧収束期間Ｔcv）と、電圧読取動作（電圧読取期間）と、からなる一連の駆動制御を実行する。
特に、第５の例に係る表示装置の駆動制御動作においては、連続するフレーム期間において、各フレーム期間ごとに特定の１行分の表示画素ＰＸについて、上記一連の駆動制御からなるしきい値電圧検出動作を順次実行する。
【０２４０】
具体的には、図２７に示すように、表示画素ＰＸが１２行配列された表示パネル２１０においては、第１フレームにおいて、１行目の表示画素ＰＸについてしきい値電圧検出動作が実行されて、当該しきい値検出データがフレームメモリの対応する記憶領域に格納された後、表示パネル２１０に配列された全ての表示画素ＰＸについて、１行目から１２行目まで各行ごとに上述した書込動作及び発光動作からなる表示駆動動作が順次実行される。
【０２４１】
次いで、第２フレームにおいて、１行目の表示画素ＰＸについて、表示駆動動作（書込動作）が実行された後、２行目の表示画素ＰＸについてしきい値電圧検出動作が実行され、その後、表示パネル２１０の２行目から１２行目までの表示画素ＰＸについて各行ごとに表示駆動動作（書込動作、発光動作）が順次実行される。
【０２４２】
次いで、第３フレームにおいて、１行目及び２行目の表示画素ＰＸについて、表示駆動動作（書込動作）が実行された後、３行目の表示画素ＰＸについてしきい値電圧検出動作が実行され、その後、表示パネル２１０の３行目から１２行目までの表示画素ＰＸについて各行ごとに表示駆動動作（書込動作、発光動作）が順次実行される。
【０２４３】
以下同様に、第１２フレームまで、対応する行の表示画素ＰＸについてしきい値電圧検出動作を順次繰り返し実行することにより、フレームメモリに表示パネル２１０一画面分に配列された全表示画素ＰＸについてのしきい値データ（しきい値電圧）が記憶される。
すなわち、本発明に係る表示装置の駆動制御方法（しきい値電圧検出動作）においては、各フレーム期間において、表示パネル２１０のいずれかの行の表示画素ＰＸについてしきい値電圧検出動作が実行され、表示パネル２１０の行数分のフレーム期間を１サイクルとして、常時最新のしきい値電圧が検出（モニタ）される。
【０２４４】
また、表示駆動動作（表示駆動期間Ｔcyc）についても、上述した第１の例に係る表示装置の駆動制御方法（図１７参照）と同様に、図２７に示すように、１フレーム期間内に、表示パネル２１０の各行ごとの表示画素ＰＸ（発光駆動回路ＤＣ）に対して、書込動作（書込動作期間Ｔwrt）と、発光動作（発光動作期間Ｔem）と、からなる一連の駆動制御を、各行ごとに所定のタイミングで順次実行する。
【０２４５】
特に、第５の例に係る表示装置の駆動制御動作においては、１フレーム期間内に特定の行の表示画素ＰＸについて、上記しきい値電圧検出動作が実行されるとともに、当該しきい値電圧検出動作及び各行ごとの書込動作が相互に時間的に重ならないように、タイミングをずらして順次実行され、書込動作が終了した行の表示画素ＰＸから順に発光動作が実行される。すなわち、各行の表示駆動動作のうち、発光動作のみが各行間で相互に時間的に重なるように（部分的に並行して）実行される。
【０２４６】
ここで、各行の書込動作（書込動作期間Ｔwrt）においては、上述した第１の例に係る駆動制御方法と同様に、各行の表示画素ＰＸに対して、各表示画素ＰＸ（発光駆動回路ＤＣ）に設けられたスイッチング素子（薄膜トランジスタ）のしきい値電圧を補償するための補償電圧Ｖpthと、表示データに応じた階調実効電圧Ｖrealとに基づく階調指定電圧Ｖdataが書き込まれるが、上述したしきい値電圧検出動作において説明したように、表示パネル２１０に配列された表示画素ＰＸのスイッチング素子のしきい値電圧は、各フレーム期間ごとに特定の１行分の表示画素ＰＸについて検出されるように駆動制御されるので、システム起動直後や休止状態からの復起直後等においては、前回検出された表示画素ＰＸについて検出され、フレームメモリに記憶されたしきい値電圧に基づいて、上記補償電圧Ｖpthが生成される。
【０２４７】
したがって、第５の例に係る表示装置の駆動制御動作においても、階調指定電圧Ｖdataが供給された表示画素ＰＸにおいて、当該行の各表示画素ＰＸ（発光駆動用の薄膜トランジスタのゲート−ソース間）の発光駆動用のスイッチング素子に固有のしきい値電圧（Ｖth13）相当の電圧成分に上乗せして、階調実効電圧Ｖrealに基づく電圧成分が充電されることになり、当該書込動作終了後の発光動作（発光動作期間Ｔem）において、各表示画素ＰＸ（発光駆動用の薄膜トランジスタのゲート−ソース間）に充電された電圧成分に基づいて、表示データ（階調実効電圧）に応じた発光駆動電流Ｉemが有機ＥＬ素子ＯＥＬに供給され、所定の輝度階調で発光動作、又は、無発光動作が行われる。
【０２４８】
このような発光動作（又は、無発光動作）は、各行の表示画素ＰＸにおいて、上記書込動作の終了タイミングに同期して（終了直後から）開始され、当該行について次の書込動作の開始タイミング（開始直前）まで、例えば、１フレーム期間継続して実行される。また、各行（例えば、ｉ行目；１≦ｉ≦１２）の表示画素ＰＸについての上記書込動作の終了タイミングに同期して（終了直後から）、隣接する行（ｉ＋１行目）の表示画素ＰＸについて書込動作が開始される。なお、上述したように、しきい値電圧検出動作（しきい値検出期間Ｔdec）が実行される行（例えば、ｉ行目）においては、当該行の１つ前の行（ｉ−１行目）についての書込動作の終了後、当該行について上記しきい値電圧検出動作を実行した後、書込動作を実行する。
【０２４９】
したがって、このような表示装置の駆動制御方法（表示駆動動作）によれば、上述した第１の例に係る駆動制御方法と同様の作用効果を得ることができるとともに、表示パネルに配列された各行の表示画素への表示データの書込動作、及び、発光素子の発光動作に先立って、各フレーム期間ごとに表示パネルに配列されたいずれかの行（特定の行）の表示画素について、しきい値電圧検出動作実行時点の発光駆動用のスイッチング素子のしきい値電圧（Ｖthシフトの状態）を常時モニタすることができるので、通常の表示駆動動作（書込動作及び発光動作）を規定する各フレーム期間に先立って、特別にしきい値電圧検出期間を設ける必要がなく、システム起動後、直ぐに表示駆動動作（フレーム期間）に移行することができる。
【０２５０】
したがって、電圧階調指定方式の駆動制御方法を適用した表示装置において、Ｖthシフトが生じやすいアモルファスシリコン薄膜トランジスタからなる表示画素（発光駆動回路）を備えた表示パネルを適用した場合であっても、各表示画素に設けられた発光駆動用のスイッチング素子（薄膜トランジスタ）のＶthシフトの影響を抑制することができるとともに、低階調表示時に書込不足が生じることがないので、映像信号に応じた適切な輝度階調で所望の画像情報を、長期間にわたり良好に表示することができる。
【０２５１】
次に、本発明に係る表示装置における駆動制御方法の第６の例について、図面を参照して説明する。
図２８は、本発明に係る表示装置の駆動制御方法の第６の例を模式的に示したタイミングチャ−トであり、図２９は、本発明に係る表示装置の駆動制御方法の第７の例を模式的に示したタイミングチャ−トである。ここで、上述した第２及び第３の例（図１８、図２０参照）と同等の駆動制御方法については、その説明を簡略化する。
【０２５２】
本発明に係る表示装置２００の駆動制御動作の第６及び第７の例は、図２８、図２９に示すように、表示パネル２１０に配列された表示画素ＰＸについて、相互に隣接する複数行ごとに、又は、相互に隣接しない複数行ごとに予めグループ分けし、１フレーム期間内に、特定のグループの特定の行の表示画素ＰＸの発光駆動用のスイッチング素子（薄膜トランジスタ）についてしきい値電圧を検出するしきい値電圧検出動作（しきい値電圧検出期間Ｔdec）と、１フレーム期間内に、表示パネル２１０の各行ごとの表示画素ＰＸに対して、上記しきい値電圧を補償する補償電圧と表示データに応じた階調実効電圧とに基づく階調指定電圧Ｖdataを書き込む書込動作（書込動作期間Ｔwrt）を全行について順次繰り返し、所定のタイミングで各グループごとの複数行の表示画素ＰＸ（有機ＥＬ素子ＯＥＬ）を表示データに応じた輝度階調で一斉に発光動作させる表示駆動動作と、を実行することにより、表示パネル２１０一画面分の画像情報が表示される。
【０２５３】
ここで、第６及び第７の例に係る駆動制御動作は、具体的には、上述した第２及び第３の例に係る駆動制御方法と同様に、表示パネル２１０を構成する表示画素ＰＸを、３組にグループ分けして（図２８では１〜４行目、５〜８行目、９〜１２行目の３グループ、図２９では１、４、７、１０行目、２、５、８、１１行目、３、６、９、１２行目の３グループ）、各フレーム期間ごとに特定のグループの特定の行の表示画素ＰＸについてしきい値電圧検出動作を実行するとともに、各グループごとに異なるタイミングで各行の表示画素ＰＸについて書込動作を実行した後、当該グループに含まれる全ての行の表示画素ＰＸへの書込動作が終了したグループについて、一斉に発光動作を実行するように制御する。
【０２５４】
このように、第６及び第７の例に係る駆動制御方法においても、上述した第５の例に係る駆動制御方法と同様に、各フレーム期間ごとに特定の行の表示画素ＰＸについてしきい値電圧検出動作を順次繰り返し実行することにより、各フレーム期間において、表示パネル２１０のいずれかの行の表示画素ＰＸについてしきい値電圧検出動作が実行され、表示パネルの行数分のフレーム期間を１サイクルとして、常時最新のしきい値電圧が検出（モニタ）される。また、同一グループの他の行の表示画素ＰＸに対して、しきい値電圧検出動作及び書込動作が実行されている期間中は、当該グループ内の全ての表示画素が無発光動作して無発光表示状態（黒表示状態）に設定されるように制御される。
【０２５５】
また、このような表示駆動動作は、上述した第２及び第３の例と同様に、例えば、同一グループに含まれる他の行の表示画素ＰＸに対して、しきい値電圧検出動作及び書込動作が実行されている期間中、電源ドライバ２３０から当該グループの各行の供給電圧ラインＶＬに印加される供給電圧Ｖscを低電位（Ｖｓ）の状態に保持し、同一グループの全ての行の表示画素ＰＸに対する書込動作が終了した後、当該グループに含まれる全ての行の供給電圧ラインＶＬに高電位の供給電圧Ｖsc（＝Ｖｅ）を印加するように制御することにより実現することができる。なお、上述した第２及び第３の例（図１９参照）と同様に、各グループに含まれる全ての行の表示画素ＰＸに対して、単一の供給電圧Ｖscが印加されるように、供給電圧ラインＶＬを分岐して配設するようにした構成を適用するものであってもよい。
【０２５６】
したがって、このような表示装置の駆動制御方法（表示駆動動作）によれば、上述した第５の例に係る駆動制御方法と同様の作用効果を得ることができるとともに、同一グループ内の各行の表示画素にしきい値電圧検出動作及び書込動作を実行する期間中、表示画素（発光素子）の発光動作が行われず、無発光動作（黒表示動作）が行われ、この場合、１フレーム期間Ｔfrにおける上記無発光動作による黒表示期間の比率（黒挿入率）は概ね３３％となり、動画像をボケやにじみがなく鮮明に視認するための黒挿入率の目安である概ね３０％以上に設定することができ、良好な表示画質を有する表示装置を実現することができる。
【０２５７】
なお、本発明に係る表示装置の駆動制御方法においては、上述した第６及び第７の例に示したように、表示パネル２１０を構成する表示画素ＰＸを、３組にグループ分けした場合に限定されるものではなく、上述した第２及び第３の例と同様に、上記グループ数を適宜増減させて設定したものであってもよい。
【０２５８】
図３０は、本発明に係る表示装置の駆動制御方法の第６の例の変形例（その１）を模式的に示したタイミングチャ−トであり、図３１は、本発明に係る表示装置の駆動制御方法の第７の例の変形例（その１）を模式的に示したタイミングチャ−トである。また、図３２は、本発明に係る表示装置の駆動制御方法の第７の例の変形例（その２）を模式的に示したタイミングチャ−トであり、図３３は、本発明に係る表示装置の駆動制御方法の第７の例の変形例（その２）を模式的に示したタイミングチャ−トである。
【０２５９】
上述した第６及び第７の例に係る表示装置の駆動制御方法の変形例（その１）においては、例えば、図３０、図３１に示すように、表示パネル２１０を構成する表示画素ＰＸを、４組にグループ分けして（図３０では１〜３行目、４〜６行目、７〜９行目、１０〜１２行目の４グループ、図３１では１、５、９行目、２、６、１０行目、３、７、１１行目、４、８、１２行目の４グループ）、各フレーム期間ごとに特定の行の表示画素ＰＸについてしきい値電圧検出動作を実行するとともに、各グループごとに異なるタイミングで各行の表示画素ＰＸについて書込動作を実行した後、一斉に発光動作を実行するように制御する。この場合、１フレーム期間における上記無発光動作による黒表示期間の比率（黒挿入率）は概ね２５％となり、上述したような動画像のボケやにじみが視認されない目安である３０％をやや下回るものの、比較的良好な表示画質を有する表示装置を実現することができる。
【０２６０】
また、上述した第６及び第７の例に係る表示装置の駆動制御方法の変形例（その２）においては、例えば、図３２、図３３に示すように、表示パネル２１０を構成する表示画素ＰＸを、２組にグループ分けして（図３２では１〜６行目、７〜１２行目の２グループ、図３３では奇数行目、偶数行目の２グループ）、各フレーム期間ごとに特定の行の表示画素ＰＸについてしきい値電圧検出動作を実行するとともに、各グループごとに異なるタイミングで各行の表示画素ＰＸについて書込動作を実行した後、一斉に発光動作を実行するように制御する。
【０２６１】
この場合、１フレーム期間における上記無発光動作による黒表示期間の比率（黒挿入率）は概ね５０％となり、上述したような動画像のボケやにじみが視認されない目安である３０％を上回るものの、発光動作期間が１フレーム期間の半分に過ぎなくなるため、画像情報を十分な発光輝度で表示することができなくなる。そこで、各表示画素の発光輝度を適宜増大させることにより、画像情報を十分な輝度で、かつ、良好な表示画質で表示することができる。
【０２６２】
次に、本発明に係る表示装置における駆動制御方法の第８の例について、図面を参照して説明する。
図３４は、本発明に係る表示装置の駆動制御方法の第８の例を模式的に示したタイミングチャ−トである。ここで、上述した第４の例（図２５参照）と同等の駆動制御方法については、その説明を簡略化する。
【０２６３】
本発明に係る表示装置２００の駆動制御動作の第８の例は、図３４に示すように、１フレーム期間の前半（例えば、１フレーム期間の１／２の期間）で、まず、表示パネル２１０に配列された特定の行の表示画素ＰＸの発光駆動用のスイッチング素子（薄膜トランジスタ）について、しきい値電圧検出動作（しきい値電圧検出期間Ｔdec）を実行した後、表示パネル２１０に配列された全ての行の表示画素ＰＸに対して、書込動作を各行ごとにタイミングをずらして順次実行し、１フレーム期間の後半（例えば、１フレーム期間の１／２の期間）で、表示パネル２１０に配列された全ての行の表示画素ＰＸを、表示データに応じた輝度階調で一斉に発光動作させる表示駆動動作を実行することにより、表示パネル２１０一画面分の画像情報が表示される。
【０２６４】
このように、各フレーム期間ごとに特定の行の表示画素ＰＸについてしきい値電圧検出動作を実行するとともに、各フレーム期間の後半で、全ての表示画素ＰＸを一斉に発光動作させるように駆動制御することにより、しきい値電圧検出動作及び書込動作が実行されている各フレーム期間の前半は、いずれの行の表示画素ＰＸにおいても発光動作が行われず、全ての表示画素ＰＸが無発光表示動作（黒表示動作）するように制御される。
【０２６５】
また、このような表示駆動動作は、上述した第４の例と同様に、例えば、各行の表示画素ＰＸに対して、しきい値電圧検出動作及び書込動作が実行されている期間中、電源ドライバ２３０から全ての行の供給電圧ラインＶＬに印加される供給電圧Ｖscを低電位（Ｖｓ）の状態に保持し、全ての行の表示画素ＰＸに対するしきい値電圧検出動作及び書込動作が終了した後、全ての行の供給電圧ラインＶＬに高電位の供給電圧Ｖsc（＝Ｖｅ）を印加するように制御することにより実現することができる。なお、上述した第４の例（図２６参照）と同様に、全ての行の表示画素ＰＸに対して、単一の供給電圧Ｖscが印加されるように、供給電圧ラインＶＬを分岐して配設するようにした構成を適用するものであってもよい。
【０２６６】
したがって、このような表示装置の駆動制御方法（表示駆動動作）によれば、上述した第４の例に係る駆動制御方法と同様に、各フレーム期間を、前半と後半に２分割して、前半で特定の行の表示画素に対してしきい値電圧検出動作を実行した後、各行の表示画素に順次書込動作が実行され、後半で全ての表示画素が一斉に発光動作を実行するように制御されるので、１フレーム期間Ｔfrにおける上記無発光動作による黒表示期間の比率（黒挿入率）は概ね５０％となり、上述したような動画像のボケやにじみが視認されない目安である３０％を上回るものの、発光動作期間が１フレーム期間Ｔfrの半分に過ぎないため、画像情報を十分な発光輝度で表示することができず、また、各行における書込動作期間が短縮されるため、表示データ（階調信号）を十分書き込む時間が確保されなくなる可能性があるが、各表示画素の発光輝度を適宜増大させ、さらに、階調電流の電流値を増加させることにより、画像情報を十分な輝度で、かつ、良好な表示画質で表示することができる。
【図面の簡単な説明】
【０２６７】
【図１】本発明に係る表示駆動装置、及び、該表示駆動装置により駆動制御される表示画素の一実施形態を示す要部構成図である。
【図２】本実施形態に係る表示駆動装置におけるしきい値電圧検出動作を示すタイミングチャートである。
【図３】本実施形態に係る表示駆動装置における電圧印加動作を示す概念図である。
【図４】本実施形態に係る表示駆動装置における電圧収束動作を示す概念図である。
【図５】本実施形態に係る表示駆動装置における電圧読取動作を示す概念図である。
【図６】ｎチャネル型の薄膜トランジスタにおいて、ゲート−ソース間電圧を所定の条件に設定し、ドレイン−ソース間電圧を変調した際のドレイン−ソース間電流特性の一例を表した図である。
【図７】本実施形態に係る表示駆動装置において階調表示動作を行う場合の駆動制御方法を示すタイミングチャートである。
【図８】本実施形態に係る駆動制御方法（階調表示動作）においてデータ書込動作を示す概念図である。
【図９】本実施形態に係る駆動制御方法（階調表示動作）において発光動作を示す概念図である。
【図１０】本実施形態に係る表示駆動装置の他の構成例を示す要部構成図である。
【図１１】本実施形態に係る表示駆動装置において無発光表示動作を行う場合の駆動制御方法の一例を示すタイミングチャートである。
【図１２】本実施形態に係る駆動制御方法（無発光表示動作）においてデータ書込動作を示す概念図である。
【図１３】本実施形態に係る駆動制御方法（無発光表示動作）において無発光動作を示す概念図である。
【図１４】本発明に係る表示駆動装置により駆動制御される表示画素の他の実施形態を示す要部構成図である。
【図１５】本発明に係る表示装置の全体構成の一例を示す概略ブロック図である。
【図１６】本実施形態に係る表示装置に適用される表示パネル及びその周辺回路（選択ドライバ、電源ドライバ）の一例を示す概略構成図である。
【図１７】本実施形態に係る表示装置の駆動制御方法の第１の例を模式的に示したタイミングチャ−トである。
【図１８】本実施形態に係る表示装置の駆動制御方法の第２の例を模式的に示したタイミングチャ−トである。
【図１９】本実施形態に係る表示装置の駆動制御方法の第２の例を実現するための表示装置の一例を示す要部構成図である。
【図２０】本実施形態に係る表示装置の駆動制御方法の第３の例を模式的に示したタイミングチャ−トである。
【図２１】本実施形態に係る表示装置の駆動制御方法の第２の例の変形例（その１）を模式的に示したタイミングチャ−トである。
【図２２】本実施形態に係る表示装置の駆動制御方法の第３の例の変形例（その１）を模式的に示したタイミングチャ−トである。
【図２３】本実施形態に係る表示装置の駆動制御方法の第２の例の変形例（その２）を模式的に示したタイミングチャ−トである。
【図２４】本実施形態に係る表示装置の駆動制御方法の第３の例の変形例（その２）を模式的に示したタイミングチャ−トである。
【図２５】本実施形態に係る表示装置の駆動制御方法の第４の例を模式的に示したタイミングチャ−トである。
【図２６】本実施形態に係る表示装置の駆動制御方法の第４の例を実現するための表示装置の一例を示す要部構成図である。
【図２７】本発明に係る表示装置の駆動制御方法の第５の例を模式的に示したタイミングチャ−トである。
【図２８】本発明に係る表示装置の駆動制御方法の第６の例を模式的に示したタイミングチャ−トである。
【図２９】本発明に係る表示装置の駆動制御方法の第７の例を模式的に示したタイミングチャ−トである。
【図３０】本発明に係る表示装置の駆動制御方法の第６の例の変形例（その１）を模式的に示したタイミングチャ−トである。
【図３１】本発明に係る表示装置の駆動制御方法の第７の例の変形例（その１）を模式的に示したタイミングチャ−トである。
【図３２】本発明に係る表示装置の駆動制御方法の第７の例の変形例（その２）を模式的に示したタイミングチャ−トである。
【図３３】本発明に係る表示装置の駆動制御方法の第７の例の変形例（その２）を模式的に示したタイミングチャ−トである。
【図３４】本発明に係る表示装置の駆動制御方法の第８の例を模式的に示したタイミングチャ−トである。
【図３５】従来技術における発光素子型ディスプレイの要部を示す概略構成図である。
【図３６】従来技術における発光素子型ディスプレイに適用可能な表示画素（発光駆動回路及び発光素子）の要部構成例を示す等価回路図である。
【符号の説明】
【０２６８】
ＰＸ        表示画素
ＤＣ        発光駆動回路
ＳＬ        選択ライン
ＤＬ        データライン
ＶＬ        供給電圧ライン
Ｔｒ１１〜Ｔｒ１３      薄膜トランジスタ
Ｃｓ        コンデンサ
ＯＥＬ      有機ＥＬ素子
１００      表示駆動装置
１１０      シフトレジスタ・データレジスタ部
１２０      表示データラッチ部
１３０      階調電圧生成部
１４０      検出電圧ＡＤＣ
１５０      補償電圧ＤＡＣ
１６０      しきい値データラッチ部
１７０      フレームメモリ
１８０      電圧加算部
１９０      データライン入出力切換部
２００      表示装置
２１０      表示パネル
２２０      選択ドライバ
２３０      電源ドライバ
２４０      データドライバ
２５０      システムコントローラ
２６０      表示信号生成回路
【図１】
2006301250.tif 000003
【図２】
2006301250.tif 000004
【図３】
2006301250.tif 000005
【図４】
2006301250.tif 000006
【図５】
2006301250.tif 000007
【図６】
2006301250.tif 000008
【図７】
2006301250.tif 000009
【図８】
2006301250.tif 000010
【図９】
2006301250.tif 000011
【図１０】
2006301250.tif 000012
【図１１】
2006301250.tif 000013
【図１２】
2006301250.tif 000014
【図１３】
2006301250.tif 000015
【図１４】
2006301250.tif 000016
【図１５】
2006301250.tif 000017
【図１６】
2006301250.tif 000018
【図１７】
2006301250.tif 000019
【図１８】
2006301250.tif 000020
【図１９】
2006301250.tif 000021
【図２０】
2006301250.tif 000022
【図２１】
2006301250.tif 000023
【図２２】
2006301250.tif 000024
【図２３】
2006301250.tif 000025
【図２４】
2006301250.tif 000026
【図２５】
2006301250.tif 000027
【図２６】
2006301250.tif 000028
【図２７】
2006301250.tif 000029
【図２８】
2006301250.tif 000030
【図２９】
2006301250.tif 000031
【図３０】
2006301250.tif 000032
【図３１】
2006301250.tif 000033
【図３２】
2006301250.tif 000034
【図３３】
2006301250.tif 000035
【図３４】
2006301250.tif 000036
【図３５】
2006301250.tif 000037
【図３６】
2006301250.tif 000038